(57)【特許請求の範囲】
【請求項１】
無線通信システムにおいて干渉測定を実行する方法であって、前記方法は、ユーザ機器（ＵＥ）によって実行され、前記方法は、
前記ＵＥによって支援されるＣＳＩ−ＩＭリソースの最大数に関連する能力情報を基地局に送信することと、
複数のＣＳＩ−ＩＭ（Ｃｈａｎｎｅｌ  Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ）リソースに対する設定情報を、無線リソース制御（ＲＲＣ）シグナリングを介して、基地局から受信することであって、前記複数のＣＳＩ−ＩＭリソースは、前記ＵＥに対して設定される前記干渉測定に対する候補ＣＳＩ−ＩＭリソースであり、前記複数のＣＳＩ−ＩＭリソースの数は、前記能力情報に基づいて設定される、ことと、
前記候補ＣＳＩ−ＩＭリソースに対する同期化およびＣＳＩ−ＩＭトラッキングを実行することと、
ダウンリンク制御情報を前記基地局から受信することであって、前記ダウンリンク制御情報は、前記候補ＣＳＩ−ＩＭリソースのうちの特定のＣＳＩ−ＩＭリソースの活性化に関連する情報を含む、ことと、
前記特定のＣＳＩ−ＩＭリソースに基づいて前記干渉測定を実行することと
を含む、方法。
【請求項２】
前記ダウンリンク制御情報は、サブフレーム♯ｎ内で受信され、
前記ダウンリンク制御情報によって活性化される前記特定のＣＳＩ−ＩＭリソースは、サブフレーム♯ｎ＋ｙ内に適用され、
前記サブフレーム♯ｎ＋ｙは、前記サブフレーム♯ｎからｙ番目のサブフレーム後のサブフレームである、請求項１に記載の方法。
【請求項３】
前記基地局からＣＳＩ−ＩＭ測定ウィンドウに関連する情報を受信することと、
前記ダウンリンク制御情報が受信される場合、前記ＣＳＩ−ＩＭ測定ウィンドウを初期化または更新することと、
前記ＣＳＩ−ＩＭ測定ウィンドウが初期化または更新される時点から特定区間までＣＳＩ−ＩＭの測定を繰り返し実行することと、
前記測定結果を平均することと
をさらに含む、請求項１に記載の方法。
【請求項４】
前記ダウンリンク制御情報は、各ＣＳＩプロセスに対して前記基地局から受信される、請求項１に記載の方法。
【請求項５】
無線通信システムにおいて干渉測定を実行するユーザ機器（ＵＥ）であって、前記ＵＥは、
無線信号を送信または受信する送受信器と、
前記送受信器に作用するように接続されたプロセッサと
を含み、
前記プロセッサは、
前記ＵＥによって支援されるＣＳＩ−ＩＭリソースの最大数に関連する能力情報を基地局に送信することと、
複数のＣＳＩ−ＩＭ（Ｃｈａｎｎｅｌ  Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ）リソースに対する設定情報を、無線リソース制御（ＲＲＣ）シグナリングを介して、基地局から受信することであって、前記複数のＣＳＩ−ＩＭリソースは、前記ＵＥに対して設定される前記干渉測定に対する候補ＣＳＩ−ＩＭリソースであり、前記複数のＣＳＩ−ＩＭリソースの数は、前記能力情報に基づいて設定される、ことと、
ダウンリンク制御情報を受信する前に前記候補ＣＳＩ−ＩＭリソースに対する同期化および／またはＣＳＩ−ＩＭトラッキングを実行することと、
ダウンリンク制御情報を前記基地局から受信することであって、前記ダウンリンク制御情報は、前記候補ＣＳＩ−ＩＭリソースのうちの特定のＣＳＩ−ＩＭリソースの活性化に関連する情報を含む、ことと、
前記特定のＣＳＩ−ＩＭリソースに基づいて前記干渉測定を実行することと
を行うように構成されている、ＵＥ。
【請求項６】
前記ダウンリンク制御情報は、サブフレーム♯ｎ内で受信され、
前記ダウンリンク制御情報によって活性化される前記特定のＣＳＩ−ＩＭリソースは、サブフレーム♯ｎ＋ｙ内に適用され、
前記サブフレーム♯ｎ＋ｙは、前記サブフレーム♯ｎからｙ番目のサブフレーム後のサブフレームである、請求項５に記載のＵＥ。
【発明の詳細な説明】
【技術分野】
【０００１】
本発明は、無線通信システムに関し、より詳細には、端末で参照信号（ｒｅｆｅｒｅｎｃｅ  ｓｉｇｎａｌ）に基づいてＣＳＩをフィードバックするための方法及びこれを支援する装置に関する。
【背景技術】
【０００２】
移動通信システムは、ユーザの活動性を保障しながら音声サービスを提供するために開発された。しかしながら、移動通信システムは、音声だけでなく、データサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、様々な技術が研究されている。
【発明の概要】
【発明が解決しようとする課題】
【０００４】
本明細書は、ＣＳＩ動作と関連した端末の能力情報を送受信する方法を提供することに目的がある。
【０００５】
また、本明細書は、ＣＳＩフィードバック手順で遅延を減らすために部分活性化ＣＳＩ−ＲＳをトラッキングし、完全活性化ＣＳＩ−ＲＳに対してのみ測定及び報告を行う方法を提供することに目的がある。
【０００６】
また、本明細書は、ＣＳＩ測定関連ウィンドウを初期化または更新する方法を提供することに目的がある。
【０００７】
本発明においてなそうとする技術的課題は、以上で言及した技術的課題に制限されず、言及していないさらに他の技術的課題は、下記の記載から本発明の属する技術分野における通常の知識を有する者に明確に理解され得るであろう。
【課題を解決するための手段】
【０００８】
本明細書は、無線通信システムにおけるＣＳＩ（Ｃｈａｎｎｅｌ  Ｓｔａｔｅ  Ｉｎｆｏｒｍａｔｉｏｎ）フィードバック（ｆｅｅｄｂａｃｋ）を行うための方法において、端末により行われる方法は、ＣＳＩ関連動作に対する前記端末の能力（ｃａｐａｂｉｌｉｔｙ）情報を基地局に送信するステップと、ＣＳＩ関連動作設定（ｃｏｎｆｉｇｕｒａｔｉｏｎ）情報を前記基地局から受信するステップと、前記ＣＳＩ関連動作設定情報は、部分活性化（ｐａｒｔｉａｌ  ａｃｔｉｖａｔｉｏｎ）を行うＣＳＩ関連動作を表す部分活性化ＣＳＩ関連動作インデックス（ｉｎｄｅｘ）情報または完全活性化（ｆｕｌｌ  ａｃｔｉｖａｔｉｏｎ）を行うＣＳＩ関連動作を表す完全活性化ＣＳＩ関連動作インデックス情報のうち、少なくとも１つを含み、部分活性化ＣＳＩ−ＲＳ（Ｒｅｆｅｒｅｎｃｅ  Ｓｉｇｎａｌ）をトラッキング（ｔｒａｃｋｉｎｇ）するステップと、完全活性化ＣＳＩ−ＲＳを測定するステップと、前記測定結果を前記基地局に報告（ｒｅｐｏｒｔ）するステップとを含んでなることを特徴とする。
【０００９】
また、本明細書において前記完全活性化ＣＳＩ−ＲＳを測定するステップは、前記完全活性化ＣＳＩ−ＲＳに対する測定の活性化を指示する第１のメッセージを前記基地局から受信するステップと、前記第１のメッセージにより活性化された完全活性化ＣＳＩ−ＲＳを測定するステップとを含むことを特徴とする。
【００１０】
また、本明細書において前記ＣＳＩ関連動作は、ＣＳＩ−ＲＳ、ＣＳＩ−ＩＭ（Ｉｎｔｅｒｆｅｒｅｎｃｅ  Ｍａｎａｇｅｍｅｎｔ）、またはＣＳＩ  ｐｒｏｃｅｓｓのうち、少なくとも１つと関連があることを特徴とする。
【００１１】
また、本明細書において前記端末の能力情報は、同時に完全活性化（ｆｕｌｌ  ａｃｔｉｖａｔｉｏｎ）可能な前記ＣＳＩ関連動作の最大個数を表す第１の制御情報及び同時に部分活性化（ｐａｒｔｉａｌ  ａｃｔｉｖａｔｉｏｎ）可能な前記ＣＳＩ関連動作の最大個数を表す第２の制御情報を含むことを特徴とする。
【００１２】
また、本明細書において前記部分活性化ＣＳＩ−ＲＳをトラッキング（ｔｒａｃｋｉｎｇ）するステップは、前記部分活性化ＣＳＩ−ＲＳに対して時間及び／又は周波数で同期を合わせるステップを含むことを特徴とする。
【００１３】
また、本明細書において前記トラッキングは、前記ＣＳＩ関連動作設定情報に含まれた特定ＲＳ（Ｒｅｆｅｒｅｎｃｅ  Ｓｉｇｎａｌ）と、ｑｕａｓｉ  ｃｏ−ｌｏｃａｔｉｏｎ（ＱＣＬ）仮定を適用して行うことを特徴とする。
【００１４】
また、本明細書において前記完全活性化ＣＳＩ−ＲＳは、前記部分活性化ＣＳＩ−ＲＳから選択されることを特徴とする。
【００１５】
また、本明細書において前記第１のメッセージは、ＭＡＣ（Ｍｅｄｉａ  Ａｃｃｅｓｓ  Ｃｏｎｔｒｏｌ）  ＣＥ（Ｃｏｎｔｒｏｌ  Ｅｌｅｍｅｎｔ）またはＤＣＩ（Ｄｏｗｎｌｉｎｋ  Ｃｏｎｔｒｏｌ  Ｉｎｆｏｒｍａｔｉｏｎ）であることを特徴とする。
【００１６】
また、本明細書は、前記基地局からＣＳＩ−ＲＳ測定ウィンドウ（ｍｅａｓｕｒｅｍｅｎｔ  ｗｉｎｄｏｗ）と関連した第３の制御情報を受信するステップをさらに含み、前記ＣＳＩ−ＲＳを測定するステップは、前記第１のメッセージを受信する場合、前記ＣＳＩ−ＲＳ測定ウィンドウを初期化または更新するステップと、前記ＣＳＩ−ＲＳ測定ウィンドウが初期化または更新される時点から特定区間までＣＳＩ−ＲＳの測定を繰り返し的に行うステップと、前記測定結果を平均する（ａｖｅｒａｇｉｎｇ）ステップとを含むことを特徴とする。
【００１７】
また、本明細書においてＣＳＩフィードバックが周期的ＣＳＩフィードバックである場合、前記ＣＳＩ−ＲＳ測定ウィンドウを初期化または更新する時点は、前記特定区間以後に最初に発生するＲＩ（Ｒａｎｋ  Ｉｎｄｉｃａｔｏｒ）報告に連関された特定基準資源（ｒｅｆｅｒｅｎｃｅ  ｒｅｓｏｕｒｃｅ）時点であることを特徴とする。
【００１８】
また、本明細書において前記第１のメッセージは、各ＣＳＩプロセス別に前記基地局から受信されることを特徴とする。
【００１９】
また、本明細書において前記第１のメッセージは、ビームフォーミング関連マトリックスの変更を知らせるビーム−変更指示子（Ｂｅａｍ−Ｃｈａｎｇｅ  Ｉｎｄｉｃａｔｏｒ：ＢＣＩ）シグナリング（ｓｉｇｎａｌｉｎｇ）であることを特徴とする。
【００２０】
また、本明細書は、無線通信システムにおけるＣＳＩ（Ｃｈａｎｎｅｌ  Ｓｔａｔｅ  Ｉｎｆｏｒｍａｔｉｏｎ）をフィードバックするための端末において、前記端末は、無線信号を送受信するためのＲＦ（Ｒａｄｉｏ  Ｆｒｅｑｕｅｎｃｙ）ユニットと、前記ＲＦユニットを制御するプロセッサとを備え、ＣＳＩ関連動作に対する前記端末の能力（ｃａｐａｂｉｌｉｔｙ）情報を基地局に送信し、ＣＳＩ関連動作設定（ｃｏｎｆｉｇｕｒａｔｉｏｎ）情報を前記基地局から受信し、前記ＣＳＩ関連動作設定情報は、部分活性化（ｐａｒｔｉａｌ  ａｃｔｉｖａｔｉｏｎ）を行うＣＳＩ関連動作を表す部分活性化ＣＳＩ関連動作インデックス（ｉｎｄｅｘ）情報または完全活性化（ｆｕｌｌ  ａｃｔｉｖａｔｉｏｎ）を行うＣＳＩ関連動作を表す完全活性化ＣＳＩ関連動作インデックス情報のうち、少なくとも１つを含み、部分活性化ＣＳＩ−ＲＳ（Ｒｅｆｅｒｅｎｃｅ  Ｓｉｇｎａｌ）をトラッキング（ｔｒａｃｋｉｎｇ）し、完全活性化ＣＳＩ−ＲＳを測定し、及び前記測定結果を前記基地局に報告（ｒｅｐｏｒｔ）するように制御することを特徴とする。
例えば、本願発明は以下の項目を提供する。
（項目１）
無線通信システムにおけるＣＳＩ（Ｃｈａｎｎｅｌ  Ｓｔａｔｅ  Ｉｎｆｏｒｍａｔｉｏｎ）フィードバック（ｆｅｅｄｂａｃｋ）を行うための方法において、端末により行われる方法は、
ＣＳＩ関連動作に対する前記端末の能力（ｃａｐａｂｉｌｉｔｙ）情報を基地局に送信するステップと、
ＣＳＩ関連動作設定（ｃｏｎｆｉｇｕｒａｔｉｏｎ）情報を前記基地局から受信するステップと、
前記ＣＳＩ関連動作設定情報は、部分活性化（ｐａｒｔｉａｌ  ａｃｔｉｖａｔｉｏｎ）を行うＣＳＩ関連動作を表す部分活性化ＣＳＩ関連動作インデックス（ｉｎｄｅｘ）情報または完全活性化（ｆｕｌｌ  ａｃｔｉｖａｔｉｏｎ）を行うＣＳＩ関連動作を表す完全活性化ＣＳＩ関連動作インデックス情報のうち、少なくとも１つを含み、
部分活性化ＣＳＩ−ＲＳ（Ｒｅｆｅｒｅｎｃｅ  Ｓｉｇｎａｌ）をトラッキング（ｔｒａｃｋｉｎｇ）するステップと、
完全活性化ＣＳＩ−ＲＳを測定するステップと、
前記測定結果を前記基地局に報告（ｒｅｐｏｒｔ）するステップと、
を含んでなることを特徴とする方法。
（項目２）
前記完全活性化ＣＳＩ−ＲＳを測定するステップは、
前記完全活性化ＣＳＩ−ＲＳに対する測定の活性化を指示する第１のメッセージを前記基地局から受信するステップと、
前記第１のメッセージにより活性化された完全活性化ＣＳＩ−ＲＳを測定するステップと、
を含むことを特徴とする項目１に記載の方法。
（項目３）
前記ＣＳＩ関連動作は、ＣＳＩ−ＲＳ、ＣＳＩ−ＩＭ（Ｉｎｔｅｒｆｅｒｅｎｃｅ  Ｍａｎａｇｅｍｅｎｔ）、またはＣＳＩ  ｐｒｏｃｅｓｓのうち、少なくとも１つと関連があることを特徴とする項目１に記載の方法。
（項目４）
前記端末の能力情報は、同時に完全活性化（ｆｕｌｌ  ａｃｔｉｖａｔｉｏｎ）可能な前記ＣＳＩ関連動作の最大個数を表す第１の制御情報及び同時に部分活性化（ｐａｒｔｉａｌ  ａｃｔｉｖａｔｉｏｎ）可能な前記ＣＳＩ関連動作の最大個数を表す第２の制御情報を含むことを特徴とする項目１に記載の方法。
（項目５）
前記部分活性化ＣＳＩ−ＲＳをトラッキング（ｔｒａｃｋｉｎｇ）するステップは、
前記部分活性化ＣＳＩ−ＲＳに対して時間及び／又は周波数で同期を合わせるステップを含むことを特徴とする項目１に記載の方法。
（項目６）
前記トラッキングは、前記ＣＳＩ関連動作設定情報に含まれた特定ＲＳ（Ｒｅｆｅｒｅｎｃｅ  Ｓｉｇｎａｌ）と、ｑｕａｓｉ  ｃｏ−ｌｏｃａｔｉｏｎ（ＱＣＬ）仮定を適用して行うことを特徴とする項目１に記載の方法。
（項目７）
前記完全活性化ＣＳＩ−ＲＳは、前記部分活性化ＣＳＩ−ＲＳから選択されることを特徴とする項目１に記載の方法。
（項目８）
前記第１のメッセージは、ＭＡＣ（Ｍｅｄｉａ  Ａｃｃｅｓｓ  Ｃｏｎｔｒｏｌ）  ＣＥ（Ｃｏｎｔｒｏｌ  Ｅｌｅｍｅｎｔ）またはＤＣＩ（Ｄｏｗｎｌｉｎｋ  Ｃｏｎｔｒｏｌ  Ｉｎｆｏｒｍａｔｉｏｎ）であることを特徴とする項目２に記載の方法。
（項目９）
前記基地局からＣＳＩ−ＲＳ測定ウィンドウ（ｍｅａｓｕｒｅｍｅｎｔ  ｗｉｎｄｏｗ）と関連した第３の制御情報を受信するステップをさらに含み、
前記ＣＳＩ−ＲＳを測定するステップは、
前記第１のメッセージを受信する場合、前記ＣＳＩ−ＲＳ測定ウィンドウを初期化または更新するステップと、
前記ＣＳＩ−ＲＳ測定ウィンドウが初期化または更新される時点から特定区間までＣＳＩ−ＲＳの測定を繰り返し的に行うステップと、
前記測定結果を平均する（ａｖｅｒａｇｉｎｇ）ステップと、
を含むことを特徴とする項目２に記載の方法。
（項目１０）
ＣＳＩフィードバックが周期的ＣＳＩフィードバックである場合、前記ＣＳＩ−ＲＳ測定ウィンドウを初期化または更新する時点は、前記特定区間以後に最初に発生するＲＩ（Ｒａｎｋ  Ｉｎｄｉｃａｔｏｒ）報告に連関された特定基準資源（ｒｅｆｅｒｅｎｃｅ  ｒｅｓｏｕｒｃｅ）時点であることを特徴とする項目９に記載の方法。
（項目１１）
前記第１のメッセージは、各ＣＳＩプロセス別に前記基地局から受信されることを特徴とする項目２に記載の方法。
（項目１２）
前記第１のメッセージは、ビームフォーミング関連マトリックスの変更を知らせるビーム−変更指示子（Ｂｅａｍ−Ｃｈａｎｇｅ  Ｉｎｄｉｃａｔｏｒ：ＢＣＩ）シグナリング（ｓｉｇｎａｌｉｎｇ）であることを特徴とする項目２に記載の方法。
（項目１３）
無線通信システムにおけるＣＳＩ（Ｃｈａｎｎｅｌ  Ｓｔａｔｅ  Ｉｎｆｏｒｍａｔｉｏｎ）をフィードバックするための端末において、前記端末は、
無線信号を送受信するためのＲＦ（Ｒａｄｉｏ  Ｆｒｅｑｕｅｎｃｙ）ユニットと、
前記ＲＦユニットを制御するプロセッサと、
を備え、
ＣＳＩ関連動作に対する前記端末の能力（ｃａｐａｂｉｌｉｔｙ）情報を基地局に送信し、
ＣＳＩ関連動作設定（ｃｏｎｆｉｇｕｒａｔｉｏｎ）情報を前記基地局から受信し、
前記ＣＳＩ関連動作設定情報は、部分活性化（ｐａｒｔｉａｌ  ａｃｔｉｖａｔｉｏｎ）を行うＣＳＩ関連動作を表す部分活性化ＣＳＩ関連動作インデックス（ｉｎｄｅｘ）情報または完全活性化（ｆｕｌｌ  ａｃｔｉｖａｔｉｏｎ）を行うＣＳＩ関連動作を表す完全活性化ＣＳＩ関連動作インデックス情報のうち、少なくとも１つを含み、
部分活性化ＣＳＩ−ＲＳ（Ｒｅｆｅｒｅｎｃｅ  Ｓｉｇｎａｌ）をトラッキング（ｔｒａｃｋｉｎｇ）し、
完全活性化ＣＳＩ−ＲＳを測定し、及び
前記測定結果を前記基地局に報告（ｒｅｐｏｒｔ）するように制御することを特徴とする端末。
【発明の効果】
【００２１】
本明細書は、ＭＡＣレベルまたはＰＨＹレベルでＣＳＩ設定関連情報を端末に送信することにより、ＣＳＩフィードバック手順において遅延を減らすことができるという効果がある。
【００２２】
また、本明細書は、ＣＳＩ測定関連ウィンドウをＣＳＩ測定活性化指示時点またはＣＳＩ設定変更報知時点に初期化または更新することにより、不要な過去の環境をＣＳＩ測定に反映させないようにすることで、より正確なＣＳＩフィードバックを行うことができるという効果がある。
【００２３】
本発明で得ることができる効果は、以上で言及した効果に制限されず、言及していないさらに他の効果は、下記の記載から本発明の属する技術分野における通常の知識を有する者に明確に理解され得るであろう。
【図面の簡単な説明】
【００２４】
本発明に関する理解のために詳細な説明の一部として含まれる添付図面は、本発明に対する実施形態を提供し、詳細な説明とともに本発明の技術的特徴を説明する。
【００２５】
【図１】本発明が適用され得る無線通信システムにおける無線フレームの構造を示す。
【図２】本発明が適用され得る無線通信システムにおいて１つの下向きリンクスロットに対する資源グリッド（ｒｅｓｏｕｒｃｅ  ｇｒｉｄ）を例示した図である。
【図３】本発明が適用され得る無線通信システムにおいて下向きリンクサブフレームの構造を示す。
【図４】本発明が適用され得る無線通信システムにおいて上向きリンクサブフレームの構造を示す。
【図５】一般的な多重入出力アンテナ（ＭＩＭＯ）通信システムの構成図である。
【図６】複数の送信アンテナから１つの受信アンテナへのチャネルを示した図である。
【図７】本発明が適用され得る無線通信システムにおいてコンポーネントキャリア及びキャリア併合の一例を示す。
【図８】本発明が適用され得る無線通信システムにおいて競争基盤ランダムアクセス手順を説明するための図である。
【図９】本発明が適用され得る無線通信システムにおいて下向きリンク資源ブロックペアにマッピングされた参照信号パターンを例示する。
【図１０】本発明が適用され得る無線通信システムにおいてＣＳＩ−ＲＳ構成を例示する図である。
【図１１】本発明が適用され得る無線通信システムにおいて基地局または端末がＡＡＳ基盤の３Ｄ（３−Ｄｉｍｅｎｓｉｏｎ）ビーム形成が可能な複数の送受信アンテナを有しているシステムを例示する。
【図１２】本発明の一実施形態に係るＲＲＭ−ＲＳのアンテナポート別のＲＳＲＰを例示する。
【図１３】本発明の一実施形態に係るＲＲＭ−ＲＳアンテナポートグループ化レベルを例示する。
【図１４】本発明の一実施形態に係る２次元インデックスで配列されたＲＲＭ−ＲＳのアンテナポートとアンテナポートグループとを例示する図である。
【図１５】本明細書において提案するＣＳＩ測定及び報告方法の一例を示した図である。
【図１６】本明細書において提案するＣＳＩ測定及び報告方法の一例を示した図である。
【図１７】本明細書において提案するＣＳＩ測定及び報告方法の一例を示した図である。
【図１８】本発明の一実施形態に係る無線通信装置のブロック構成図を例示する。
【発明を実施するための形態】
【００２６】
以下、本発明にかかる好ましい実施の形態を添付された図面を参照して詳細に説明する。添付された図面とともに、以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２７】
いくつかの場合、本発明の概念が曖昧になることを避けるために、公知の構造及び装置は省略されるか、または各構造及び装置の核心機能を重心にしたブロック図形式で示されることができる。
【００２８】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００２９】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３０】
以下の説明において用いられる特定用語は、本発明の理解に役立つために提供されたものであり、このような特定用語の使用は、本発明の技術的思想から外れない範囲内で他の形態に変更されることができる。
【００３１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３２】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３３】
説明を明確にするために、３ＧＰＰ  ＬＴＥ／ＬＴＥ−Ａを中心に述べるが、本発明の技術的特徴がこれに制限されることではない。
【００３４】
（本発明が適用され得る無線通信システム一般）
図１は、本発明が適用され得る無線通信システムにおける無線フレームの構造を示す。
【００３５】
３ＧＰＰ  ＬＴＥ／ＬＴＥ−Ａでは、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造とを支援する。
【００３６】
図１において無線フレームの時間領域での大きさは、Ｔ＿ｓ＝１／（１５０００＊２０４８）の時間単位の倍数で表現される。下向きリンク及び上向きリンク送信は、Ｔ＿ｆ＝３０７２００＊Ｔ＿ｓ＝１０ｍｓの区間を有する無線フレームで構成される。
【００３７】
図１の（ａ）は、タイプ１の無線フレームの構造を例示する。タイプ１の無線フレームは、全二重（ｆｕｌｌ  ｄｕｐｌｅｘ）及び半二重（ｈａｌｆ  ｄｕｐｌｅｘ）ＦＤＤの両方に適用され得る。
【００３８】
無線フレーム（ｒａｄｉｏ  ｆｒａｍｅ）は、１０個のサブフレーム（ｓｕｂｆｒａｍｅ）で構成される。１つの無線フレームは、Ｔ＿ｓｌｏｔ＝１５３６０＊Ｔ＿ｓ＝０．５ｍｓ長さの２０個のスロットで構成され、各スロットは、０から１９までのインデックスが与えられる。１つのサブフレームは、時間領域（ｔｉｍｅ  ｄｏｍａｉｎ）で連続的な２個のスロット（ｓｌｏｔ）で構成され、サブフレームｉは、スロット２ｉ及びスロット２ｉ＋１で構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームは、長さが１ｍｓであり、１つのスロットの長さは０．５ｍｓでありうる。
【００３９】
ＦＤＤで上向きリンク送信及び下向きリンク送信は、周波数ドメインで区分される。全二重ＦＤＤに制限がないことに対し、半二重ＦＤＤ動作において端末は、同時に送信及び受信できない。
【００４０】
１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の資源ブロック（ＲＢ：Ｒｅｓｏｕｒｃｅ  Ｂｌｏｃｋ）を含む。３ＧＰＰ  ＬＴＥは、下向きリンクでＯＦＤＭＡを使用するので、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間ということができる。資源ブロック（ｒｅｓｏｕｒｃｅ  ｂｌｏｃｋ）は、資源割当単位であり、１つのスロットで複数の連続的な副搬送波（ｓｕｂｃａｒｒｉｅｒ）を含む。
【００４１】
図１の（ｂ）は、タイプ２のフレーム構造（ｆｒａｍｅ  ｓｔｒｕｃｔｕｒｅ  ｔｙｐｅ  ２）を示す。
【００４２】
タイプ２の無線フレームは、各１５３６００＊Ｔ＿ｓ＝５ｍｓの長さの２個のハーフフレーム（ｈａｌｆ  ｆｒａｍｅ）で構成される。各ハーフフレームは、３０７２０＊Ｔ＿ｓ＝１ｍｓ長さの５個のサブフレームで構成される。
【００４３】
ＴＤＤシステムのタイプ２のフレーム構造で上向きリンク−下向きリンク構成（ｕｐｌｉｎｋ−ｄｏｗｎｌｉｎｋ  ｃｏｎｆｉｇｕｒａｔｉｏｎ）は、全てのサブフレームに対して上向きリンクと下向きリンクとが割当て（または、予約）られるか表す規則である。
【００４４】
表１は、上向きリンク−下向きリンク構成を表す。
【００４５】
【表１】
0006674954.tif 000002
【００４６】
表１に示すように、無線フレームの各サブフレーム別に、「Ｄ」は、下向きリンク送信のためのサブフレームを表し、「Ｕ」は、上向きリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成されるスペシャルサブフレーム（ｓｐｅｃｉａｌ  ｓｕｂｆｒａｍｅ）を表す。
【００４７】
ＤｗＰＴＳは、端末での初期セル探索、同期化、またはチャネル推定に使用される。ＵｐＰＴＳは、基地局でのチャネル推定と端末の上向きリンク送信同期とを合わせるのに使用される。ＧＰは、上向きリンクと下向きリンクとの間に下向きリンク信号の多重経路遅延のため、上向きリンクで生じる干渉を除去するための区間である。
【００４８】
各サブフレームｉは、各Ｔ＿ｓｌｏｔ＝１５３６０＊Ｔ＿ｓ＝０．５ｍｓ長さのスロット２ｉ及びスロット２ｉ＋１で構成される。
【００４９】
上向きリンク−下向きリンク構成は、７つに区分されることができ、各構成別に下向きリンクサブフレーム、スペシャルサブフレーム、上向きリンクサブフレームの位置及び／又は個数が異なる。
【００５０】
下向きリンクから上向きリンクに変更される時点または上向きリンクから下向きリンクに切り換えられる時点を切換時点（ｓｗｉｔｃｈｉｎｇ  ｐｏｉｎｔ）という。切換時点の周期性（Ｓｗｉｔｃｈ−ｐｏｉｎｔ  ｐｅｒｉｏｄｉｃｉｔｙ）は、上向きリンクサブフレームと下向きリンクサブフレームとが切り換えられる状態が同様に繰り返される周期を意味し、５ｍｓまたは１０ｍｓの両方が支援される。５ｍｓ下向きリンク−上向きリンク切換時点の周期を有する場合には、スペシャルサブフレームＳはハーフ−フレーム毎に存在し、５ｍｓ下向きリンク−上向きリンク切換時点の周期を有する場合には、１番目のハーフ−フレームのみに存在する。
【００５１】
全ての構成において、０番、５番のサブフレーム及びＤｗＰＴＳは、下向きリンク送信のみのための区間である。ＵｐＰＴＳ及びサブフレームにすぐ繋がるサブフレームは、常に上向きリンク送信のための区間である。
【００５２】
このような、上向きリンク−下向きリンク構成は、システム情報であって、基地局と端末との両方が知っていることもある。基地局は、上向きリンク−下向きリンク構成情報が変わる度に構成情報のインデックスのみを送信することにより、無線フレームの上向きリンク−下向きリンク割当状態の変更を端末に知らせることができる。また、構成情報は、一種の下向きリンク制御情報であって、他のスケジューリング情報と同様に、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内の全ての端末に共通に送信されることもできる。
【００５３】
表２は、スペシャルサブフレームの構成（ＤｗＰＴＳ／ＧＰ／ＵｐＰＴＳの長さ）を表す。
【００５４】
【表２】
0006674954.tif 000003
【００５５】
図１の例示による無線フレームの構造は、１つの例示に過ぎず、無線フレームに含まれる副搬送波の数またはサブフレームに含まれるスロットの数、スロットに含まれるＯＦＤＭシンボルの数は様々に変更されることができる。
【００５６】
図２は、本発明が適用されることができる無線通信システムにおける１つのダウンリンクスロットに対する資源グリッド（ｒｅｓｏｕｒｃｅ  ｇｒｉｄ）を示した図である。
【００５７】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００５８】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数ＮＤＬは、ダウンリンク送信帯域幅（ｂａｎｄｗｉｄｔｈ）に従属する。
【００５９】
アップリンクスロットの構造は、ダウンリンクスロットの構造と同一でありうる。
【００６０】
図３は、本発明が適用されることができる無線通信システムにおけるダウンリンクサブフレームの構造を示す。
【００６１】
図３を参照すると、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６２】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域の大きさ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００６３】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００６４】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００６５】
図４は、本発明が適用されることができる無線通信システムにおけるアップリンクサブフレームの構造を示す。
【００６６】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００６７】
１つの端末に対するＰＵＣＣＨには、サブフレーム内に資源ブロック（ＲＢ：Ｒｅｓｏｕｒｃｅ  Ｂｌｏｃｋ）ペアが割り当てられる。ＲＢペアに属するＲＢは、２個のスロットの各々で互いに異なる副搬送波を占める。これをＰＵＣＣＨに割り当てられたＲＢペアは、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００６８】
（ＭＩＭＯ（Ｍｕｌｔｉ−Ｉｎｐｕｔ  Ｍｕｌｔｉ−Ｏｕｔｐｕｔ））
ＭＩＭＯ技術は、いままで一般に１個の送信アンテナと１個の受信アンテナを使用したことから脱皮し、多重送信（Ｔｘ）アンテナと多重受信（Ｒｘ）アンテナを使用する。言い換えれば、ＭＩＭＯ技術は、無線通信システムの送信端または受信端で多重入出力アンテナを使用し、容量増大または性能改善を試みるための技術である。以下、「ＭＩＭＯ」を「多重入出力アンテナ」と称する。
【００６９】
さらに具体的に、多重入出力アンテナ技術は、１つの完全なメッセージ（ｔｏｔａｌ  ｍｅｓｓａｇｅ）を受信するために、１個のアンテナ経路に依存せず、いくつかのアンテナを介して受信した複数のデータ片を収集し、完全なデータを完成させる。結果的に、多重入出力アンテナ技術は、特定システム範囲内でデータ送信率を増加させることができ、また特定データ送信率を介してシステムの範囲を増加させることができる。
【００７０】
次世代移動通信は、既存の移動通信に比べてはるかに高いデータ送信率を要求するので、効率的な多重入出力アンテナ技術が必ず必要であると予想される。このような状況でＭＩＭＯ通信技術は、移動通信端末と中継器などに幅広く使用することができる次世代移動通信技術であり、データ通信拡大などにより限界状況により他の移動通信の送信量限界を克服できる技術として関心を集めている。
【００７１】
一方、現在研究されている様々な送信効率の向上技術のうち、多重入出力アンテナ（ＭＩＭＯ）技術は、追加的な周波数割り当てまたは電力増加がなくても通信容量及び送受信性能を画期的に向上させることができる方法として、現在最も大きな注目を受けている。
【００７２】
図５は、一般的な多重入出力アンテナ（ＭＩＭＯ）通信システムの構成図である。
【００７３】
図５を参照すると、送信アンテナの数をＮＴ個に、受信アンテナの数をＮＲ個に同時に増やすと、送信機または受信機においてのみ多数のアンテナを使用するようになる場合とは異なり、アンテナ数に比例して理論的なチャネル送信容量が増加するので、送信レート（ｔｒａｎｓｆｅｒ  ｒａｔｅ）を向上させ、周波数効率を画期的に向上させることができる。この場合、チャネル送信容量の増加に応じる送信レートは、１つのアンテナを利用する場合の最大送信レート（Ｒｏ）に次のようなレート増加率（Ｒｉ）が掛け算された分だけ理論的に増加できる。
【００７４】
【数１】
0006674954.tif 000004
【００７５】
すなわち、例えば、４個の送信アンテナと４個の受信アンテナとを利用するＭＩＭＯ通信システムでは、単一アンテナシステムに比べて理論上４倍の送信レートを取得できる。
【００７６】
このような多重入出力アンテナの技術は、様々なチャネル経路を通過したシンボルを用いて送信信頼度を高める空間ダイバーシティ（ｓｐａｔｉａｌ  ｄｉｖｅｒｓｉｔｙ）方式と、多数の送信アンテナを用いて多数のデータシンボルを同時に送信して送信率を向上させる空間マルチプレクス（ｓｐａｔｉａｌ  ｍｕｌｔｉｐｌｅｘｉｎｇ）方式とに分けられる。また、このような２つの方式を適宜結合して各々の長所を適宜得るための方式に対する研究も、最近多く研究されている分野である。
【００７７】
各々の方式についてさらに具体的に述べると、以下のとおりである。
【００７８】
第１に、空間ダイバーシティ方式の場合には、時空間ブロック符号系列と、ダイバーシティ利得と符号化利得とを同時に利用する時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシティ利得は、送信アンテナ数（ＮＴ）と受信アンテナ数（ＮＲ）の積  （ＮＴ×ＮＲ）に該当する量を得ることができる。
【００７９】
第２に、空間マルチプレクス技法は、各送信アンテナで互いに異なるデータ列を送信する方法であるが、このとき、受信機では、送信機から同時に送信されたデータ間に相互干渉が発生するようになる。受信機では、この干渉を適切な信号処理技法を用いて除去した後に受信する。ここに使用される雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ−ｆｏｒｃｉｎｇ）受信機、ＭＭＳＥ（ｍｉｎｉｍｕｍ  ｍｅａｎ  ｓｑｕａｒｅ  ｅｒｒｏｒ）受信機、Ｄ−ＢＬＡＳＴ（Ｄｉａｇｏｎａｌ−Ｂｅｌｌ  Ｌａｂｏｒａｔｏｒｉｅｓ  Ｌａｙｅｒｅｄ  Ｓｐａｃｅ−Ｔｉｍｅ）、Ｖ−ＢＬＡＳＴ（Ｖｅｒｔｉｃａｌ−Ｂｅｌｌ  Ｌａｂｏｒａｔｏｒｉｅｓ  Ｌａｙｅｒｅｄ  Ｓｐａｃｅ−Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００８０】
第３に、空間ダイバーシティと空間マルチプレクスとの結合された技法を例に挙げることができる。空間ダイバーシティ利得だけを得る場合、ダイバーシティ次数の増加に応じる性能改善利得が順次飽和され、空間マルチプレクス利得だけを取ると、無線チャネルにおいて送信信頼度が低下する。これを解決しながら２つの利得を全部得る方式が研究されてきたのであり、このうち、時空間ブロック符号（Ｄｏｕｂｌｅ−ＳＴＴＤ）、時空間ＢＩＣＭ（ＳＴＢＩＣＭ）などの方式がある。
【００８１】
上述のような多重入出力アンテナシステムにおける通信方法をより具体的な方法で説明するために、これを数学的にモデリングする場合、以下のとおりに表すことができる。
【００８２】
まず、図５に示すように、ＮＴ個の送信アンテナとＮＲ個の受信アンテナが存在すると仮定する。
【００８３】
まず、送信信号に対して述べると、このようにＮＴ個の送信アンテナがある場合、最大送信可能な情報は、ＮＴ個であるので、これを次のようなベクトルで表すことができる。
【００８４】
【数２】
0006674954.tif 000005
【００８５】
一方、各々の送信情報ｓ１，  ｓ２，  ．．．，  ｓＮＴにおいて送信電力を異なるようにすることができ、このとき、各々の送信電力をＰ１，Ｐ２，．．．，ＰＮＴとすると、送信電力が調整された送信情報は、次のようなベクトルで表すことができる。
【００８６】
【数３】
0006674954.tif 000006
【００８７】
また、
【化１】
0006674954.tif 000007
を送信電力の対角行列Ｐで次のように表すことができる。
【００８８】
【数４】
0006674954.tif 000008
【００８９】
一方、送信電力が調整された情報ベクトル
【化２】
0006674954.tif 000009
は、その後に加重値行列Ｗが掛け算されて実際に送信されるＮＴ個の送信信号ｘ１，ｘ２，．．．，ｘＮＴを構成する。ここで、加重値行列は、送信チャネル状況などに応じて、送信情報を各アンテナに適宜分配する役割を行う。このような送信信号ｘ１，ｘ２，．．．，ｘＮＴをベクトルｘを用いて次のように表すことができる。
【００９０】
【数５】
0006674954.tif 000010
【００９１】
ここで、ｗｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプリコーディング行列（Ｐｒｅｃｏｄｉｎｇ  Ｍａｔｒｉｘ）と呼ぶ。
【００９２】
一方、上述のような送信信号（ｘ）は、空間ダイバーシティを使用する場合と空間マルチプレクス使用する場合とに分けて考慮することができる。
【００９３】
空間マルチプレクスを使用する場合は、互いに異なる信号を多重化して送信するようになるので、情報ベクトルｓの元素が全部異なる値を有するようになることに対し、空間ダイバーシティを使用するようになると、同じ信号を複数のチャネル経路を介して送信するようになるので、情報ベクトルｓの元素が全て同一の値を有するようになる。
【００９４】
もちろん、空間マルチプレクスと空間ダイバーシティとを混合する方法も考慮可能である。すなわち、例えば、３個の送信アンテナを介して同じ信号を空間ダイバーシティを用いて送信し、残りは、各々異なる信号を空間マルチプレクスして送信する場合も考慮することができる。
【００９５】
次に、受信信号は、ＮＲ個の受信アンテナがある場合、各アンテナの受信信号ｙ１，ｙ２，．．．，ｙＮＲをベクトルｙで次のとおりに表すことにする。
【００９６】
【数６】
0006674954.tif 000011
【００９７】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈｉｊと表示することにする。ここで、ｈｉｊのインデックスの順序が受信アンテナインデックスが先、送信アンテナのインデックスが後であることに留意する。
【００９８】
このようなチャネルは、いくつかを束にしてベクトル及び行列形態でも表示可能である。ベクトル表示の例を挙げて説明すると、以下のとおりである。
【００９９】
図６は、多数の送信アンテナから１つの受信アンテナへのチャネルを示した図である。
【０１００】
図６に示すように、総ＮＴ個の送信アンテナから受信アンテナｉに到着するチャネルは、以下のとおりに表現可能である。
【０１０１】
【数７】
0006674954.tif 000012
【０１０２】
また、前記式７のような行列表現を介してＮＴ個の送信アンテナからＮＲ個の受信アンテナを経るチャネルを全て表す場合、以下のとおりに表すことができる。
【０１０３】
【数８】
0006674954.tif 000013
【０１０４】
一方、実際のチャネルは、上記のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加えられるので、ＮＲ個の受信アンテナの各々に加えられる白色雑音ｎ１，ｎ２，．．．，ｎＮＲをベクトルで表現すると、以下のとおりである。
【０１０５】
【数９】
0006674954.tif 000014
【０１０６】
上述のような送信信号、受信信号、チャネル、及び白色雑音のモデリングを介して多重入出力アンテナ通信システムでの各々は、次のような関係を介して表すことができる。
【０１０７】
【数１０】
0006674954.tif 000015
【０１０８】
一方、チャネルの状態を表すチャネル行列Ｈの行と列の数は、送受信アンテナの数によって決定される。チャネル行列Ｈは、上述のように、行の数は、受信アンテナの数ＮＲと同じくなり、列の数は、送信アンテナの数ＮＴと同じくなる。すなわち、チャネル行列Ｈは、ＮＲ×ＮＴ行列になる。
【０１０９】
一般に、行列のランク（ｒａｎｋ）は、互いに独立である（ｉｎｄｅｐｅｎｄｅｎｔ）行または列の数のうち、最小数と定義される。したがって、行列のランクは、行または列の数より大きくはありえなくなる。式的に、例えば、チャネル行列Ｈのランク（ｒａｎｋ（Ｈ））は、以下のとおりに制限される。
【０１１０】
【数１１】
0006674954.tif 000016
【０１１１】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数と定義することができる。類似した方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数と定義することができる。したがって、チャネル行列においてランクの物理的な意味は、与えられたチャネルで互いに異なる情報を送ることができる最大数ということができる。
【０１１２】
本明細書において、ＭＩＭＯ送信に対する「ランク（Ｒａｎｋ）」は、特定時点及び特定周波数資源において独立的に信号を送信できる経路の数を表し、「階層（ｌａｙｅｒ）の数」は、各経路を介して送信される信号ストリームの数を示す。一般に、送信端は、信号の送信に利用されるランク数に対応する数の階層を送信するから、特別な言及がない限り、ランクは、階層数と同じ意味を有する。
【０１１３】
（キャリア併合一般）
本発明の実施の形態において考慮する通信環境は、マルチキャリア（Ｍｕｌｔｉ−ｃａｒｒｉｅｒ）支援環境をすべて含む。すなわち、本発明で用いられるマルチキャリアシステムまたはキャリア併合（ＣＡ：Ｃａｒｒｉｅｒ  Ａｇｇｒｅｇａｔｉｏｎ）システムは、広帯域を支援するために、目標とする広帯域を構成するときに目標帯域より小さな帯域幅（ｂａｎｄｗｉｄｔｈ）を有する１個以上のコンポーネントキャリア（ＣＣ：Ｃｏｍｐｏｎｅｎｔ  Ｃａｒｒｉｅｒ）を併合（ａｇｇｒｅｇａｔｉｏｎ）して使用するシステムのことをいう。
【０１１４】
本発明においてマルチキャリアは、キャリアの併合（または、搬送波集成）を意味し、このとき、キャリアの併合は、隣接した（ｃｏｎｔｉｇｕｏｕｓ）キャリア間の併合だけでなく、隣接していない（ｎｏｎ−ｃｏｎｔｉｇｕｏｕｓ）キャリア間の併合を全部意味する。また、ダウンリンクとアップリンクとの間に集成されるコンポーネントキャリアの数は、異に設定されることができる。ダウンリンクコンポーネントキャリア（以下、ＤＬ  ＣＣとする）の数とアップリンクコンポーネントキャリア（以下、ＵＬ  ＣＣとする）の数とが同じ場合を対称な（ｓｙｍｍｅｔｒｉｃ）集成といい、その数が異なる場合を非対称な（ａｓｙｍｍｅｔｒｉｃ）集成という。このようなキャリア併合は、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）などのような用語と混用して使用されることができる。
【０１１５】
２個以上のコンポーネントキャリアが結合されて構成されるキャリア併合は、ＬＴＥ−Ａシステムでは、１００ＭＨｚ帯域幅まで支援することを目標とする。目標帯域より小さな帯域幅を有する１個以上のキャリアを結合するときに、結合するキャリアの帯域幅は、従来のＩＭＴシステムとの互換性（ｂａｃｋｗａｒｄ  ｃｏｍｐａｔｉｂｉｌｉｔｙ）を維持するために、従来のシステムにおいて使用する帯域幅に制限できる。例えば、従来の３ＧＰＰ  ＬＴＥシステムでは、｛１．４，  ３，  ５，  １０，  １５，  ２０｝ＭＨｚ帯域幅を支援し、３ＧＰＰ  ＬＴＥ−ａｄｖａｎｃｅｄシステム（すなわち、ＬＴＥ−Ａ）では、既存システムとの互換のために上記の帯域幅だけを用いて２０ＭＨｚより大きな帯域幅を支援するようにすることができる。また、本発明で用いられるキャリア併合システムは、既存システムで使用する帯域幅と関係なしで新しい帯域幅を定義してキャリア併合を支援するようにすることができる。
【０１１６】
ＬＴＥ−Ａシステムは、無線資源を管理するために、セル（ｃｅｌｌ）の概念を使用する。
【０１１７】
上述のキャリア併合環境は、多重セル（ｍｕｌｔｉｐｌｅ  ｃｅｌｌｓ）環境と称することができる。セルは、ダウンリンク資源（ＤＬ  ＣＣ）とアップリンク資源（ＵＬ  ＣＣ）一対の組み合わせと定義されるが、アップリンク資源は、必須要素ではない。したがって、セルは、ダウンリンク資源単独、またはダウンリンク資源とアップリンク資源とから構成されることができる。特定端末がただ１つの設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができるが、特定端末が２個以上の設定されたサービングセルを有する場合には、セルの数だけのＤＬ  ＣＣを有し、ＵＬ  ＣＣの数は、それと同一であるか、またはそれより小さくありうる。
【０１１８】
または、それと反対にＤＬ  ＣＣとＵＬ  ＣＣとが構成されることもできる。すなわち、特定端末が多数の設定されたサービングセルを有する場合、ＤＬ  ＣＣの数よりＵＬ  ＣＣがより多くのキャリア併合環境も支援されることができる。すなわち、キャリア併合（ｃａｒｒｉｅｒ  ａｇｇｒｅｇａｔｉｏｎ）は、各々キャリア周波数（セルの重心周波数）が互いに異なる２個以上のセルの併合と理解されることができる。ここで、言う「セル（Ｃｅｌｌ）」は、一般に使用される基地局がカバーする領域としての「セル」とは区分されなければならない。
【０１１９】
ＬＴＥ−Ａシステムにおいて使用されるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルは、サービングセル（Ｓｅｒｖｉｎｇ  Ｃｅｌｌ）として使用されることができる。ＲＲＣ＿ＣＯＮＮＥＣＴＥＤ状態にあるが、キャリア併合が設定されないか、またはキャリア併合を支援しない端末の場合、Ｐセルだけから構成されたサービングセルがただ１つ存在する。それに対し、ＲＲＣ＿ＣＯＮＮＥＣＴＥＤ状態にあり、キャリア併合が設定された端末の場合、１つ以上のサービングセルが存在でき、全体サービングセルには、Ｐセルと１つ以上のＳセルが含まれる。
【０１２０】
サービングセル（ＰセルとＳセル）は、ＲＲＣパラメータを介して設定されることができる。ＰｈｙｓＣｅｌｌＩｄは、セルの物理階層識別子であって、０から５０３までの定数値を有する。ＳＣｅｌｌＩｎｄｅｘは、Ｓセルを識別するために使用される簡略な（ｓｈｏｒｔ）識別子であって、１から７までの定数値を有する。ＳｅｒｖＣｅｌｌＩｎｄｅｘは、サービングセル（ＰセルまたはＳセル）を識別するために使用される簡略な（ｓｈｏｒｔ）識別子であって、０から７までの定数値を有する。０値は、Ｐセルに適用され、ＳＣｅｌｌＩｎｄｅｘは、Ｓセルに適用するために予め付与される。すなわち、ＳｅｒｖＣｅｌｌＩｎｄｅｘにおいて最も小さなセルＩＤ（またはセルインデックス）を有するセルがＰセルになる。
【０１２１】
Ｐセルは、プライマリ周波数（または、ｐｒｉｍａｒｙ  ＣＣ）上において動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行うか、または接続再−設定過程を行うのに使用されることができ、ハンドオーバ過程で指示されたセルを指し示すことができる。また、Ｐセルは、キャリア併合環境で設定されたサービングセルのうち、制御関連通信の中心になるセルを意味する。すなわち、端末は、自分のＰセルにおいてのＰＵＣＣＨを割り当てられて送信でき、システム情報を取得するか、またはモニタリング手順を変更するのにＰセルだけを利用できる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア併合環境を支援する端末に移動性制御情報（ｍｏｂｉｌｉｔｙ  ＣｏｎｔｒｏｌＩｎｆｏ）を含む上位階層のＲＲＣ接続再設定（ＲＲＣ  ＣｏｎｎｅｃｔｉｏｎＲｅｃｏｎｆｉｇｕｔａｉｏｎ）メッセージを利用して、ハンドオーバ手順のためにＰセルだけを変更することもできる。
【０１２２】
Ｓセルは、セカンダリ周波数（または、Ｓｅｃｏｎｄａｒｙ  ＣＣ）上において動作するセルを意味できる。特定端末にＰセルは、１つだけが割り当てられ、Ｓセルは、１つ以上が割り当てられることができる。Ｓセルは、ＲＲＣ接続が設定がなされた後に構成可能であり、追加的な無線資源を提供するのに使用されることができる。キャリア併合環境で設定されたサービングセルのうち、Ｐセルを除いた残りのセル、すなわちＳセルには、ＰＵＣＣＨが存在しない。Ｅ−ＵＴＲＡＮは、Ｓセルをキャリア併合環境を支援する端末に追加するとき、ＲＲＣ＿ＣＯＮＮＥＣＴＥＤ状態にある関連したセルの動作と関連したすべてのシステム情報を特定シグナル（ｄｅｄｉｃａｔｅｄ  ｓｉｇｎａｌ）を介して提供できる。システム情報の変更は、関連したＳセルの解除及び追加によって制御されることができ、このとき、上位階層のＲＲＣ接続再設定（ＲＲＣ  ＣｏｎｎｅｃｔｉｏｎＲｅｃｏｎｆｉｇｕｔａｉｏｎ）メッセージを利用できる。Ｅ−ＵＴＲＡＮは、関連したＳセル内でブロードキャストするよりは、端末別に相異なったパラメータを有する特定シグナリング（ｄｅｄｉｃａｔｅｄ  ｓｉｇｎａｌｉｎｇ）できる。
【０１２３】
初期セキュリティー活性化過程が始まった以後に、Ｅ−ＵＴＲＡＮは、接続設定過程で初期に構成されるＰセルに付加し、１つ以上のＳセルを含むネットワークを構成できる。キャリア併合環境でＰセル及びＳセルは、各々のコンポーネントキャリアとして動作できる。以下の実施の形態では、プライマリコンポーネントキャリア（ＰＣＣ）は、Ｐセルと同じ意味として使用されることができ、セカンダリコンポーネントキャリア（ＳＣＣ）は、Ｓセルと同じ意味として使用されることができる。
【０１２４】
図７は、本発明が適用されることができる無線通信システムにおけるコンポーネントキャリア及びキャリア併合の一例を示す。
【０１２５】
図７ａは、ＬＴＥシステムにおいて使用される単一キャリア構造を示す。コンポーネントキャリアには、ＤＬ  ＣＣとＵＬ  ＣＣがある。１つのコンポーネントキャリアは、２０ＭＨｚの周波数範囲を有することができる。
【０１２６】
図７ｂは、ＬＴＥ＿Ａシステムにおいて使用されるキャリア併合構造を示す。図７ｂの場合に、２０ＭＨｚの周波数大きさを有する３個のコンポーネントキャリアが結合された場合を示す。ＤＬ  ＣＣとＵＬ  ＣＣがそれぞれ３個ずつあるが、ＤＬ  ＣＣとＵＬ  ＣＣの数に制限があるのではない。キャリア併合の場合、端末は、３個のＣＣを同時にモニタリングでき、ダウンリンク信号／データを受信することができ、アップリンク信号／データを送信できる。
【０１２７】
仮に、特定セルにおいてＮ個のＤＬ  ＣＣが管理される場合には、ネットワークは、端末にＭ（Ｍ≦Ｎ）個のＤＬ  ＣＣを割り当てることができる。このとき、端末は、Ｍ個の制限されたＤＬ  ＣＣだけをモニタリングし、ＤＬ信号を受信することができる。また、ネットワークは、Ｌ（Ｌ≦Ｍ≦Ｎ）個のＤＬ  ＣＣに優先順位をつけて主なＤＬ  ＣＣを端末に割り当てることができ、このような場合、ＵＥは、Ｌ個のＤＬ  ＣＣは、必ずモニタリングしなければならない。このような方式は、アップリンクの送信にも全く同様に適用されることができる。
【０１２８】
ダウンリンク資源の搬送波周波数（またはＤＬ  ＣＣ）とアップリンク資源の搬送波周波数（または、ＵＬ  ＣＣ）との間のリンケージ（ｌｉｎｋａｇｅ）は、ＲＲＣメッセージのような上位階層メッセージまたはシステム情報により指示されることができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによって、ＤＬ資源とＵＬ資源との組み合わせが構成されることができる。具体的に、リンケージは、ＵＬグラントを運ぶＰＤＣＣＨが送信されるＤＬ  ＣＣと前記ＵＬグラントを使用するＵＬ  ＣＣ間のマッピング関係を意味でき、ＨＡＲＱのためのデータが送信されるＤＬ  ＣＣ（またはＵＬ  ＣＣ）とＨＡＲＱ  ＡＣＫ／ＮＡＣＫ信号が送信されるＵＬ  ＣＣ（またはＤＬ  ＣＣ）間のマッピング関係を意味することもできる。
【０１２９】
端末が１つ以上のＳセルを設定すれば、ネットワークは、設定されたＳセル（等）を活性化（ａｃｔｉｖａｔｅ）または非活性化（ｄｅａｃｔｉｖａｔｅ）することができる。Ｐセルは、常に活性化される。ネットワークは、活性／非活性（Ａｃｔｉｖａｔｉｏｎ／Ｄｅａｃｔｉｖａｔｉｏｎ）ＭＡＣ制御要素（ＭＡＣ  Ｃｏｎｔｒｏｌ  Ｅｌｅｍｅｎｔ）を送信することにより、Ｓセル（等）を活性化または非活性化する。
【０１３０】
活性／非活性ＭＡＣ制御要素は、固定された大きさを有し、７個のＣフィールド（Ｃ−ｆｉｅｌｄ）と１個のＲフィールド（Ｒ−ｆｉｅｌｄ）とを含む単一のオクテット（ｏｃｔｅｔ）で構成される。Ｃフィールドは、各Ｓセルインデックス（ＳＣｅｌｌＩｎｄｅｘ）別に構成され、Ｓセルの活性／非活性状態を指示する。Ｃフィールド値が「１」にセッティングされれば、当該Ｓセルインデックスを有するＳセルが活性化されることを指示し、「０」にセッティングされれば、当該Ｓセルインデックスを有するＳセルが非活性化されることを指示する。
【０１３１】
また、端末は、設定されたＳセル別にタイマー（ｓＣｅｌｌＤｅａｃｔｉｖａｔｉｏｎＴｉｍｅｒ）を維持し、タイマーが満了されるとき、関連したＳセルを非活性化する。同じ初期タイマー値がタイマー（ｓＣｅｌｌＤｅａｃｔｉｖａｔｉｏｎＴｉｍｅｒ）の各インスタンス（ｉｎｓｔａｎｃｅ）に適用され、ＲＲＣシグナリングにより設定される。Ｓセル（等）が追加されるとき、またはハンドオーバー後、初期Ｓセル（等）は非活性化状態である。
【０１３２】
端末は、各ＴＴＩでそれぞれの設定されたＳセル（等）に対して下記のような動作を行う。
【０１３３】
・端末が特定ＴＴＩ（サブフレームｎ）でＳセルを活性化する活性／非活性ＭＡＣ制御要素を受信すれば、端末は、決められたタイミングに該当するＴＴＩ（サブフレームｎ＋８またはそれ以後）でＳセルを活性化し、当該Ｓセルと関連したタイマーを（再）開始させる。端末がＳセルを活性化するとは、端末がＳセル上でＳＲＳ（Ｓｏｕｎｄｉｎｇ  Ｒｅｆｅｒｅｎｃｅ  Ｓｉｇｎａｌ）送信、ＳセルのためのＣＱＩ（Ｃｈａｎｎｅｌ  Ｑｕａｌｉｔｙ  Ｉｎｄｉｃａｔｏｒ）／ＰＭＩ（Ｐｒｅｃｏｄｉｎｇ  Ｍａｔｒｉｘ  Ｉｎｄｉｃａｔｏｒ）／ＲＩ（Ｒａｎｋ  Ｉｎｄｉｃａｔｉｏｎ）／ＰＴＩ（Ｐｒｅｃｏｄｉｎｇ  Ｔｙｐｅ  Ｉｎｄｉｃａｔｏｒ）報告、Ｓセル上でＰＤＣＣＨモニタリング、ＳセルのためのＰＤＣＣＨモニタリングのような一般Ｓセル動作を適用するということを意味する。
【０１３４】
・端末が特定ＴＴＩ（サブフレームｎ）でＳセルを非活性化する活性／非活性ＭＡＣ制御要素を受信するか、または特定ＴＴＩ（サブフレームｎ）活性化されたＳセルと関連したタイマーが満了されれば、端末は、決められたタイミングに該当するＴＴＩ（サブフレームｎ＋８またはそれ以後）でＳセルを非活性化し、当該Ｓセルのタイマーを中断し、当該Ｓセルと関連した全てのＨＡＲＱバッファを空ける（ｆｌｕｓｈ）。
【０１３５】
・活性化されたＳセル上のＰＤＣＣＨが上向きリンクグラント（ｕｐｌｉｎｋ  ｇｒａｎｔ）または下向きリンク承認（ｄｏｗｎｌｉｎｋ  ａｓｓｉｇｎｍｅｎｔ）を指示するか、または活性化されたＳセルをスケジューリングするサービングセル上のＰＤＣＣＨが活性化されたＳセルのための上向きリンクグラント（ｕｐｌｉｎｋ  ｇｒａｎｔ）または下向きリンク承認（ｄｏｗｎｌｉｎｋ  ａｓｓｉｇｎｍｅｎｔ）を指示すれば、端末は、当該Ｓセルと関連したタイマーを再開始する。
【０１３６】
・Ｓセルが非活性化されれば、端末は、Ｓセル上でＳＲＳを送信せず、ＳセルのためのＣＱＩ／ＰＭＩ／ＲＩ／ＰＴＩを報告せず、Ｓセル上でＵＬ−ＳＣＨを送信せず、Ｓセル上でＰＤＣＣＨをモニターしない。
【０１３７】
（ランダムアクセス手順（Ｒａｎｄｏｍ  Ａｃｃｅｓｓ  Ｐｒｏｃｅｄｕｒｅ））
以下では、ＬＴＥ／ＬＴＥ−Ａシステムで提供するランダムアクセス手順（ｒａｎｄｏｍ  ａｃｃｅｓｓ  ｐｒｏｃｅｄｕｒｅ）について説明する。
【０１３８】
ランダムアクセス手順は、端末が基地局と上向きリンク同期を得たり、上向きリンク無線資源を割り当てられるために使用される。端末の電源がつけられた後、端末は、初期セルとの下向きリンク同期を取得し、システム情報を受信する。システム情報から使用可能なランダムアクセスプリアンブル（ｒａｎｄｏｍ  ａｃｃｅｓｓ  ｐｒｅａｍｂｌｅ）の集合とランダムアクセスプリアンブルの送信に使用される無線資源に関する情報を得る。ランダムアクセスプリアンブルの送信に使用される無線資源は、少なくとも１つ以上のサブフレームインデックスと周波数領域上のインデックスとの組み合わせで特定されることができる。端末は、ランダムアクセスプリアンブルの集合から任意に選択したランダムアクセスプリアンブルを送信し、前記ランダムアクセスプリアンブルを受信した基地局は、上向きリンク同期のためのタイミング整列（ＴＡ：ｔｉｍｉｎｇ  ａｌｉｇｎｍｅｎｔ）値をランダムアクセス応答を介して端末に送る。これにより、端末は、上向きリンク同期を取得する。
【０１３９】
ランダムアクセス手順は、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）とで共通的な手順である。ランダムアクセス手順は、セルサイズに関係なく、キャリア併合（ＣＡ：ｃａｒｒｉｅｒ  ａｇｇｒｅｇａｔｉｏｎ）が設定された場合、サービングセル（ｓｅｒｖｉｎｇ  ｃｅｌｌ）の個数とも関係ない。
【０１４０】
まず、端末がランダムアクセス手順を行う場合としては、次のような場合がある。
【０１４１】
・端末が基地局とのＲＲＣ連結（ＲＲＣ  Ｃｏｎｎｅｃｔｉｏｎ）がなく、ＲＲＣアイドル状態で初期接続（ｉｎｉｔｉａｌ  ａｃｃｅｓｓ）を行う場合
【０１４２】
・ＲＲＣ連結再確立手順（ＲＲＣ  Ｃｏｎｎｅｃｔｉｏｎ  ｒｅ−ｅｓｔａｂｌｉｓｈｍｅｎｔ  ｐｒｏｃｅｄｕｒｅ）を行う場合
【０１４３】
・端末がハンドオーバー過程で、ターゲット（ｔａｒｇｅｔ）セルに初めて接続する場合
【０１４４】
・基地局の命令によってランダムアクセス手順が要請される場合
【０１４５】
・ＲＲＣ連結状態のうち、上向きリンク時間同期が合わない状況で（ｎｏｎ−ｓｙｎｃｈｒｏｎｉｚｅｄ）下向きリンクに送信されるデータが発生する場合
【０１４６】
・ＲＲＣ連結状態のうち、上向きリンクの時間同期が合わないか（ｎｏｎ−ｓｙｎｃｈｒｏｎｉｚｅｄ）、無線資源を要請するために使用される指定された無線資源が割り当てられていない状況で、上向きリンクに送信するデータが発生する場合
【０１４７】
・ＲＲＣ連結状態のうち、タイミングアドバンス（ｔｉｍｉｎｇ  ａｄｖａｎｃｅ）が必要な状況で端末の位置決定（ｐｏｓｉｔｉｏｎｉｎｇ）を行う場合
【０１４８】
・無線連結失敗（ｒａｄｉｏ  ｌｉｎｋ  ｆａｉｌｕｒｅ）またはハンドオーバー失敗（ｈａｎｄｏｖｅｒ  ｆａｉｌｕｒｅ）の際、復旧過程を行う場合
【０１４９】
３ＧＰＰ  Ｒｅｌ−１０では、キャリア併合を支援する無線接続システムで１つの特定セル（例えば、Ｐセル）に適用可能なＴＡ（ｔｉｍｉｎｇ  ａｄｖａｎｃｅ）値を複数のセルに共通に適用することを考慮した。ただし、端末が互いに異なる周波数バンドに属した（すなわち、周波数上で大きく離間した）複数のセルあるいは伝播（ｐｒｏｐａｇａｔｉｏｎ）特性が他の複数のセルを併合できる。また、特定セルの場合、カバレッジ拡大あるいはカバレッジホールの除去のために、ＲＲＨ（ｒｅｍｏｔｅ  ｒａｄｉｏ  ｈｅａｄｅｒ）（すなわち、リピータ）、フェムトセル（ｆｅｍｔｏ  ｃｅｌｌ）あるいはピコセル（ｐｉｃｏ  ｃｅｌｌ）などのようなスモールセル（ｓｍａｌｌ  ｃｅｌｌ）またはセカンダリ基地局（ＳｅＮＢ：ｓｅｃｏｎｄａｒｙ  ｅＮＢ）がセル内に配置される状況で端末は、１つのセルを介して基地局（すなわち、マクロ基地局（ｍａｃｒｏ  ｅＮＢ））と通信を行い、他のセルを介してセカンダリ基地局と通信を行う場合、複数のセルが互いに異なる伝播遅延特性を有するようになることができる。この場合、１つのＴＡ値を複数のセルに共通に適用する方式で使用する上向きリンク送信を行う場合、複数のセル上で送信される上向きリンク信号の同期に深刻な影響を及ぼすことができる。したがって、複数のセルが併合されたＣＡ状況で複数のＴＡを有することが好ましく、３ＧＰＰ  Ｒｅｌ−１１では、多重ＴＡ（ｍｕｌｔｉｐｌｅ  ＴＡ）を支援するために、特定セルグループ単位でＴＡを独立的に割り当てることを考慮する。これをＴＡグループ（ＴＡＧ：ＴＡ  ｇｒｏｕｐ）といい、ＴＡＧは、１つ以上のセルを含むことができ、ＴＡＧ内に含まれた１つ以上のセルには同じＴＡが共通的に適用され得る。このような多重ＴＡを支援するために、ＭＡＣ  ＴＡ命令制御要素（ｅｌｅｍｅｎｔ）は、２ビットのＴＡＧ識別子（ＴＡＧ  ＩＤ）と６ビットのＴＡ命令フィールドとで構成される。
【０１５０】
キャリア併合が設定された端末は、Ｐセルと関連して前述したランダムアクセス手順を行う場合が発生すれば、ランダムアクセス手順を行うようになる。Ｐセルが属したＴＡＧ（すなわち、ｐＴＡＧ：ｐｒｉｍａｒｙ  ＴＡＧ）の場合、既存と同様に、Ｐセルを基準に決定される、あるいはＰセルに伴われるランダムアクセス手順を介して調整されるＴＡをｐＴＡＧ内の全てのセル（等）に適用することができる。それに対し、Ｓセルのみで構成されるＴＡＧ（すなわち、ｓＴＡＧ：ｓｅｃｏｎｄａｒｙ  ＴＡＧ）の場合、ｓＴＡＧ内の特定Ｓセルを基準に決定されるＴＡは、当該ｓＴＡＧ内の全てのセル（等）に適用することができ、このとき、ＴＡは、基地局により開始されて、ランダムアクセス手順によって取得されることができる。具体的に、ｓＴＡＧ内でＳセルは、ＲＡＣＨ（Ｒａｎｄｏｍ  Ａｃｃｅｓｓ  Ｃｈａｎｎｅｌ）資源として設定され、基地局は、ＴＡを決定するために、ＳセルでＲＡＣＨ接続を要請する。すなわち、基地局は、Ｐセルで送信されるＰＤＣＣＨオーダーによってＳセル等上でＲＡＣＨ送信を開始させる。Ｓセルプリアンブルに対する応答メッセージは、ＲＡ−ＲＮＴＩを使用してＰセルを介して送信される。端末は、ランダムアクセスを成功的に終えたＳセルを基準に決定されるＴＡを当該ｓＴＡＧ内の全てのセル（等）に適用することができる。このように、ランダムアクセス手順は、Ｓセルでも当該Ｓセルの属したｓＴＡＧのタイミング整列（ｔｉｍｉｎｇ  ａｌｉｇｎｍｅｎｔ）を取得するために、Ｓセルでも行われることができる。
【０１５１】
ＬＴＥ／ＬＴＥ−Ａシステムでは、ランダムアクセスプリアンブル（ｒａｎｄｏｍ  ａｃｃｅｓｓ  ｐｒｅａｍｂｌｅ、ＲＡＣＨ  ｐｒｅａｍｂｌｅ）を選択する過程で、特定の集合内で端末が任意に１つのプリアンブルを選択して使用する競争基盤ランダムアクセス手順（ｃｏｎｔｅｎｔｉｏｎ  ｂａｓｅｄ  ｒａｎｄｏｍ  ａｃｃｅｓｓ  ｐｒｏｃｅｄｕｒｅ）と基地局が特定端末のみに割り当てたランダムアクセスプリアンブルを使用する非競争基盤ランダムアクセス手順（ｎｏｎ−ｃｏｎｔｅｎｔｉｏｎ  ｂａｓｅｄ  ｒａｎｄｏｍ  ａｃｃｅｓｓ  ｐｒｏｃｅｄｕｒｅ）とを共に提供する。ただし、非競争基盤ランダムアクセス手順は、上述したハンドオーバー過程、基地局の命令により要請される場合、端末位置決定（ｐｏｓｉｔｉｏｎｉｎｇ）及び／又はｓＴＡＧのためのタイミングアドバンス整列に限って使用されることができる。ランダムアクセス手順が完了した後、一般的な上向きリンク／下向きリンク送信が発生される。
【０１５２】
一方、リレーノード（ＲＮ：ｒｅｌａｙ  ｎｏｄｅ）も競争基盤ランダムアクセス手順と非競争基盤ランダムアクセス手順との両方を支援する。リレーノードがランダムアクセス手順を行うとき、その時点でＲＮサブフレーム構成（ｃｏｎｆｉｇｕｒａｔｉｏｎ）を中断させる（ｓｕｓｐｅｎｄ）。すなわち、これは、一時的にＲＮサブフレーム構成を廃棄することを意味する。その後、成功的にランダムアクセス手順が完了する時点でＲＮサブフレーム構成が再開される。
【０１５３】
図８は、本発明が適用され得る無線通信システムにおいて競争基盤ランダムアクセス手順を説明するための図である。
【０１５４】
（１）第１のメッセージ（Ｍｓｇ１、ｍｅｓｓａｇｅ１）
まず、端末は、システム情報（ｓｙｓｔｅｍ  ｉｎｆｏｒｍａｔｉｏｎ）またはハンドオーバー命令（ｈａｎｄｏｖｅｒ  ｃｏｍｍａｎｄ）を介して指示されたランダムアクセスプリアンブルの集合で任意に（ｒａｎｄｏｍｌｙ）１つのランダムアクセスプリアンブル（ｒａｎｄｏｍ  ａｃｃｅｓｓ  ｐｒｅａｍｂｌｅ、ＲＡＣＨ  ｐｒｅａｍｂｌｅ）を選択し、前記ランダムアクセスプリアンブルを送信できるＰＲＡＣＨ（ｐｈｙｓｉｃａｌ  ＲＡＣＨ）資源を選択して送信する。
【０１５５】
ランダムアクセスプリアンブルは、ＲＡＣＨ送信チャネルにおいて６ビットで送信され、６ビットは、ＲＡＣＨ送信した端末を識別するための５ビットの任意識別子（ｒａｄｏｍ  ｉｄｅｎｔｉｔｙ）と、追加情報を表すための１ビット（例えば、第３のメッセージ（Ｍｓｇ３）の大きさを指示）で構成される。
【０１５６】
端末からランダムアクセスプリアンブルを受信した基地局は、プリアンブルをデコーディングし、ＲＡ−ＲＮＴＩを取得する。ランダムアクセスプリアンブルが送信されたＰＲＡＣＨと関連したＲＡ−ＲＮＴＩは、当該端末が送信したランダムアクセスプリアンブルの時間−周波数資源によって決定される。
【０１５７】
（２）第２のメッセージ（Ｍｓｇ２、ｍｅｓｓａｇｅ２）
基地局は、第１のメッセージ上のプリアンブルを介して取得したＲＡ−ＲＮＴＩで指示（ａｄｄｒｅｓｓ）されるランダムアクセス応答（ｒａｎｄｏｍ  ａｃｃｅｓｓ  ｒｅｓｐｏｎｓｅ）を端末に送信する。ランダムアクセス応答には、ランダムアクセスプリアンブル区分子／識別子（ＲＡ  ｐｒｅａｍｂｌｅ  ｉｎｄｅｘ／ｉｄｅｎｔｉｆｉｅｒ）、上向きリンク無線資源を知らせる上向きリンク承認（ＵＬ  ｇｒａｎｔ）、臨時セル識別子（ＴＣ−ＲＮＴＩ：Ｔｅｍｐｏｒａｒｙ  Ｃ−ＲＮＴＩ）、そして時間同期値（ＴＡＣ：ｔｉｍｅ  ａｌｉｇｎｍｅｎｔ  ｃｏｍｍａｎｄ）が含まれ得る。ＴＡＣは、基地局が端末に上向きリンク時間整列（ｔｉｍｅ    ａｌｉｇｎｍｅｎｔ）を維持するために送る時間同期値を指示する情報である。端末は、前記時間同期値を用いて、上向きリンク送信タイミングを更新する。端末が時間同期を更新すれば、時間同期タイマー（ｔｉｍｅ  ａｌｉｇｎｍｅｎｔ  ｔｉｍｅｒ）を開始または再開始する。ＵＬ  ｇｒａｎｔは、後述するスケジューリングメッセージ（第３のメッセージ）の送信に使用される上向きリンク資源割当及びＴＰＣ（ｔｒａｎｓｍｉｔ  ｐｏｗｅｒ  ｃｏｍｍａｎｄ）を含む。ＴＰＣは、スケジューリングされたＰＵＳＣＨのための送信パワーの決定に使用される。
【０１５８】
端末は、ランダムアクセスプリアンブルを送信した後、基地局がシステム情報またはハンドオーバー命令を介して指示されたランダムアクセス応答ウィンドウ（ｒａｎｄｏｍ  ａｃｃｅｓｓ  ｒｅｓｐｏｎｓｅ  ｗｉｎｄｏｗ）内で自分のランダムアクセス応答（ｒａｎｄｏｍ  ａｃｃｅｓｓ  ｒｅｓｐｏｎｓｅ）の受信を試み、ＰＲＡＣＨに対応するＲＡ−ＲＮＴＩでマスキングされたＰＤＣＣＨを検出し、検出されたＰＤＣＣＨにより指示されるＰＤＳＣＨを受信するようになる。ランダムアクセス応答情報は、ＭＡＣ  ＰＤＵ（ＭＡＣ  ｐａｃｋｅｔ  ｄａｔａ  ｕｎｉｔ）の形式で送信されることができ、前記ＭＡＣ  ＰＤＵは、ＰＤＳＣＨを介して伝達されることができる。ＰＤＣＣＨには、前記ＰＤＳＣＨを受信すべき端末の情報と、前記ＰＤＳＣＨの無線資源の周波数、そして時間情報、そして前記ＰＤＳＣＨの送信形式などが含まれていることが好ましい。上述したように、一応、端末が自分に送信されるＰＤＣＣＨの検出に成功すれば、前記ＰＤＣＣＨの情報に応じてＰＤＳＣＨに送信されるランダムアクセス応答を適宜受信することができる。
【０１５９】
ランダムアクセス応答ウィンドウは、プリアンブルを送信した端末がランダムアクセス応答メッセージを受信するために待機する最大時区間を意味する。ランダムアクセス応答ウィンドウは、プリアンブルが送信される最後のサブフレームで３個のサブフレーム以後のサブフレームから始めて「ｒａ−ＲｅｓｐｏｎｓｅＷｉｎｄｏｗＳｉｚｅ」の長さを有する。すなわち、端末は、プリアンブルを送信が終了したサブフレームから３個のサブフレーム以後から確保したランダムアクセスウィンドウの間、ランダムアクセス応答を受信するために待機する。端末は、システム情報（ｓｙｓｔｅｍ  ｉｎｆｏｒｍａｔｉｏｎ）を介してランダムアクセスウィンドウサイズ（「ｒａ−ＲｅｓｐｏｎｓｅＷｉｎｄｏｗＳｉｚｅ」）パラメータ値を取得でき、ランダムアクセスウィンドウサイズは、２から１０の間の値に決定されることができる。
【０１６０】
端末は、基地局に送信したランダムアクセスプリアンブルと同じランダムアクセスプリアンブル区分子／識別子を有するランダムアクセス応答を成功的に受信すれば、ランダムアクセス応答のモニタリングを中止する。それに対し、ランダムアクセス応答ウィンドウが終了するまでランダムアクセス応答メッセージを受信できないか、基地局に送信したランダムアクセスプリアンブルと同じランダムアクセスプリアンブル区分子を有する有効なランダムアクセス応答を受信できなかった場合、ランダムアクセス応答の受信は失敗したとみなされ、その後、端末はプリアンブル再送信を行うことができる。
【０１６１】
上述したように、ランダムアクセス応答でランダムアクセスプリアンブル区分子が必要な理由は、１つのランダムアクセス応答には、１つ以上の端末のためのランダムアクセス応答情報が含まれ得るため、前記ＵＬ  ｇｒａｎｔ、ＴＣ−ＲＮＴＩ、そしてＴＡＣがどの端末に有効であるかを知らせることが必要なためである。
【０１６２】
（３）第３のメッセージ（Ｍｓｇ３、ｍｅｓｓａｇｅ３）
端末が自分に有効なランダムアクセス応答を受信した場合には、前記ランダムアクセス応答に含まれた情報を各々処理する。すなわち、端末は、ＴＡＣを適用させ、ＴＣ−ＲＮＴＩを格納する。また、ＵＬ  ｇｒａｎｔを用いて、端末のバッファに格納されたデータまたは新しく生成されたデータを基地局に送信する。端末の最初接続の場合、ＲＲＣ階層で生成されて、ＣＣＣＨを介して伝達されたＲＲＣ連結要請が第３のメッセージに含まれて送信されることができ、ＲＲＣ連結再確立手順の場合、ＲＲＣ階層で生成されて、ＣＣＣＨを介して伝達されたＲＲＣ連結再確立要請が第３のメッセージに含まれて送信されることができる。また、ＮＡＳ接続要請メッセージを含むこともできる。
【０１６３】
第３のメッセージは、端末の識別子が含まれなければならない。競争基盤ランダムアクセス手順では、基地局でどの端末が前記ランダムアクセス手順を行うか判断できないが、今後の衝突解決のためには、端末を識別しなければならないためである。
【０１６４】
端末の識別子を含める方法としては、２つの方法が存在する。１番目の方法は、端末が前記ランダムアクセス手順以前に既に当該セルで割り当てられた有効なセル識別子（Ｃ−ＲＮＴＩ）を有していたとすれば、端末は、前記ＵＬ  ｇｒａｎｔに対応する上向きリンク送信信号を介して自分のセル識別子を送信する。それに対し、仮りにランダムアクセス手順以前に有効なセル識別子を割り当てられていないならば、端末は、自分の固有識別子（例えば、Ｓ−ＴＭＳＩまたは任意値（ｒａｎｄｏｍ  ｎｕｍｂｅｒ））を含んで送信する。一般的に、上記の固有識別子は、Ｃ−ＲＮＴＩより長い。ＵＬ−ＳＣＨ上の送信では、端末特定スクランブリングが使用される。ただし、端末がまだＣ−ＲＮＴＩを割り当てていない場合ならば、スクランブリングは、Ｃ−ＲＮＴＩに基盤することができず、その代わりに、ランダムアクセス応答で受信したＴＣ−ＲＮＴＩが使用される。端末は、前記ＵＬ  ｇｒａｎｔに対応するデータを送信したならば、衝突解決のためのタイマー（ｃｏｎｔｅｎｔｉｏｎ  ｒｅｓｏｌｕｔｉｏｎ  ｔｉｍｅｒ）を開始する。
【０１６５】
（４）第４のメッセージ（Ｍｓｇ４、ｍｅｓｓａｇｅ４）
基地局は、端末から第３のメッセージを介して当該端末のＣ−ＲＮＴＩを受信した場合、受信したＣ−ＲＮＴＩを用いて端末に第４のメッセージを送信する。それに対し、端末から第３のメッセージを介して前記固有識別子（すなわち、Ｓ−ＴＭＳＩまたは任意値（ｒａｎｄｏｍ  ｎｕｍｂｅｒ））を受信した場合、ランダムアクセス応答で当該端末に割り当てたＴＣ−ＲＮＴＩを用いて第４のメッセージを端末に送信する。ここで、第４のメッセージは、Ｃ−ＲＮＴＩを含むＲＲＣ連結設定メッセージ（ＲＲＣ  ｃｏｎｎｅｃｔｉｏｎ  ｓｅｔｕｐ）が該当し得る。
【０１６６】
端末は、ランダムアクセス応答に含まれたＵＬ  ｇｒａｎｔを介して自分の識別子を含むデータを送信した後、衝突解決のために基地局の指示を待つ。すなわち、特定メッセージを受信するためにＰＤＣＣＨの受信を試みる。前記ＰＤＣＣＨを受信する方法においても２つの方法が存在する。前述したように、前記ＵＬ  ｇｒａｎｔに対応して送信された第３のメッセージが自分の識別子がＣ−ＲＮＴＩである場合、自分のＣ−ＲＮＴＩを用いてＰＤＣＣＨの受信を試み、前記識別子が固有識別子（すなわち、Ｓ−ＴＭＳＩまたは任意値（ｒａｎｄｏｍ  ｎｕｍｂｅｒ））である場合には、ランダムアクセス応答に含まれたＴＣ−ＲＮＴＩを用いてＰＤＣＣＨの受信を試みる。その後、前者の場合、仮りに前記衝突解決タイマーが満了される前に、自分のＣ−ＲＮＴＩを介してＰＤＣＣＨを受信した場合、端末は、正常にランダムアクセス手順が行われたと判断し、ランダムアクセス手順を終了する。後者の場合には、前記衝突解決タイマーが満了される前に、ＴＣ−ＲＮＴＩを介してＰＤＣＣＨを受信したならば、前記ＰＤＣＣＨが指示するＰＤＳＣＨが伝達するデータを確認する。仮りに前記データの内容に自分の固有識別子が含まれているならば、端末は、正常にランダムアクセス手順が行われたと判断し、ランダムアクセス手順を終了する。第４のメッセージを介して端末はＣ−ＲＮＴＩを取得し、その後、端末とネットワークとは、Ｃ−ＲＮＴＩを用いて端末特定メッセージ（ｄｅｄｉｃａｔｅｄ  ｍｅｓｓａｇｅ）を送受信するようになる。
【０１６７】
次に、ランダムアクセスにおいて衝突解決のための方法について説明する。
【０１６８】
ランダムアクセスを行うにあって、衝突が発生する理由は、基本的にランダムアクセスプリアンブルの数が有限なためである。すなわち、基地局は、全ての端末に端末固有のランダムアクセスプリアンブルを与えることができないため、端末は、共通のランダムアクセスプリアンブルのうち、任意的に１つを選択して送信するようになる。これにより、同じ無線資源（ＰＲＡＣＨ資源）を介して２つ以上の端末が同じランダムアクセスプリアンブルを選択して送信するようになる場合が発生するが、基地局では、１つの端末から送信される１つのランダムアクセスプリアンブルとして判断するようになる。これにより、基地局は、ランダムアクセス応答を端末に送信し、ランダムアクセス応答は、１つの端末が受信することと予測する。しかし、上述したように衝突が発生できるので、２つ以上の端末が１つのランダムアクセス応答を受信するようになり、これにより、端末毎に各々ランダムアクセス応答の受信による動作を行うようになる。すなわち、ランダムアクセス応答に含まれた１つのＵＬ  ｇｒａｎｔを用いて、２つ以上の端末が互いに異なるデータを同じ無線資源に送信するようになるという問題が生じる。これにより、前記データの送信は全て失敗することができ、端末の位置または送信パワーによって特定端末のデータのみを基地局で受信することもできる。後者の場合、２つ以上の端末は、全て自分のデータの送信が成功したと仮定するので、基地局は、競争で失敗した端末に失敗事実に関する情報を知らせなければならない。すなわち、前記競争の失敗または成功に関する情報を知らせることを衝突解決（ｃｏｎｔｅｎｔｉｏｎ  ｒｅｓｏｌｕｔｉｏｎ）という。
【０１６９】
衝突解決方法には、２つの方法があるが、１つの方法は、衝突解決タイマー（ｃｏｎｔｅｎｔｉｏｎ  ｒｅｓｏｌｕｔｉｏｎ  ｔｉｍｅｒ）を用いる方法と、他の１つの方法は、成功した端末の識別子を端末に送信する方法である。前者の場合は、端末がランダムアクセス過程前に既に固有のＣ−ＲＮＴＩを有している場合に使用される。すなわち、既にＣ−ＲＮＴＩを有している端末は、ランダムアクセス応答に応じて自分のＣ−ＲＮＴＩを含むデータを基地局に送信し、衝突解決タイマーを作動する。そして、衝突解決タイマーが満了される前に、自分のＣ−ＲＮＴＩにより指示されるＰＤＣＣＨ情報が受信されれば、端末は、自分が競争で成功したと判断し、ランダムアクセスを正常に終えるようになる。逆に、仮りに衝突解決タイマーが満了される前に、自分のＣ−ＲＮＴＩにより指示されるＰＤＣＣＨを送信できなかった場合は、自分が競争で失敗したと判断し、ランダムアクセス過程を再度行うか、上位階層に失敗事実を通知することができる。衝突解消方法のうち、後者の場合、すなわち、成功した端末の識別子を送信する方法は、端末がランダムアクセス過程前に固有のセル識別子がない場合に使用される。すなわち、端末自分がセル識別子がない場合、ランダムアクセス応答に含まれたＵＬ  ｇｒａｎｔ情報に応じてデータにセル識別子より上位識別子（Ｓ−ＴＭＳＩまたはｒａｎｄｏｍ  ｎｕｍｂｅｒ）を含んで送信し、端末は、衝突解決タイマーを作動させる。衝突解決タイマーが満了される前に、自分の上位識別子を含むデータがＤＬ−ＳＣＨに送信された場合、端末は、ランダムアクセス過程が成功したと判断する。それに対し、衝突解決タイマーが満了される前に、自分の上位識別子を含むデータをＤＬ−ＳＣＨに送信できなかった場合には、端末は、ランダムアクセス過程が失敗したと判断するようになる。
【０１７０】
一方、非競争基盤任意接続過程での動作は、図８に示された競争基盤任意接続過程とは異なり、第１のメッセージ送信及び第２のメッセージ送信だけで任意接続手順が終了するようになる。ただし、第１のメッセージとして端末が基地局に任意接続プリアンブルを送信する前に、端末は、基地局から任意接続プリアンブルを割り当てられるようになり、この割り当てられた任意接続プリアンブルを基地局に第１のメッセージとして送信し、基地局から任意接続応答を受信することにより、任意接続手順が終了するようになる。
【０１７１】
（参照信号（ＲＳ：Ｒｅｆｅｒｅｎｃｅ  Ｓｉｇｎａｌ））
無線通信システムにおいてデータは、無線チャネルを介して送信されるので、信号は送信中に歪まれることができる。受信端で歪まれた信号を正確に受信するために、受信された信号の歪みは、チャネル情報を利用して補正されなければならない。チャネル情報を検出するために、送信側と受信側とが共に知っている信号送信方法と信号がチャネルを介して送信されるとき、歪まれた程度を用いてチャネル情報を検出する方法を主に利用する。上述した信号をパイロット信号または参照信号（ＲＳ：ｒｅｆｅｒｅｎｃｅ  ｓｉｇｎａｌ）という。
【０１７２】
また、近年、ほとんどの移動通信システムにおいてパケットを送信するとき、今まで１個の送信アンテナと１個の受信アンテナとを使用したことから脱して、多重送信アンテナと多重受信アンテナとを採択して送受信データ効率を向上させることができる方法を使用する。多重入出力アンテナを用いてデータを送受信するとき、信号を正確に受信するために、送信アンテナと受信アンテナとの間のチャネル状態が検出されなければならない。したがって、各送信アンテナは、個別的な参照信号を有さなければならない。
【０１７３】
移動通信システムにおいてＲＳは、その目的によって大きく２つに区分されることができる。チャネル情報取得のための目的のＲＳとデータ復調のために使用されるＲＳとがある。前者は、ＵＥが下向きリンクへのチャネル情報を取得するのにその目的があるので、広帯域に送信されなければならず、特定サブフレームで下向きリンクデータを受信しないＵＥでも、そのＲＳを受信し測定できなければならない。また、これは、ハンドオーバーなどの測定などのためにも使用される。後者は、基地局が下向きリンクを送るとき、当該リソースに共に送るＲＳであって、ＵＥは、当該ＲＳを受信することによってチャネル推定をすることができ、したがって、データを復調できるようになる。このＲＳは、データが送信される領域に送信されなければならない。
【０１７４】
ダウンリンク参照信号は、１つのセル内のすべての端末が共有する共通参照信号（ＣＲＳ：Ｃｏｍｍｏｎ  ＲＳ）と特定端末のみのための専用参照信号（ＤＲＳ：Ｄｅｄｉｃａｔｅｄ  ＲＳ）がある。送信端は、このような参照信号（ＣＲＳ，  ＤＲＳ）を利用して、復調（ｄｅｍｏｄｕｌａｔｉｏｎ）とチャネル測定（ｃｈａｎｎｅｌ  ｍｅａｓｕｒｅｍｅｎｔ）のための情報を受信端に提供できる。
【０１７５】
受信端（例えば、端末）は、ＣＲＳを利用してチャネル状態を測定し、測定されたチャネル状態に応じてＣＱＩ（Ｃｈａｎｎｅｌ  Ｑｕａｌｉｔｙ  Ｉｎｄｉｃａｔｏｒ），ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャネル品質と関連した指示子を送信端（例えば、基地局）にフィードバックできる。本発明の実施の形態においてＣＲＳは、セル特定参照信号（ｃｅｌｌ−ｓｐｅｃｉｆｉｃ  ＲＳ）とも言う。これに対して、チャネル状態情報ＣＳＩのフィードバックと関連した参照信号をＣＳＩ−ＲＳと定義することができる。
【０１７６】
ＤＲＳは、ＰＤＳＣＨ上のデータ復調が必要な場合に、資源要素を介して端末に送信されることができる。端末は、上位階層シグナリングを介してＤＲＳの存在有無を受信することができる。ＤＲＳに相応するＰＤＳＣＨ信号がマッピングされる場合においてのみ有効である。本発明の実施の形態においてＤＲＳを端末特定参照信号（ＵＥ−ｓｐｅｃｉｆｉｃ  ＲＳ）または復調参照信号（ＤＭＲＳ：Ｄｅｍｏｄｕｌａｔｉｏｎ  ＲＳ）とも呼ぶことができる。
【０１７７】
図９は、本発明が適用され得る無線通信システムにおいて下向きリンク資源ブロックペアにマッピングされた参照信号パターンを例示する。
【０１７８】
図９に示すように、参照信号がマッピングされる単位に下向きリンク資源ブロックペアは、時間領域において１つのサブフレーム×周波数領域で１２個の副搬送波で表すことができる。すなわち、時間軸（ｘ軸）上で１つの資源ブロックペアは、一般循環前置（ｎｏｒｍａｌ  ＣＰ：ｎｏｒｍａｌ  Ｃｙｃｌｉｃ  Ｐｒｅｆｉｘ）である場合、１４個のＯＦＤＭシンボルの長さを有し（図９（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）である場合、１２個のＯＦＤＭシンボルの長さを有する（図９（ｂ）の場合）。資源ブロック格子において「０」、「１」、「２」、及び「３」として記載された資源要素（ＲＥｓ）は、各々アンテナポートインデックス「０」、「１」、「２」、及び「３」のＣＲＳの位置を意味し、「Ｄ」として記載された資源要素は、ＤＲＳの位置を意味する。
【０１７９】
以下、ＣＲＳについてさらに詳しく記述すれば、ＣＲＳは、物理的アンテナのチャネルを推定するために使用され、セル内に位置した全ての端末に共通的に受信され得る参照信号として全体周波数帯域に分布される。すなわち、このＣＲＳは、ｃｅｌｌ−ｓｐｅｃｉｆｉｃなシグナルであって、広帯域に対してサブフレーム毎に送信される。また、ＣＲＳは、チャネル品質情報ＣＳＩ及びデータ復調のために用いられることができる。
【０１８０】
ＣＲＳは、送信側（基地局）でのアンテナ配列によって様々なフォーマットで定義される。３ＧＰＰ  ＬＴＥシステム（例えば、リリース−８）では、基地局の送信アンテナ個数によって最大４個のアンテナポートに対するＲＳが送信される。下向きリンク信号送信側は、単一の送信アンテナ、２個の送信アンテナ、及び４個の送信アンテナのように、３つの種類のアンテナ配列を有する。例えば、基地局の送信アンテナの個数が２個である場合、０番と１番のアンテナポートに対するＣＲＳが送信され、４個である場合、０〜３番のアンテナポートに対するＣＲＳが各々送信される。基地局の送信アンテナが４個である場合、１つのＲＢでのＣＲＳパターンは、図９のとおりである。
【０１８１】
基地局が単一の送信アンテナを使用する場合、単一アンテナポートのための参照信号が配列される。
【０１８２】
基地局が２個の送信アンテナを使用する場合、２個の送信アンテナポートのための参照信号は、時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を利用して配列される。すなわち、２個のアンテナポートのための参照信号は、各々が区別されるために、互いに異なる時間資源及び／又は互いに異なる周波数資源が割り当てられる。
【０１８３】
さらに、基地局が４個の送信アンテナを使用する場合、４個の送信アンテナポートのための参照信号は、ＴＤＭ及び／又はＦＤＭ方式を利用して配列される。下向きリンク信号の受信側（端末）によって測定されたチャネル情報は、単一の送信アンテナ送信、送信ダイバーシティ、閉鎖ループ空間多重化（ｃｌｏｓｅｄ−ｌｏｏｐ  ｓｐａｔｉａｌ  ｍｕｌｔｉｐｌｅｘｉｎｇ）、開放ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（Ｍｕｌｔｉ−Ｕｓｅｒ  ＭＩＭＯ）のような送信方式を利用して送信されたデータを復調するために使用されることができる。
【０１８４】
多重入出力アンテナが支援される場合、参照信号が特定のアンテナポートから送信されるとき、前記参照信号は、参照信号のパターンによって特定された資源要素の位置に送信され、他のアンテナポートのために特定された資源要素の位置に送信されない。すなわち、互いに異なるアンテナ間の参照信号は、互いに重ならない。
【０１８５】
以下、ＤＲＳについてさらに詳しく記述すれば、ＤＲＳは、データを復調するために使用される。多重入出力アンテナ送信において特定の端末のために使用される先行符号化（ｐｒｅｃｏｄｉｎｇ）加重値は、端末が参照信号を受信したとき、各送信アンテナで送信された送信チャネルと結合されて相応するチャネルを推定するために変更無しで使用される。
【０１８６】
３ＧＰＰ  ＬＴＥシステム（例えば、リリース−８）は、最大４個の送信アンテナを支援し、ランク１ビームフォーミング（ｂｅａｍｆｏｒｍｉｎｇ）のためのＤＲＳが定義される。ランク１ビームフォーミングのためのＤＲＳは、さらにアンテナポートインデックス５のための参照信号を表す。
【０１８７】
ＬＴＥシステムの進化発展した形態のＬＴＥ−Ａシステムにおいて基地局の下向きリンクに最大８個の送信アンテナを支援できるようにデザインされなければならない。したがって、最大８個の送信アンテナに対するＲＳも支援されなければならない。ＬＴＥシステムにおいて下向きリンクＲＳは、最大４個のアンテナポートに対するＲＳのみ定義されているので、ＬＴＥ−Ａシステムにおいて基地局が４個以上、最大８個の下向きリンク送信アンテナを有する場合、これらのアンテナポートに対するＲＳが追加的に定義され、デザインされなければならない。最大８個の送信アンテナポートに対するＲＳは、上記で説明したチャネル測定のためのＲＳとデータ復調のためのＲＳとの２つが共にデザインされなければならない。
【０１８８】
ＬＴＥ−Ａシステムをデザインするにあって重要な考慮事項のうちの１つは、下位互換性（ｂａｃｋｗａｒｄ  ｃｏｍｐａｔｉｂｉｌｉｔｙ）、すなわち、ＬＴＥ端末がＬＴＥ−Ａシステムでも何らの無理もなくよく動作しなければならず、システムもこれを支援しなければならないということである。ＲＳ送信観点から見たとき、ＬＴＥで定義されているＣＲＳが全帯域にサブフレーム毎に送信される時間−周波数領域で追加的に最大８個の送信アンテナポートに対するＲＳが定義されなければならない。ＬＴＥ−Ａシステムにおいて既存のＬＴＥのＣＲＳのような方式で最大８個の送信アンテナに対するＲＳパターンをサブフレーム毎に全帯域に追加するようになると、ＲＳオーバーヘッドが過度に大きくなる。
【０１８９】
したがって、ＬＴＥ−Ａシステムにおいて新しくデザインされるＲＳは、大別して２つの分類に分けられるようになるが、ＭＣＳ、ＰＭＩなどの選択のためのチャネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳ等）と８個の送信アンテナに送信されるデータ復調のためのＲＳ（ＤＭ−ＲＳ：Ｄａｔａ  Ｄｅｍｏｄｕｌａｔｉｏｎ−ＲＳ）である。
【０１９０】
チャネル測定目的のＣＳＩ−ＲＳは、既存のＣＲＳがチャネル測定、ハンドオーバーなどの測定などの目的と同時に、データ復調のために使用されることとは異なり、チャネル測定中心の目的のためにデザインされるという特徴がある。もちろん、これもまたハンドオーバーなどの測定などの目的でも使用されることができる。ＣＳＩ−ＲＳがチャネル状態に関する情報のみを得る目的で送信されるので、ＣＲＳとは異なり、サブフレーム毎に送信されなくても良い。ＣＳＩ−ＲＳのオーバーヘッドを減らすために、ＣＳＩ−ＲＳは、時間軸上で間歇的に送信される。
【０１９１】
データ復調のために、当該時間−周波数領域でスケジューリングされたＵＥに専用的（ｄｅｄｉｃａｔｅｄ）にＤＭ−ＲＳが送信される。すなわち、特定ＵＥのＤＭ−ＲＳは、当該ＵＥがスケジューリングされた領域、すなわちデータを受信する時間−周波数領域のみに送信される。
【０１９２】
ＬＴＥ−ＡシステムにおいてｅＮＢは、全てのアンテナポートに対するＣＳＩ−ＲＳを送信しなければならない。最大８個の送信アンテナポートに対するＣＳＩ−ＲＳをサブフレーム毎に送信することは、オーバーヘッドが大きすぎるという短所があるので、ＣＳＩ−ＲＳは、サブフレーム毎に送信されずに、時間軸で間歇的に送信されてこそ、そのオーバーヘッドを減らすことができる。すなわち、ＣＳＩ−ＲＳは、１つのサブフレームの整数倍の周期を有して周期的に送信されたり、特定送信パターンで送信されることができる。このとき、ＣＳＩ−ＲＳが送信される周期やパターンは、ｅＮＢが設定できる。
【０１９３】
ＣＳＩ−ＲＳを測定するために、ＵＥは、必ず自分の属したセルのそれぞれのＣＳＩ−ＲＳアンテナポートに対するＣＳＩ−ＲＳの送信サブフレームインデックス、送信サブフレーム内でＣＳＩ−ＲＳ資源要素（ＲＥ）時間−周波数位置、そして、ＣＳＩ−ＲＳシーケンス等に関する情報を知っていなければならない。
【０１９４】
ＬＴＥ−ＡシステムにおいてｅＮＢは、ＣＳＩ−ＲＳを最大８個のアンテナポートに対して各々送信しなければならない。互いに異なるアンテナポートのＣＳＩ−ＲＳ送信のために使用される資源は、互いに直交（ｏｒｔｈｏｇｏｎａｌ）しなければならない。１つのｅＮＢが互いに異なるアンテナポートに対するＣＳＩ−ＲＳを送信するとき、それぞれのアンテナポートに対するＣＳＩ−ＲＳを互いに異なるＲＥにマッピングすることにより、ＦＤＭ／ＴＤＭ方式でこれらの資源を直交（ｏｒｔｈｏｇｏｎａｌ）して割り当てることができる。または、互いに異なるアンテナポートに対するＣＳＩ−ＲＳを互いに直交（ｏｒｔｈｏｇｏｎａｌ）したコードにマッピングさせるＣＤＭ方式で送信することができる。
【０１９５】
ＣＳＩ−ＲＳに関する情報をｅＮＢが自分のセルＵＥに知らせるとき、まず、各アンテナポートに対するＣＳＩ−ＲＳがマッピングされる時間−周波数に関する情報を知らせるべきである。具体的に、ＣＳＩ−ＲＳが送信されるサブフレーム番号、またはＣＳＩ−ＲＳが送信される周期、ＣＳＩ−ＲＳが送信されるサブフレームオフセットであり、特定アンテナのＣＳＩ−ＲＳ  ＲＥが送信されるＯＦＤＭシンボル番号、周波数間隔（ｓｐａｃｉｎｇ）、周波数軸でのＲＥのオフセットまたはシフト値などがある。
【０１９６】
ＣＳＩ−ＲＳは、１個、２個、４個、または８個のアンテナポートを介して送信される。このとき、使用されるアンテナポートは、各々ｐ＝１５、ｐ＝１５、１６、ｐ＝１５、．．．、１８、ｐ＝１５、．．．、２２である。ＣＳＩ−ＲＳは、サブキャリア間隔Δｆ＝１５ｋＨｚに対してのみ定義されることができる。
【０１９７】
（ｋ´、ｌ´）（ここで、ｋ´は、資源ブロック内の副搬送波インデックスであり、ｌ´は、スロット内のＯＦＤＭシンボルインデックスを表す。）及びｎ＿ｓの条件は、下記の表３または表４のようなＣＳＩ−ＲＳ設定（ｃｏｎｆｉｇｕｒａｔｉｏｎ）によって決定される。
【０１９８】
表３は、一般ＣＰにおいてＣＳＩ−ＲＳ構成から（ｋ´、ｌ´）のマッピングを例示する。
【０１９９】
【表３】
0006674954.tif 000017
【０２００】
表４は、拡張ＣＰにおいてＣＳＩ−ＲＳ構成から（ｋ´、ｌ´）のマッピングを例示する。
【０２０１】
【表４】
0006674954.tif 000018
【０２０２】
表３及び表４を参照すれば、ＣＳＩ−ＲＳの送信において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０２０３】
ＣＳＩ−ＲＳ構成は、セル内のアンテナポートの個数及びＣＰによって互いに異なり、隣接したセルは、最大限に互いに異なる構成を有することができる。また、ＣＳＩ−ＲＳ構成は、フレーム構造によってＦＤＤフレームとＴＤＤフレームとの両方に適用する場合とＴＤＤフレームのみに適用する場合とに分けられることができる。
【０２０４】
表３及び表４に基づき、ＣＳＩ−ＲＳ構成によって（ｋ´、ｌ´）及びｎ＿ｓが決められ、各ＣＳＩ−ＲＳアンテナポートがＣＳＩ−ＲＳ送信に用いる時間−周波数資源が決定される。
【０２０５】
図１０は、本発明が適用され得る無線通信システムにおけるＣＳＩ−ＲＳ構成を例示する図である。
【０２０６】
図１０（ａ）は、１個または２個のＣＳＩ−ＲＳアンテナポートによるＣＳＩ−ＲＳ送信に使用可能な２０つのＣＳＩ−ＲＳ構成を示したものであり、図１０（ｂ）は、４個のＣＳＩ−ＲＳアンテナポートにより使用可能な１０つのＣＳＩ−ＲＳ構成を示したものであり、図１０（ｃ）は、８個のＣＳＩ−ＲＳアンテナポートによりＣＳＩ−ＲＳ送信に使用可能な５つのＣＳＩ−ＲＳ構成を示したものである。
【０２０７】
このように、各ＣＳＩ−ＲＳ構成によってＣＳＩ−ＲＳが送信される無線資源（すなわち、ＲＥペア）が決定される。
【０２０８】
特定セルに対してＣＳＩ−ＲＳ送信のために、１個あるいは２個のアンテナポートが設定されれば、図１０（ａ）に示された２０つのＣＳＩ−ＲＳ構成のうち、設定されたＣＳＩ−ＲＳ構成による無線資源上でＣＳＩ−ＲＳが送信される。
【０２０９】
同様に、特定セルに対してＣＳＩ−ＲＳ送信のために４個のアンテナポートが設定されれば、図１０（ｂ）に示された１０つのＣＳＩ−ＲＳ構成のうち、設定されたＣＳＩ−ＲＳ構成による無線資源上でＣＳＩ−ＲＳが送信される。また、特定セルに対してＣＳＩ−ＲＳ送信のために８個のアンテナポートが設定されれば、図１０（ｃ）に示された５つのＣＳＩ−ＲＳ構成のうち、設定されたＣＳＩ−ＲＳ構成による無線資源上でＣＳＩ−ＲＳが送信される。
【０２１０】
２個のアンテナポート別（すなわち、｛１５、１６｝、｛１７、１８｝、｛１９、２０｝、｛２１、２２｝）にそれぞれのアンテナポートに対するＣＳＩ−ＲＳは、同じ無線資源にＣＤＭされて送信される。アンテナポート１５及び１６を、例えば、アンテナポート１５及び１６に対するそれぞれのＣＳＩ−ＲＳ複素シンボルは同一であるが、互いに異なる直交コード（例えば、ウォルシュコード（ｗａｌｓｈ  ｃｏｄｅ）がかけられて同じ無線資源にマッピングされる。アンテナポート１５に対するＣＳＩ−ＲＳの複素シンボルには［１、１］がかけられ、アンテナポート１６に対するＣＳＩ−ＲＳの複素シンボルには［１、−１］がかけられて、同じ無線資源にマッピングされる。これは、アンテナポート｛１７、１８｝、｛１９、２０｝、｛２１、２２｝も同様である。
【０２１１】
ＵＥは、送信されたシンボルにかけられたコードをかけて、特定アンテナポートに対するＣＳＩ−ＲＳを検出できる。すなわち、アンテナポート１５に対するＣＳＩ−ＲＳを検出するためにかけられたコード［１、１］をかけ、アンテナポート１６に対するＣＳＩ−ＲＳを検出するためにかけられたコード［１、−１］をかける。
【０２１２】
図１０（ａ）〜（ｃ）に示すように、同じＣＳＩ−ＲＳ構成インデックスに該当すれば、アンテナポート数が多いＣＳＩ−ＲＳ構成による無線資源は、ＣＳＩ−ＲＳアンテナポート数が少ないＣＳＩ−ＲＳ構成による無線資源を含む。例えば、ＣＳＩ−ＲＳ構成が０である場合、８個のアンテナポート数に対する無線資源は、４個のアンテナポート数に対する無線資源と１または２個のアンテナポート数に対する無線資源を全て含む。
【０２１３】
１つのセルで複数のＣＳＩ−ＲＳ構成が使用され得る。ノン−ゼロ電力（ＮＺＰ：ｎｏｎ−ｚｅｒｏ  ｐｏｗｅｒ）ＣＳＩ−ＲＳは、０個または１個のＣＳＩ−ＲＳ構成のみが用いられ、ゼロ電力（ＺＰ：ｚｅｒｏ  ｐｏｗｅｒ）ＣＳＩ−ＲＳは、０個または複数個のＣＳＩ−ＲＳ構成が用いられ得る。
【０２１４】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは、上記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ送信電力を仮定する。最上位ビット（ＭＳＢ：Ｍｏｓｔ  Ｓｉｇｎｉｆｉｃａｎｔ  Ｂｉｔ）は、最も低いＣＳＩ−ＲＳ構成インデックスに該当し、ビットマップ内でその次のビットは、順に次のＣＳＩ−ＲＳ構成インデックスに該当する。
【０２１５】
ＣＳＩ−ＲＳは、上記の表３及び表４において（ｎ＿ｓ  ｍｏｄ２）の条件を満たす下向きリンクスロット及びＣＳＩ−ＲＳサブフレーム構成を満たすサブフレームのみで送信される。
【０２１６】
フレーム構造タイプ２（ＴＤＤ）の場合、スペシャルサブフレーム、同期信号（ＳＳ）、ＰＢＣＨまたはＳＩＢ１（ＳｙｓｔｅｍＩｎｆｏｒｍａｔｉｏｎＢｌｏｃｋＴｙｐｅ１）メッセージ送信と衝突されるサブフレームまたはページングメッセージ送信のために設定されたサブフレームでＣＳＩ−ＲＳは送信されない。
【０２１７】
また、アンテナポートセットＳ（Ｓ＝｛１５｝、Ｓ＝｛１５、１６｝、Ｓ＝｛１７、１８｝、Ｓ＝｛１９、２０｝、またはＳ＝｛２１、２２｝）内に属するいかなるアンテナポートに対するＣＳＩ−ＲＳが送信されるＲＥは、ＰＤＳＣＨまたは他のアンテナポートのＣＳＩ−ＲＳ送信に使用されない。
【０２１８】
ＣＳＩ−ＲＳ送信に使用される時間−周波数資源は、データ送信に使用されることができないので、ＣＳＩ−ＲＳオーバーヘッドが増加するほど、データ処理量（ｔｈｒｏｕｇｈｐｕｔ）が減少するようになる。これを考慮してＣＳＩ−ＲＳは、サブフレーム毎に送信されるように構成されず、複数のサブフレームに該当する所定の送信周期毎に送信されるように構成される。この場合、サブフレーム毎にＣＳＩ−ＲＳが送信される場合に比べてＣＳＩ−ＲＳ送信オーバーヘッドが低すぎるようになり得る。
【０２１９】
ＣＳＩ−ＲＳ送信のためのサブフレーム周期（以下、「ＣＳＩ送信周期」と称する）（Ｔ＿ＣＳＩ−ＲＳ）及びサブフレームオフセット（Δ＿ＣＳＩ−ＲＳ）は、下記の表５のとおりである。
【０２２０】
表５は、ＣＳＩ−ＲＳサブフレーム構成を例示する。
【０２２１】
【表５】
0006674954.tif 000019
【０２２２】
表５を参照すれば、ＣＳＩ−ＲＳサブフレーム構成（Ｉ＿ＣＳＩ−ＲＳ）によってＣＳＩ−ＲＳ送信周期（Ｔ＿ＣＳＩ−ＲＳ）及びサブフレームオフセット（Δ＿ＣＳＩ−ＲＳ）が決定される。
【０２２３】
表５のＣＳＩ−ＲＳサブフレーム構成は、先の「ＳｕｂｆｒａｍｅＣｏｎｆｉｇ」フィールド及び「ｚｅｒｏＴｘＰｏｗｅｒＳｕｂｆｒａｍｅＣｏｎｆｉｇ」フィールドのうち、いずれか１つに設定されることができる。ＣＳＩ−ＲＳサブフレーム構成は、ＮＺＰ  ＣＳＩ−ＲＳ及びＺＰ  ＣＳＩ−ＲＳに対して個別的に（ｓｅｐａｒａｔｅｌｙ）設定されることができる。
【０２２４】
ＣＳＩ−ＲＳを含むサブフレームは、下記の数式１２を満たす。
【０２２５】
【数１２】
0006674954.tif 000020
【０２２６】
数式１２においてＴ＿ＣＳＩ−ＲＳは、ＣＳＩ−ＲＳ送信周期、Δ＿ＣＳＩ−ＲＳは、サブフレームオフセット値、ｎ＿ｆは、システムフレームナンバー、ｎ＿ｓは、スロットナンバーを意味する。
【０２２７】
サービングセルに対して送信モード９（ｔｒａｎｓｍｉｓｓｉｏｎ  ｍｏｄｅ９）が設定されたＵＥの場合、ＵＥは、１つのＣＳＩ−ＲＳ資源構成が設定され得る。サービングセルに対して送信モード１０（ｔｒａｎｓｍｉｓｓｉｏｎ  ｍｏｄｅ１０）が設定されたＵＥの場合、ＵＥは、１つまたはそれ以上のＣＳＩ−ＲＳ資源構成（等）が設定され得る。
【０２２８】
各ＣＳＩ−ＲＳ資源構成のために、下記のようにパラメータが上位階層シグナリングを介して設定される。
【０２２９】
・送信モード１０が設定された場合、ＣＳＩ−ＲＳ資源構成識別子
【０２３０】
・ＣＳＩ−ＲＳポート個数
【０２３１】
・ＣＳＩ−ＲＳ構成（表３及び表４参照）
【０２３２】
・ＣＳＩ−ＲＳサブフレーム構成（Ｉ＿ＣＳＩ−ＲＳ）（表５参照）
【０２３３】
・送信モード９が設定された場合、ＣＳＩフィードバックのための送信パワー（Ｐ＿Ｃ）
【０２３４】
・送信モード１０が設定された場合、各ＣＳＩプロセスに対してＣＳＩフィードバックのための送信パワー（Ｐ＿Ｃ）。ＣＳＩプロセスに対してＣＳＩサブフレームセットのＣ＿ＣＳＩ、０及びＣ＿ＣＳＩ、１が上位階層により設定されれば、Ｐ＿Ｃは、ＣＳＩプロセスの各ＣＳＩサブフレームセット別に設定される。
【０２３５】
・任意ランダム（ｐｓｅｕｄｏ−ｒａｎｄｏｍ）シーケンス発生器パラメータ（ｎ＿ＩＤ）
【０２３６】
・送信モード１０が設定された場合、ＱＣＬ（ＱｕａｓｉＣｏ−Ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（「ｑｃｌ−ＣＲＳ−Ｉｎｆｏ−ｒ１１」）
【０２３７】
ＵＥが導き出したＣＳＩフィードバック値が［−８、１５］ｄＢ範囲内の値を有するとき、Ｐ＿Ｃは、ＣＳＩ−ＲＳ  ＥＰＲＥに対するＰＤＳＣＨ  ＥＰＲＥの割合に仮定される。ここで、ＰＤＳＣＨ  ＥＰＲＥは、ＣＲＳ  ＥＰＲＥに対するＰＤＳＣＨ  ＥＰＲＥの割合がρ＿Ａであるシンボルに該当する。
【０２３８】
サービングセルの同じサブフレームでＣＳＩ−ＲＳとＰＭＣＨとが共に設定されない。
【０２３９】
フレーム構造タイプ２において４個のＣＲＳアンテナポートが設定された場合、ＵＥは、一般ＣＰの場合、［２０−３１］セット（表３参照）または拡張ＣＰの場合、［１６−２７］セット（表４参照）に属するＣＳＩ−ＲＳ構成インデックスが設定されない。
【０２４０】
ＵＥは、ＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０２４１】
送信モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２がドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係であると仮定することができる。
【０２４２】
送信モード１０が設定されたＵＥの場合、サービングセルに対して１つまたはそれ以上のＣＳＩ−ＩＭ（Ｃｈａｎｎｅｌ−Ｓｔａｔｅ  Ｉｎｆｏｒｍａｔｉｏｎ−Ｉｎｔｅｒｆｅｒｅｎｃｅ  Ｍｅａｓｕｒｅｍｅｎｔ）資源構成が設定され得る。
【０２４３】
上位階層シグナリングを介して各ＣＳＩ−ＩＭ資源構成のために、下記のようなパラメータが設定され得る。
【０２４４】
・ＺＰ  ＣＳＩ−ＲＳ構成（表３及び表４参照）
【０２４５】
・ＺＰ  ＣＳＩ  ＲＳサブフレーム構成（Ｉ＿ＣＳＩ−ＲＳ）（表５参照）
【０２４６】
ＣＳＩ−ＩＭ資源構成は、設定されたＺＰ  ＣＳＩ−ＲＳ資源構成のうち、いずれか１つと同一である。
【０２４７】
サービングセルの同じサブフレーム内のＣＳＩ−ＩＭ資源とＰＭＣＨとが同時に設定されない。
【０２４８】
送信モード１−９が設定されたＵＥの場合、サービングセルに対してＵＥは、１つのＺＰ  ＣＳＩ−ＲＳ資源構成が設定され得る。送信モード１０が設定されたＵＥの場合、サービングセルに対してＵＥは、１つまたはそれ以上のＺＰ  ＣＳＩ−ＲＳ資源構成が設定され得る。
【０２４９】
上位階層シグナリングを介してＺＰ  ＣＳＩ−ＲＳ資源構成のために、下記のようなパラメータが設定され得る。
【０２５０】
・ＺＰ  ＣＳＩ−ＲＳ構成リスト（表３及び表４参照）
【０２５１】
・ＺＰ  ＣＳＩ−ＲＳサブフレーム構成（Ｉ＿ＣＳＩ−ＲＳ）（表５参照）
【０２５２】
サービングセルの同じサブフレームでＺＰ  ＣＳＩ−ＲＳとＰＭＣＨとが同時に設定されない。
【０２５３】
セル測定（Ｃｅｌｌ  Ｍｅａｓｕｒｅｍｅｎｔ）／測定報告（Ｍｅａｓｕｒｅｍｅｎｔ  Ｒｅｐｏｒｔ）
端末の移動性（ｍｏｂｉｌｉｔｙ）保障のための種々の方法（ハンドオーバー、ランダムアクセス、セル探索等）のうち、１つまたはその種々の方法のためにＵＥは、セル測定（ｃｅｌｌ  ｍｅａｓｕｒｅｍｅｎｔ）した結果を基地局（あるいは、ネットワーク）に報告する。
【０２５４】
３ＧＰＰ  ＬＴＥ／ＬＴＥ−Ａシステムでセル特定参照信号（ＣＲＳ）は、時間軸に各サブフレーム内の０、４、７、１１番目のＯＦＤＭシンボルを介して送信され、これは、セル測定（ｃｅｌｌ  ｍｅａｓｕｒｅｍｅｎｔ）のために基本的に使用される。すなわち、端末は、サービングセル（ｓｅｒｖｉｎｇ  ｃｅｌｌ）と隣接セル（ｎｅｉｇｈｂｏｒ  ｃｅｌｌ）から各々受信されるＣＲＳを用いてセル測定を行う。
【０２５５】
セル測定（ｃｅｌｌ  ｍｅａｓｕｒｅｍｅｎｔ）は、サービングセル及び隣接セルの信号強度あるいは総受信電力に対する信号強度などを測定する参照信号受信電力（ＲＳＲＰ：Ｒｅｆｅｒｅｎｃｅ  Ｓｉｇｎａｌ  ｒｅｃｅｉｖｅ  ｐｏｗｅｒ）、受信信号強度（ＲＳＳＩ：Ｒｅｃｅｉｖｅｄ  ｓｉｇｎａｌ  ｓｔｒｅｎｇｔｈ  ｉｎｄｉｃａｔｏｒ）、参照信号受信品質（ＲＳＲＱ：Ｒｅｆｅｒｅｎｃｅ  Ｓｉｇｎａｌ  ｒｅｃｅｉｖｅｄ  ｑｕａｌｉｔｙ）などのＲＲＭ（Ｒａｄｉｏ  ｒｅｓｏｕｒｃｅ  ｍａｎａｇｅｍｅｎｔ）測定とサービングセルとのリンク品質を測定してラジオリンク失敗（ｒａｄｉｏ  ｌｉｎｋ  ｆａｉｌｕｒｅ）可否を評価できるＲＬＭ（Ｒａｄｉｏ  Ｌｉｎｋ  Ｍｏｎｉｔｏｒｉｎｇ）測定を含む概念である。
【０２５６】
ＲＳＲＰは、測定周波数帯域内でＣＲＳが送信されるＲＥの電力分配の線形平均である。ＲＳＲＰ決定のために、アンテナポート「０」に該当するＣＲＳ（Ｒ０）が使用され得る。また、ＲＳＲＰ決定のために、アンテナポート「１」に該当するＣＲＳ（Ｒ１）が追加に使用されることもできる。ＲＳＲＰを決定するために、ＵＥによって用いられる測定周波数帯域及び測定区間内で用いるＲＥの数は、当該測定正確度要求（ａｃｃｕｒａｃｙ  ｒｅｑｕｉｒｅｍｅｎｔｓ）が満たされる限度でＵＥが決定できる。また、ＲＥ当たりの電力は、循環前置（ＣＰ）を除いたシンボルの残りの部分内で受信したエネルギーから決定されることができる。
【０２５７】
ＲＳＳＩは、測定帯域内でアンテナポート「０」に該当するＲＳを含むＯＦＤＭシンボルで同一チャネル（ｃｏ−ｃｈａｎｎｅｌ）のサービングセル（ｓｅｒｖｉｎｇ  ｃｅｌｌ）とノン−サービングセル（ｎｏｎ−ｓｅｒｖｉｎｇ  ｃｅｌｌ）、隣接チャネルからの干渉、熱雑音（ｔｈｅｒｍａｌ  ｎｏｉｓｅ）などを含む当該ＵＥにより全てのソースから感知された総受信電力の線形平均で導き出される。上位階層シグナリングによってＲＳＲＱ測定を行うための特定サブフレームが指示される場合、ＲＳＳＩは、指示されたサブフレーム内の全てのＯＦＤＭシンボルを介して測定される。
【０２５８】
ＲＳＲＱは、Ｎ×ＲＳＲＰ／ＲＳＳＩに導き出される。ここで、Ｎは、ＲＳＳＩ測定帯域幅のＲＢ個数を意味する。また、上記の式で分子及び分母の測定は、同じＲＢのセットで求められることができる。
【０２５９】
基地局は、上位階層シグナリング（例えば、ＲＲＣ連結再構成（ＲＲＣ  Ｃｏｎｎｅｃｔｉｏｎ  Ｒｅｃｏｎｆｉｇｕｒａｔｉｏｎ）メッセージ）を介してＵＥに測定（ｍｅａｓｕｒｅｍｅｎｔ）のための設定情報を伝達できる。
【０２６０】
ＲＲＣ連結再構成メッセージは、無線資源構成専用（「ｒａｄｉｏＲｅｓｏｕｒｃｅＣｏｎｆｉｇＤｅｄｉｃａｔｅｄ」）情報要素（ＩＥ：Ｉｎｆｏｒｍａｔｉｏｎ  Ｅｌｅｍｅｎｔ）と、測定設定（「ｍｅａｓＣｏｎｆｉｇ」）ＩＥを含む。
【０２６１】
「ｍｅａｓＣｏｎｆｉｇ」ＩＥは、ＵＥにより行われなければならない測定を特定し、測定ギャップ（ｍｅａｓｕｒｅｍｅｎｔ  ｇａｐ）の構成だけでなく、イントラ−周波数（ｉｎｔｒａ−ｆｒｅｑｕｅｎｃｙ）移動性、インター−周波数（ｉｎｔｅｒ−ｆｒｅｑｕｅｎｃｙ）移動性、インター−ＲＡＴ（ｉｎｔｅｒ−ＲＡＴ）移動性のための設定情報を含む。
【０２６２】
特に、「ｍｅａｓＣｏｎｆｉｇ」ＩＥは、測定で除去される測定対象（「ｍｅａｓＯｂｊｅｃｔ」）のリストを表す「ｍｅａｓＯｂｊｅｃｔＴｏＲｅｍｏｖｅＬｉｓｔ」と新しく追加されたり、修正されるリストを表す「ｍｅａｓＯｂｊｅｃｔＴｏＡｄｄＭｏｄＬｉｓｔ」が含まれる。また、「ｍｅａｓＯｂｊｅｃｔ」には、通信技術によって「ＭｅａｓＯｂｊｅｃｔＣＤＭＡ２０００」、「ＭｅａｓＯｂｊｃｔＥＵＴＲＡ」、「ＭｅａｓＯｂｊｅｃｔＧＥＲＡＮ」などが含まれる。
【０２６３】
「ＲａｄｉｏＲｅｓｏｕｒｃｅＣｏｎｆｉｇＤｅｄｉｃａｔｅｄ」ＩＥは、無線ベアラー（Ｒａｄｉｏ  Ｂｅａｒｅｒ）を設定／変更／解除（ｓｅｔｕｐ／ｍｏｄｉｆｙ／ｒｅｌｅａｓｅ）したり、ＭＡＣメイン構成を変更したり、半永続スケジューリング（ＳＰＳ：Ｓｅｍｉ−Ｐｅｒｓｉｓｔｅｎｔ  Ｓｃｈｅｄｕｌｉｎｇ）設定を変更したり、及び専用物理的設定（ｄｅｄｉｃａｔｅｄ  ｐｈｙｓｉｃａｌ  ｃｏｎｆｉｇｕｒａｔｉｏｎ）を変更するために使用される。
【０２６４】
「ＲａｄｉｏＲｅｓｏｕｒｃｅＣｏｎｆｉｇＤｅｄｉｃａｔｅｄ」ＩＥは、サービングセル測定のための時間領域測定資源制限パターン（ｔｉｍｅ  ｄｏｍａｉｎ  ｍｅａｓｕｒｅｍｅｎｔ  ｒｅｓｏｕｒｃｅ  ｒｅｓｔｒｉｃｔｉｏｎ  ｐａｔｔｅｒｎ）を指示する「ｍｅａｓＳｕｂｆｒａｍｅＰａｔｔｅｒｎ−Ｓｅｒｖ」フィールドを含む。また、ＵＥにより測定される隣接セルを指示する「ｍｅａｓＳｕｂｆｒａｍｅＣｅｌｌＬｉｓｔ」と隣接セル測定のための時間領域測定資源制限パターンを指示する「ｍｅａｓＳｕｂｆｒａｍｅＰａｔｔｅｒｎ−Ｎｅｉｇｈ」とを含む。
【０２６５】
測定セル（サービングセル及び隣接セルを含む）のために設定された時間領域測定資源制限パターン（ｔｉｍｅ  ｄｏｍａｉｎ  ｍｅａｓｕｒｅｍｅｎｔ  ｒｅｓｏｕｒｃｅ  ｒｅｓｔｒｉｃｔｉｏｎ  ｐａｔｔｅｒｎ）は、ＲＳＲＱ測定を行うための無線フレーム当たり、少なくとも１つのサブフレームを指示できる。測定セルのために設定された時間領域測定資源制限パターンによって指示されたサブフレーム以外では、ＲＳＲＱ測定が行われない。
【０２６６】
このように、ＵＥ（例えば、３ＧＰＰ  Ｒｅｌ−１０）は、サービングセル測定のためのサブフレームパターン（「ｍｅａｓＳｕｂｆｒａｍｅＰａｔｔｅｒｎ−Ｓｅｒｖ」）及び隣接セル測定のためのサブフレームパターン（「ｍｅａｓＳｕｂｆｒａｍｅＰａｔｔｅｒｎ−Ｎｅｉｇｈ」）により設定された区間のみでＲＳＲＱが測定されなければならない。
【０２６７】
ただし、ＲＳＲＰは、このようなパターン内の測定が制約されていないが、正確度要求（ａｃｃｕｒａｃｙ  ｒｅｑｕｉｒｅｍｅｎｔ）のためには、このようなパターン内のみで測定されることが好ましい。
【０２６８】
アンテナポート間ＱＣＬ（ｑｕａｓｉ  ｃｏ−ｌｏｃａｔｅｄ）
ＱＣ／ＱＣＬ（ｑｕａｓｉ  ｃｏ−ｌｏｃａｔｅｄあるいはｑｕａｓｉ  ｃｏ−ｌｏｃａｔｉｏｎ）は、次のように定義されることができる。
【０２６９】
２つのアンテナポートがＱＣ／ＱＣＬ関係にある（あるいは、ＱＣ／ＱＣＬされた）とすれば、１つのアンテナポートを介して伝達される信号の広範囲特性（ｌａｒｇｅ−ｓｃａｌｅ  ｐｒｏｐｅｒｔｙ）が他の１つのアンテナポートを介して伝達される信号から暗示（ｉｎｆｅｒ）され得ると端末が仮定できる。ここで、前記広範囲特性は、遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【０２７０】
また、次のように定義されることもできる。２つのアンテナポートがＱＣ／ＱＣＬ関係にある（あるいは、ＱＣ／ＱＣＬされた）とすれば、１つのアンテナポートを介して１シンボルが伝達されるチャネルの広範囲特性（ｌａｒｇｅ−ｓｃａｌｅ  ｐｒｏｐｅｒｔｙ）が他の１つのアンテナポートを介して１シンボルが伝達される無線チャネルから暗示（ｉｎｆｅｒ）され得ると端末が仮定できる。ここで、前記広範囲特性は、遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）のうち、１つ以上を含む。
【０２７１】
すなわち、２つのアンテナポートがＱＣ／ＱＣＬ関係にある（あるいは、ＱＣ／ＱＣＬされた）とは、１つのアンテナポートからの無線チャネルの広範囲特性が残りの１つのアンテナポートからの無線チャネルの広範囲特性と同一であることを意味する。ＲＳが送信される複数のアンテナポートを考慮すれば、互いに異なる２つの種類のＲＳが送信されるアンテナポートがＱＣＬ関係にあれば、１つの種類のアンテナポートからの無線チャネルの広範囲特性を他の１つの種類のアンテナポートからの無線チャネルの広範囲特性に代えることができるであろう。
【０２７２】
本明細書において、上記のＱＣ／ＱＣＬ関連定義を区分しない。すなわち、ＱＣ／ＱＣＬ概念は、上記の定義のうちの１つにしたがうことができる。あるいは、類似した他の形態で、ＱＣ／ＱＣＬ仮定が成立するアンテナポート間には、あたかも同一位置（ｃｏ−ｌｏｃａｔｉｏｎ）で送信するように仮定できるという形態（例えば、同一送信ポイント（ｔｒａｎｓｍｉｓｓｉｏｎ  ｐｏｉｎｔ）で送信するアンテナポートであると端末が仮定できるという等）にＱＣ／ＱＣＬ概念定義が変形されることができ、本発明の思想は、このような類似変形例等を含む。本発明では、説明の都合上、上記のＱＣ／ＱＣＬ関連定義を混用して使用する。
【０２７３】
前記ＱＣ／ＱＣＬの概念によって、端末は、非−ＱＣ／ＱＣＬ（Ｎｏｎ−ＱＣ／ＱＣＬ）アンテナポートに対しては、当該アンテナポートからの無線チャネル間に同じ前記広範囲特性を仮定できない。すなわち、この場合、端末は、タイミング取得及びトラッキング（ｔｒａｃｋｉｎｇ）、周波数オフセット推定及び補償、遅延推定及びドップラー推定などに対してそれぞれの設定された非−ＱＣ／ＱＣＬアンテナポート別に独立的なプロセシングを行うべきである。
【０２７４】
ＱＣ／ＱＣＬを仮定できるアンテナポート間に対し、端末は、次のような動作を行うことができるという長所がある：
【０２７５】
・遅延拡散及びドップラー拡散に対し、端末は、ある１つのアンテナポートからの無線チャネルに対する電力−遅延−プロファイル（ｐｏｗｅｒ−ｄｅｌａｙ  ｐｒｏｆｉｌｅ）、遅延拡散及びドップラースペクトル（Ｄｏｐｐｌｅｒ  ｓｐｅｃｔｒｕｍ）、ドップラー拡散推定結果を、他のアンテナポートからの無線チャネルに対するチャネル推定の際に使用されるウィナーフィルター（Ｗｉｅｎｅｒ  ｆｉｌｔｅｒ）などに同様に適用できる。
【０２７６】
・周波数シフト（ｓｈｉｆｔ）及び受信されたタイミングに対し、端末は、ある１つのアンテナポートに対する時間及び周波数同期化を行った後、同じ同期化を他のアンテナポートの復調に適用することができる。
【０２７７】
・平均受信電力に対し、端末は、２つ以上のアンテナポートに対してＲＳＲＰ（Ｒｅｆｅｒｅｎｃｅ  Ｓｉｇｎａｌ  Ｒｅｃｅｉｖｅｄ  Ｐｏｗｅｒ）測定を平均することができる。
【０２７８】
例えば、端末が下向きリンクデータチャネル復調のためのＤＭＲＳアンテナポートがサービングセルのＣＲＳアンテナポートとＱＣ／ＱＣＬされたとすれば、端末は、当該ＤＭＲＳアンテナポートを介してのチャネル推定の際、自分のＣＲＳアンテナポートから推定した無線チャネルの広範囲特性（ｌａｒｇｅ−ｓｃａｌｅ  ｐｒｏｐｅｒｔｉｅｓ）を同様に適用してＤＭＲＳ基盤下向きリンクデータチャネル受信性能を向上させることができる。
【０２７９】
なぜなら、ＣＲＳは、サブフレーム毎に、そして全体帯域にわたって相対的に高い密度（ｄｅｎｓｉｔｙ）でブロードキャスティングされる参照信号であるから、広範囲特性に関する推定値は、ＣＲＳからより安定的に取得が可能なためである。それに対し、ＤＭＲＳは、特定スケジューリングされたＲＢに対しては、端末特定に送信され、また、ＰＲＧ（ｐｒｅｃｏｄｉｎｇ  Ｒｅｓｏｕｒｃｅ  Ｂｌｏｃｋ  ｇｒｏｕｐ）単位が基地局が送信に使用するプリコーディング行列（ｐｒｅｃｏｄｉｎｇ  ｍａｔｒｉｘ）が変わることがあるので、端末に受信される有効チャネルは、ＰＲＧ単位で変わることができ、複数のＰＲＧをスケジューリングされた場合であっても広い帯域にわたってＤＭＲＳを無線チャネルの広範囲特性推定用に使用時に性能劣化が生じ得る。また、ＣＳＩ−ＲＳも、その送信周期が数〜数十ｍｓになり得るし、資源ブロック当たり、平均的にアンテナポート当たり、１資源要素の低い密度を有するので、ＣＳＩ−ＲＳも同様に、無線チャネルの広範囲特性推定用に使用する場合、性能劣化が生じ得る。
【０２８０】
すなわち、アンテナポート間のＱＣ／ＱＣＬ仮定をすることで端末は、下向きリンク参照信号の検出／受信、チャネル推定、チャネル状態報告などに活用することができる。
【０２８１】
（制限されたＲＬＭ及びＲＲＭ／ＣＳＩ測定）
干渉調整（Ｉｎｔｅｒｆｅｒｅｎｃｅ  ｃｏｏｒｄｉｎａｔｉｏｎ）の１つの方法として、攻撃セル（ａｇｇｒｅｓｓｏｒ  ｃｅｌｌ）が一部物理チャネルの送信パワー（ｔｒａｎｓｍｉｓｓｉｏｎ  ｐｏｗｅｒ）／動作（ａｃｔｉｖｉｔｙ）を減らす（ここで、送信パワー／動作を減らすことは、ゼロパワーに設定する動作まで含むことができる）沈黙サブフレーム（ｓｉｌｅｎｔ  ｓｕｂｆｒａｍｅ）（または、ＡＢＳ（ａｌｍｏｓｔ  ｂｌａｎｋ  ｓｕｂｆｒａｍｅ）と呼ばれることができる）を使用し、犠牲セル（ｖｉｃｔｉｍ  ｃｅｌｌ）がこれを考慮してＵＥをスケジューリングする時間ドメインセル間干渉調整（ｓｃｈｅｄｕｌｉｎｇするｔｉｍｅ  ｄｏｍａｉｎ  ｉｎｔｅｒ−ｃｅｌｌ  ｉｎｔｅｒｆｅｒｅｎｃｅ  ｃｏｏｒｄｉｎａｔｉｏｎ）が可能である。
【０２８２】
この場合、犠牲セル（ｖｉｃｔｉｍ  ｃｅｌｌ）ＵＥの立場では、干渉レベル（ｉｎｔｅｒｆｅｒｅｎｃｅ  ｌｅｖｅｌ）がサブフレームによって大きく変化することができる。
【０２８３】
このような状況で各サブフレームでのより正確な無線リンクモニタリング（ＲＬＭ：ｒａｄｉｏ  ｌｉｎｋ  ｍｏｎｉｔｏｒｉｎｇ）やＲＳＲＰ／ＲＳＲＱなどを測定する無線資源管理（ＲＲＭ：ｒａｄｉｏ  ｒｅｓｏｕｒｃｅ  ｍａｎａｇｅｍｅｎｔ）動作を行うか、リンク適応（ｌｉｎｋ  ａｄａｐｔａｔｉｏｎ）のためにチャネル状態情報（ＣＳＩ：Ｃｈａｎｎｅｌ  Ｓｔａｔｅ  Ｉｎｆｏｒｍａｔｉｏｎ）を測定するために、前記モニタリング／測定は、均一な干渉特性を持つサブフレームのセットに制限されなければならない。３ＧＰＰ  ＬＴＥシステムでは、下記のように制限されたＲＬＭ及びＲＲＭ／ＣＳＩ測定を定義する。
【０２８４】
ＵＥは、Ｐｃｅｌｌの下向きリンク無線リンク品質（ｄｏｗｎｌｉｎｋｌｉｎｋ  ｑｕａｌｉｔｙ）を感知するために、セル特定参照信号（ＣＲＳ）に基盤して下向きリンクリンク品質をモニターする。端末は、下向きリンク無線リンク品質を推定し、Ｐｃｅｌｌの下向きリンク無線リンク品質をモニタリングするために、しきい値Ｑ＿ｏｕｔ及びＱ＿ｉｎと推定値とを比較する。
【０２８５】
しきい値Ｑ＿ｏｕｔは、下向きリンク無線リンクが信頼できるように（ｒｅｌｉａｂｌｙ）受信され得ないレベルに定義され、下記の表６で明示された送信パラメータに基盤してＰＣＦＩＣＨエラーを考慮した仮想の（ｈｙｐｏｔｈｅｔｉｃａｌ）ＰＤＣＣＨ送信の１０％ブロックエラー率（ＢＥＲ：ｂｌｏｃｋ  ｅｒｒｏｒ  ｒａｔｅ）に該当する。
【０２８６】
しきい値Ｑ＿ｉｎは、下向きリンク無線リンク品質がＱ＿ｏｕｔでの下向きリンク無線リンク品質より顕著に信頼できるように受信され得るレベルに定義され、下記の表７で明示された送信パラメータに基盤してＰＣＦＩＣＨエラーを考慮した仮想の（ｈｙｐｏｔｈｅｔｉｃａｌ）ＰＤＣＣＨ送信の２％ＢＥＲに該当する。
【０２８７】
上位階層シグナリングが制限されたＲＬＭのための特定サブフレームを指示するとき、無線リンク品質がモニタリングされる。
【０２８８】
ＲＬＭ測定を行うための時間ドメイン測定資源制限パターンが上位階層により設定されるとき、さらに測定されるセルのために設定された時間ドメイン測定資源制限パターンがＲＬＭ測定を行うための無線フレーム当たり、少なくとも１つのサブフレームを指示するならば、一定の要求事項が適用される。
【０２８９】
ＣＲＳ支援（ａｓｓｉｓｔａｎｃｅ）情報が提供される場合、ＣＲＳ支援情報が提供された１つまたはそれ以上のセルの送信アンテナポート（ｔｒａｎｓｍｉｔ  ａｎｔｅｎｎａ  ｐｏｒｔ）の個数がＲＬＭが行われるセルの送信アンテナポートの個数と相違するとき、前記要求事項が満たされることができる。
【０２９０】
仮りに、端末がＣＲＳ支援情報を提供されないか、ＣＲＳ支援データが全体評価期間の間に有効でなければ、ＣＲＳとノン−ＭＢＳＦＮ（ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム内で設定されたＡＢＳの衝突下に時間ドメイン測定制限が適用され得る。
【０２９１】
表６は、同期が合わない状態（ｏｕｔ−ｏｆ−ｓｙｎｃ）に対するＰＤＣＣＨ／ＰＣＦＩＣＨ送信パラメータを例示する。
【０２９２】
【表６】
0006674954.tif 000021
【０２９３】
表７は、同期が合う状態（ｉｎ−ｓｙｎｃ）に対するＰＤＣＣＨ／ＰＣＦＩＣＨ送信パラメータを例示する。
【０２９４】
【表７】
0006674954.tif 000022
【０２９５】
Ｐｃｅｌｌに対する下向きリンク無線リンク品質は、ＵＥにより上位階層に同期が合わない状態（ｏｕｔ−ｏｆ−ｓｙｎｃ  ｓｔａｔｕｓ）／同期が合う状態（ｉｎ−ｓｙｎｃ  ｓｔａｔｕｓ）を指示するためにモニターされる。
【０２９６】
非−ＤＲＸ（ｎｏｎ−ＤＲＸ）モード動作において、ＵＥの物理階層は、無線フレーム毎にしきい値（Ｑ＿ｏｕｔ及びＱ＿ｉｎ）を考慮して以前の時間区間の間評価された無線リンク品質を測定（ａｓｓｅｓｓ）する。
【０２９７】
上位階層シグナリングが制限されたＲＬＭのための特定サブフレームを指示すれば、無線リンク品質の測定は、上位階層シグナリングで指示されていない以外に、他のサブフレームで行われない。
【０２９８】
無線リンク品質がしきい値Ｑ＿ｏｕｔより不良であれば、ＵＥの物理階層は、無線リンク品質が測定された無線フレーム内で上位階層にｏｕｔ−ｏｆ−ｓｙｎｃを指示する。無線リンク品質がしきい値Ｑ＿ｉｎより良好であれば、ＵＥの物理階層は、無線リンク品質が測定された無線フレーム内で上位階層にｉｎ−ｓｙｎｃを指示する。
【０２９９】
（マッシブＭＩＭＯ（Ｍａｓｓｉｖｅ  ＭＩＭＯ））
ＬＴＥリリース（Ｒｅｌ：ｒｅｌｅａｓｅ）−１２以後の無線通信システムでは、能動アンテナシステム（ＡＡＳ：Ａｃｔｉｖｅ  Ａｎｔｅｎｎａ  Ｓｙｓｔｅｍ）の導入が考慮されている。
【０３００】
信号の位相及び大きさを調整できる増幅器とアンテナとが分離されている既存の受動アンテナシステムとは異なり、ＡＡＳは、それぞれのアンテナが増幅器のような能動素子を含むように構成されたシステムを意味する。
【０３０１】
ＡＡＳは、能動アンテナ使用によって増幅器とアンテナとを連結するための別のケーブル、コネクタ、その他、ハードウェアなどが必要でなく、したがって、エネルギー及び運用費用の側面で効率性の高い特徴を有する。特に、ＡＡＳは、各アンテナ別の電子式ビーム制御（ｅｌｅｃｔｒｏｎｉｃ  ｂｅａｍ  ｃｏｎｔｒｏｌ）方式を支援するため、ビーム方向及びビーム幅を考慮した精巧なビームパターン形成または３次元ビームパターンを形成するなどの進歩したＭＩＭＯ技術を可能なようにする。
【０３０２】
ＡＡＳ等の進歩したアンテナシステムの導入により、複数の入出力アンテナと多次元アンテナ構造を有する大規模ＭＩＭＯ構造も考慮されている。一例として、既存の一字形アンテナ配列とは異なり、２次元アンテナ配列を形成する場合、ＡＡＳの能動アンテナにより３次元ビームパターンを形成できる。送信アンテナ観点で前記３次元ビームパターンを活用する場合、ビームの水平方向だけでなく、垂直方向への準−静的または動的なビーム形成を行うことができ、一例として、垂直方向のセクター形成などの応用を考慮できる。
【０３０３】
また、受信アンテナ観点では、大規模の受信アンテナを活用して受信ビームを形成するとき、アンテナ配列利得（ａｎｔｅｎｎａ  ａｒｒａｙ  ｇａｉｎ）による信号電力上昇効果を期待できる。したがって、上向きリンクの場合、基地局が複数のアンテナを介して端末から送信される信号を受信することができ、このとき、端末は、干渉影響を減らすために、大規模の受信アンテナの利得を考慮して自分の送信電力を極めて低く設定できるという長所がある。
【０３０４】
図１１は、本発明が適用され得る無線通信システムにおいて基地局または端末が、ＡＡＳ基盤の３Ｄ（３−Ｄｉｍｅｎｓｉｏｎ）ビーム形成が可能な複数の送受信アンテナを有しているシステムを例示する。
【０３０５】
図１１は、前述した例を図式化したものであって、２次元アンテナ配列（すなわち、２Ｄ−ＡＡＳ）を利用した３Ｄ  ＭＩＭＯシステムを例示する。
【０３０６】
（マッシブＭＩＭＯのセルカバレッジ（Ｃｅｌｌ  ｃｏｖｅｒａｇｅ  ｏｆ  ｍａｓｓｉｖｅ  ＭＩＭＯ））
多重アンテナシステム、一例として、Ｎ個の送信アンテナを有するシステムは、単一アンテナシステムに比べて全体送信電力を同一に送信すると仮定すれば、特定地点に受信パワーが最大Ｎ倍高いようにビームフォーミング（ｂｅａｍｆｏｒｍｉｎｇ）することができる。
【０３０７】
多重アンテナを有する基地局でも、ＣＲＳ、ＰＳＳ／ＳＳＳ、ＰＢＣＨ、及びブロードキャスト（ｂｒｏａｄｃａｓｔ）情報を伝達するチャネルは、基地局カバレッジ領域内の全てのＵＥが受信できるように特定方向にビームフォーミングしてはいない。
【０３０８】
これとは異なり、特定ＵＥにユニキャスト（ｕｎｉｃａｓｔ）情報を伝達するチャネルであるＰＤＳＣＨは、当該ＵＥの位置及びリンク状況に合わせてビームフォーミングして送信効率を高めるようにする。すなわち、ＰＤＳＣＨの送信データストリームは、特定方向にビームを形成するために、プリコーディング（ｐｒｅｃｏｄｉｎｇ）されて多重のアンテナポートを介して送信される。したがって、代表的にＣＲＳとＰＤＳＣＨの送信電力が同一である場合、特定ＵＥにＣＲＳの平均受信電力と比較して当該ＵＥに向かってビームフォーミングされたプリコーディングされた（ｐｒｅｃｏｄｅｄ）ＰＤＳＣＨの受信電力は最大Ｎ倍まで高いことができる。
【０３０９】
現在までＬＴＥ  Ｒｅｌ−１１システムで最大８個の送信アンテナを有する基地局を考慮するが、これは、ＣＲＳ平均受信電力に比べてｐｒｅｃｏｄｅｄ  ＰＤＳＣＨ受信電力が８倍大きいことがあることを意味する。しかし、今後、マッシブＭＩＭＯシステムの導入により、基地局の送信アンテナが１００個以上になる場合に、ＣＲＳとｐｒｅｃｏｄｅｄ  ＰＤＳＣＨの受信電力は１００倍以上の差を表すことができる。結論的に、ｍａｓｓｉｖｅ  ＭＩＭＯシステムの導入により、特定基地局で送信するＣＲＳのカバレッジ領域とＤＭ−ＲＳ基盤ＰＤＳＣＨのカバレッジ領域とが一致しないようになる。
【０３１０】
特に、このような現象は、隣接した２つの基地局の送信アンテナ個数の差が大きいとき、大いに表れることができる。代表的に、６４個の送信アンテナを有するマクロセル（ｍａｃｒｏ  ｃｅｌｌ）と単一送信アンテナを有するマイクロセル（ｍｉｃｒｏ  ｃｅｌｌ）（例えば、ピコセル（ｐｉｃｏ  ｃｅｌｌ））とが隣接している場合を例に挙げることができる。Ｍａｓｓｉｖｅ  ＭＩＭＯの初期配置（ｄｅｐｌｏｙｍｅｎｔ）過程でサービングされる（ｓｅｒｖｅｄ）ＵＥが多いｍａｃｒｏ  ｃｅｌｌから先にアンテナ個数を増やすことと期待しているので、ｍａｃｒｏ  ｃｅｌｌ、ｍｉｃｒｏ  ｃｅｌｌ、そしてｐｉｃｏ  ｃｅｌｌが混在している異種のネットワーク（ｈｅｔｅｒｏｇｅｎｅｏｕｓ  ｎｅｔｗｏｒｋ）の場合、隣接した基地国間に送信アンテナの個数に大きい差が生じるようになる。
【０３１１】
例えば、単一送信アンテナを有するｐｉｃｏ  ｃｅｌｌの場合、ＣＲＳとＰＤＳＣＨとのカバレッジ領域が一致するようになる。しかし、６４個の送信アンテナを有するｍａｃｒｏ  ｃｅｌｌの場合、ＣＲＳのカバレッジ領域よりＰＤＳＣＨのカバレッジ領域がより大きくなる。したがって、ｍａｃｒｏ  ｃｅｌｌとｐｉｃｏ  ｃｅｌｌの境界でＣＲＳの受信品質であるＲＳＲＰまたはＲＳＲＱのみに依存して初期接続及びハンドオーバーを決定するようになると、ＰＤＳＣＨの最大品質を提供する基地局をサービングセル（ｓｅｒｖｉｎｇ  ｃｅｌｌ）として選択できなくなる。これに対する単純な解決策として、Ｎ個の送信アンテナを有する基地局のＰＤＳＣＨ受信電力はＮ倍大きいことと仮定することができるが、基地局がなるべく全ての方向にビームフォーミングすることができない場合を考慮するとき、最適の解決策ではない。
【０３１２】
（ＲＲＭ−ＲＳ）
本特許では、プリコーディングされたＲＳ（ｐｒｅｃｏｄｅｄ  ＲＳ）を送信し、これに対するＲＲＭ測定（ｍｅａｓｕｒｅｍｅｎｔ）を行う方法を提案する。以下、本明細書では、このような目的のｐｒｅｃｏｄｅｄ  ＲＳを「ＲＲＭ−ＲＳ」と呼ぶことにする。ＲＲＭ−ＲＳは、複数個のアンテナポートで構成されており、各アンテナポート別にビームフォーミングを異なるように設定して、各送信ビーム（ｂｅａｍ）別にＵＥがＲＳＲＰを測定できるようにする。一例として、基地局でＭ個の方向へビームフォーミングが可能な場合にＭポート（Ｍ−ｐｏｒｔ）で構成されたＲＲＭ−ＲＳを設定する。
【０３１３】
（ＲＲＭ−ＲＳの周期及び多重化（ｍｕｌｔｉｐｌｅｘｉｎｇ））
Ｍ−ｐｏｒｔ  ＲＲＭ−ＲＳは、同一サブフレームでＣＤＭされるか、またはＦＤＭ／ＴＤＭに区分されて送信されることができる。すなわち、Ｍ−ｐｏｒｔ  ＲＲＭ−ＲＳの各アンテナポート別の送信信号は、同一サブフレームで他の送信ＲＥを使用して送信されるか、または同一ＲＥを使用して送信される場合に、アンテナポート間に直交スクランブリングコード（ｏｒｔｈｏｇｏｎａｌ  ｓｃｒａｍｂｌｉｎｇ  ｃｏｄｅ）を使用して相互間に干渉無しで区分できるようにする。
【０３１４】
これとは異なり、１つのサブフレームで同時に送信可能なＲＲＭ−ＲＳのアンテナポート数をＫに設定し、（Ｍ／Ｋ）個のサブフレームに分けて送信することができる。
【０３１５】
この場合、ＲＲＭ−ＲＳの設定パラメータは、全体アンテナポートの個数Ｍと１つのサブフレームで同時送信されるアンテナポート数Ｋを含む。ＲＲＭ−ＲＳの設定パラメータとしてＲＲＭ−ＲＳ送信周期ＰとオフセットＯとを含む。ここで、ＲＲＭ−ＲＳ送信周期は、ＲＲＭ−ＲＳが送信されるサブフレームの間隔で定義する。一例として、Ｐ＝１０、Ｏ＝５、Ｍ＝６４、Ｋ＝３２である場合に、ＲＲＭ−ＲＳは、サブフレームインデックス（ＳＦＩ：ｓｕｂｆｒａｍｅ  ｉｎｄｅｘ）が５、１５、２５、３５、．．．であるサブフレームで送信され、ＳＦＩ＝５であるサブフレームでアンテナポート０から３１のＲＲＭ−ＲＳが送信され、ＳＦＩ＝１５であるサブフレームでアンテナポート３２から６３のＲＲＭ−ＲＳが送信され、ＳＦＩ＝２５であるサブフレームでアンテナポート０から３１のＲＲＭ−ＲＳが再度送信される。
【０３１６】
これとは異なり、ＲＲＭ−ＲＳ送信周期を同一アンテナポートのＲＳが送信されるサブフレームの間隔で定義し、（Ｍ／Ｋ）個のサブフレームにＲＲＭ−ＲＳのアンテナポートを分けて送信する方式において、（Ｍ／Ｋ）個の連続したサブフレームに分けて送信する。一例として、Ｐ＝２０、Ｏ＝５、Ｍ＝６４、Ｋ＝３２である場合に、ＲＲＭ−ＲＳは、ＳＦＩが５、６、２５、２６、４５、４６、．．．であるサブフレームで送信され、ＳＦＩ＝５であるサブフレームでアンテナポート０から３１のＲＲＭ−ＲＳが送信され、ＳＦＩ＝６であるサブフレームでアンテナポート３２から６３のＲＲＭ−ＲＳが送信され、ＳＦＩ＝２５であるサブフレームでアンテナポート０から３１のＲＲＭ−ＲＳが再度送信される。
【０３１７】
（ＲＳＲＰ測定及び報告）
ＲＲＭ−ＲＳのＲＳＲＰは、アンテナポート別に測定して報告する。ＵＥは、複数個のＲＲＭ−ＲＳを設定されることができる。
【０３１８】
各セルにおいてＲＲＭ−ＲＳを１つずつ送信する場合に、ＵＥは、サービングセル及び隣接セルが送信するＲＲＭ−ＲＳの設定を指定されることができる。１つのセルが複数個のＲＲＭ−ＲＳを送信することもできる。ＵＥは、ＲＲＭ−ＲＳのＲＳＲＰを報告するとき、当該ＲＳＲＰが何番目のＲＲＭ−ＲＳの何番目のアンテナポートのＲＳＲＰ測定結果であるか共に知らせる。
【０３１９】
ＲＲＭ−ＲＳのＲＳＲＰを計算するために、各アンテナポートの受信信号レベルの平均を取るが、平均を取る時間ウィンドウ（ｗｉｎｄｏｗ）を基地局が指定することができるであるか、または予め決められた時間（例えば、２００ｍｓ）の間、ＲＲＭ−ＲＳの各アンテナポート別の受信信号レベルの平均を取ってＲＳＲＰを得るようにする。または、それぞれの時間ウィンドウで得た平均受信パワーを再度フィルターリングして報告するＲＳＲＰを得ることができる。
【０３２０】
複数個のＲＲＭ−ＲＳを設定されたＵＥは、各ＲＲＭ−ＲＳの各アンテナポート別のＲＳＲＰを測定する。ＲＲＭ−ＲＳをＲ個設定され、ｒ番目のＲＲＭ−ＲＳのアンテナポート数がＭ＿ｒである場合に、ｒ番目のＲＲＭ−ＲＳのｍ番目のアンテナポートのＲＳＲＰをＲＳＲＰ（ｒ、ｍ）で定義する。ＵＥは、ＲＳＲＰ（ｒ、ｍ）を整列し、そのうち、強く受信されるＬ個のアンテナポートのＲＳＲＰを選択して報告する。
【０３２１】
上記の方式を若干変形してＵＥは、ＲＳＲＰ（ｒ、ｍ）を整列し、そのうち、最も強く受信されるアンテナポートを選択し、選択されたアンテナポートのＲＳＲＰ、すなわち、ｍａｘ（ＲＳＲＰ（ｒ、ｍ））と対比して所定差内に入るポートのＲＳＲＰに報告を限定させる。すなわち、次のように、ＲＳＲＰ割合（ｒａｔｉｏ）またはｄＢスケール（ｓｃａｌｅ）表現においてＲＳＲＰの差が所定しきい値より高い最大Ｌ個のアンテナポートのＲＳＲＰを報告する。
【０３２２】
【数１３】
0006674954.tif 000023
【０３２３】
他の一例として、ＵＥは、参照（ｒｅｆｅｒｅｎｃｅ）アンテナポートを指定されることができる。参照アンテナポートとして当該ＵＥに設定されたプリコーディングされた（ｐｒｅｃｏｄｅｄ）ＣＳＩ−ＲＳとビーム方向が類似したサービングセルが送信するＲＲＭ−ＲＳのアンテナポートを指定することが好ましい。ＵＥは、ｒ＿０番目のＲＲＭ−ＲＳのｍ＿０番目のアンテナポートを参照アンテナポートとして指定された場合に、参照アンテナポートのＲＳＲＰに比べて他のアンテナポートのＲＳＲＰが所定差内に入る場合に報告する。すなわち、次のように、ＲＳＲＰ割合（ｒａｔｉｏ）またはｄＢスケール（ｓｃａｌｅ）表現でＲＳＲＰの差が所定しきい値を越える場合に報告する。
【０３２４】
【数１４】
0006674954.tif 000024
【０３２５】
図１２は、本発明の一実施形態に係るＲＲＭ−ＲＳのアンテナポート別のＲＳＲＰを例示する。
【０３２６】
図１２では、３２アンテナポートで構成されたＲＲＭ−ＲＳの各アンテナポート別のＲＳＲＰの一例を示している。
【０３２７】
最大ＲＳＲＰを有するアンテナポートと比較して５ｄＢ以内のＲＳＲＰを有するアンテナポートのＲＳＲＰを報告するように設定された場合、図１２のように、アンテナポート１３が最大ＲＳＲＰ  ４０ｄＢを有するので、ＲＳＲＰが３５ｄＢを越えるアンテナポートに対して報告する。すなわち、アンテナポート１３を含んでアンテナポート２４、２５、２６のＲＳＲＰが基地局に報告される。
【０３２８】
（アンテナポートグループ化（Ａｎｔｅｎｎａ  ｐｏｒｔ  ｇｒｏｕｐｉｎｇ））
アンテナポート別にビームフォーミングを異なるように設定できるので、この場合、アンテナポートとビームとは一対一の対応関係を有する。
【０３２９】
したがって、アンテナポートインデックス（ｉ）は、ビームインデックス（ｂｅａｍ  ｉｎｄｅｘ）（ｉ）と一対一にマッピングさせることができる。（ｉ）番目のビームと（ｉ＋１）番目のビームとの方向が互いに隣接するようにビームをインデクシングする場合、前述した図１２の例示でのように、隣接したアンテナポート間のＲＳＲＰは、互いに類似した特徴を見せるようになる。このような類似度は、（ｉ）番目のビームと（ｉ＋ｃ）番目のビームとの間でも表れるが、ｃが大きくなるほど類似度は劣る。いくつの連続した隣接ビーム間で高い類似度が出るかは、ビームの間隔及びビームの幅（ｗｉｄｔｈ）、そして多重−経路（ｍｕｌｔｉｐａｔｈ）の分散（ｓｃａｔｔｅｒｉｎｇ）の程度にしたがって左右される。
【０３３０】
ＲＲＭ−ＲＳに基盤したＲＳＲＰ測定結果を報告された基地局は、当該ＵＥの概略的位置を把握し、当該地点に向かって送信されるプリコーディングされた（ｐｒｅｃｏｄｅｄ）ＣＳＩ−ＲＳ設定をＵＥに知らせて、ＵＥがＣＳＩ−ＲＳを測定してＰＤＳＣＨスケジューリングのためのＣＳＩ（ＲＩ、ＰＭＩ、ＣＱＩ等）をフィードバックできるようにする。また、複数のセルで送信するＲＲＭ−ＲＳに基盤したＲＳＲＰ測定結果を報告された基地局は、ＲＳＲＰ測定結果に基盤して当該ＵＥをどのセルにハンドオーバーさせるか、そしてターゲットセルでどのプリコーディングされた（ｐｒｅｃｏｄｅｄ）ＣＳＩ−ＲＳをＵＥに設定するか決定する。すなわち、ＲＲＭ−ＲＳに基盤したＲＳＲＰ測定結果は、当該ＵＥに今後どのプリコーディングされた（ｐｒｅｃｏｄｅｄ）ＣＳＩ−ＲＳを設定するかを判断するのに必要な重要情報を基地局に提供する。
【０３３１】
前述した図１２の例示のようなＲＳＲＰ測定結果に基づいて当該ＵＥに最大４個のデータストリーム送信が可能なようにするか、またはフェーディング（ｆａｄｉｎｇ）の変化に合わせて早く最上のビームスイッチング（ｂｅｓｔ  ｂｅａｍ  ｓｗｉｔｃｈｉｎｇ）をするために、４−ポートＣＳＩ−ＲＳを設定する場合に、ＲＳＲＰが最も大きいＲＲＭ−ＲＳポート１３、２４、２５、２６のビーム方向と同じ４−ポートＣＳＩ−ＲＳを生成して設定することが最適であることと予想される。しかし、ＣＳＩ−ＲＳがＵＥ別に最適化して生成し送信するには、オーバーヘッド（ｏｖｅｒｈｅａｄ）があまり大きい。したがって、同一環境にある多くのＵＥがＣＳＩ−ＲＳを共有することがＣＳＩ−ＲＳ送信オーバーヘッドを減らすことができる方法である。このような目的を達成するために、１つのＣＳＩ−ＲＳ設定内のＣＳＩ−ＲＳアンテナポートのプリコーディングは、隣接方向に送信されるビームの特徴を表すようにプリコーディングされなければならない。すなわち、他のサービングされるＵＥ（ｓｅｒｖｅｄ  ＵＥ）を考慮して、予めＲＲＭ−ＲＳポート１２、１３、１４、１５のビーム方向と同じ４−ポートＣＳＩ−ＲＳ１とＲＲＭ−ＲＳポート２４、２５、２６、２７のビーム方向と同じ４−ポートＣＳＩ−ＲＳ２とが予め設定されている場合に、当該ＵＥにどのＣＳＩ−ＲＳを設定することが良いかをＲＲＭ−ＲＳのＲＳＲＰ報告を介して判断できなければならない。
【０３３２】
本発明のさらに他の実施形態として、アンテナポートグループ（ａｎｔｅｎｎａ  ｐｏｒｔ  ｇｒｏｕｐ）に対してＲＳＲＰを測定報告する。提案方式においてアンテナポートをグループ化し、グループに属するアンテナポートのＲＳＲＰを平均して当該アンテナポートグループのＲＳＲＰを得るようにする。グループは、予め決められているか、または基地局が決めて知らせることができる。または、ＵＥがグループ化方式を決め、これを報告することができる。
【０３３３】
前述した図１２の例示のように、３２−ポートで構成されたＲＲＭ−ＲＳの場合に、４ポートずつグループ化されることができる。各グループ間に分離（ｄｉｓｊｏｉｎｔ）して８（＝３２／４）個のグループにグループ化されることができる。この場合、（ｉ）番目のポートグループは、ＲＲＭ−ＲＳポート（４ｉ）、（４ｉ＋１）、（４ｉ＋２）、（４ｉ＋３）で構成される。（ｉ）番目のポートグループのＲＳＲＰは、アンテナポート（４ｉ）、（４ｉ＋１）、（４ｉ＋２）、そして（４ｉ＋３）のＲＳＲＰの平均で定義する。
【０３３４】
さらに他の実施形態として、グループ間の重ね合わせを許容してグループ化することができる。３２−ポートで構成されたＲＲＭ−ＲＳを４ポートずつグループ化する場合に、１５個のグループにグループ化する。この場合、（ｉ）番目のポートグループは、ＲＲＭ−ＲＳポート（２ｉ）、（２ｉ＋１）、（２ｉ＋２）、（２ｉ＋３）で構成される。提案方式を一般化してＡ個のポートずつグループ化し、隣接グループ間のポート間隔をＢに設定すれば、（ｉ）番目のポートグループは、ＲＲＭ−ＲＳポート（Ｂ＊ｉ）、（Ｂ＊ｉ＋１）、．．．、（Ｂ＊ｉ＋Ａ−１）で構成される。パラメータＡとＢの設定は、基地局がＵＥに指定するか、またはＵＥがチャネル環境及びＵＥ能力（ｃａｐａｂｉｌｉｔｙ）を考慮して選定して報告することができる。
【０３３５】
提案方式の変形によってＵＥは、報告するアンテナポートグループを選択する方式でＲＳＲＰより当該アンテナポートグループとして得ることができる能力（ｃａｐａｂｉｌｉｔｙ）を考慮できる。この場合、ＵＥは、アンテナポートグループ内の複数のアンテナから多重−階層（ｍｕｌｔｉ−ｌａｙｅｒ）データ送信を考慮して能力を計算する。
【０３３６】
（アンテナポートグループ化レベル（Ａｎｔｅｎｎａ  ｐｏｒｔ  ｇｒｏｕｐｉｎｇ  ｌｅｖｅｌ））
提案方式において大きさが異なる複数個のグループ化方法を使用できる。すなわち、Ａ１ポートずつグループ化する方法とＡ２ポートずつグループ化する方法とを同時に使用することができる。以下、Ａ＿ｉポートずつグループ化する方法をグループ化レベル（ｇｒｏｕｐｉｎｇ  ｌｅｖｅｌ）ｉと呼ぶことにする。
【０３３７】
図１３は、本発明の一実施形態に係るＲＲＭ−ＲＳアンテナポートグループ化レベルを例示する。
【０３３８】
図１３では、１６ポートＲＲＭ−ＲＳを４ステップのグループ化レベルを適用してグループ化する方式の一例を見せている。例示においてグループ化レベル１は、１ポートずつグループ化する方法でグループ化しない方式を表す。そして、グループ化レベル２、３、４は、各々２ポート、４ポート、８ポートずつグループ化している。絵の例示では、同一レベルのアンテナポートグループが分離（ｄｉｓｊｏｉｎｔ）して設定された場合を表している。
【０３３９】
このような多重グループ化方式においてＵＥは、グループ化レベル別にＲＳＲＰを報告する。すなわち、各グループ化レベル別にＲＳＲＰが高いアンテナグループを選択して報告する。または、レベルが異なるアンテナグループ間にＲＳＲＰを比較して最上の（ｂｅｓｔ）グループとグループレベルを報告できる。レベルｌが他のアンテナグループ間のＲＳＲＰを比較するために、各レベルのグループＲＳＲＰに所定オフセットの分だけ補正し比較する。ＲＲＭ−ＲＳをＲ個設定された場合、（ｒ）番目のＲＲＭ−ＲＳの（ｌ）番目のグループ化レベルの（ｇ）番目のアンテナポートグループのＲＳＲＰをＧＲＳＲＰ（ｒ、ｌ、ｇ）で定義すれば、次のように、基地局から（ｒ）番目のＲＲＭ−ＲＳの（ｌ）番目のグループ化レベルのために指定されたｏｆｆｓｅｔ（ｒ、ｌ）の分だけを補正してＡｄｊ＿ＧＲＳＲＰ（ｒ、ｌ、ｇ）を計算し、これを比較する。
【０３４０】
【数１５】
0006674954.tif 000025
【０３４１】
さらに、グループ化レベル別に、または全体グループ化方式において最上の（ｂｅｓｔ）Ｌ個のポートグループＲＳＲＰを報告する方式で報告される最上の（ｂｅｓｔ）Ｌに対する頻繁な変動を減らすために、ヒステリシスパラメータ（Ｈｙｓｔｅｒｅｓｉｓ  ｐａｒａｍｅｔｅｒ）、Ｈｙを追加してＲＳＲＰを補正できる。
【０３４２】
【数１６】
0006674954.tif 000026
【０３４３】
ここで、Ｈｙは、当該ポートグループが移転報告で最上の（ｂｅｓｔ）Ｌ  ＧＲＳＲＰに含まれるか否かによってＨｙを足すか引くかが決定される。当該ポートグループが以前の報告で最上の（ｂｅｓｔ）Ｌ  ＧＲＳＲＰに含まれている場合、Ｈｙを足して高いＡｄｊ＿ＲＳＲＰを有するようにバイアスを与えて最上の（ｂｅｓｔ）Ｌ  Ａｄｊ＿ＧＲＳＲＰを有するポートグループが頻繁に変わることを減らすようにする。
【０３４４】
提案方式においてＵＥは、参照（ｒｅｆｅｒｅｎｃｅ）アンテナポートグループを指定されることができる。基地局は、当該ＵＥに設定されたプリコーディングされた（ｐｒｅｃｏｄｅｄ）ＣＳＩ−ＲＳとビーム方向とが同じサービングセルが送信するＲＲＭ−ＲＳのアンテナポートグループを参照アンテナポートグループに指定することが好ましい。ＵＥは、グループ化レベル別に参照アンテナポートグループを指定されることができる。または、全体グループ化レベルにおいて１つの参照アンテナポートグループを指定されることができる。ＵＥは、ｒ＿０番目のＲＲＭ−ＲＳのｌ＿０番目のグループ化レベルのｍ＿０番目のアンテナポートグループを参照アンテナポートグループに指定された場合に、参照アンテナポートグループのＡｄｊ＿ＧＲＳＲＰに比べて他のアンテナポートグループのＡｄｊ＿ＧＲＳＲＰが所定しきい値を越える場合に報告する。すなわち、次のように、Ａｄｊ＿ＧＲＳＲＰ割合（ｒａｔｉｏ）またはｄＢスケール（ｓｃａｌｅ）表現でＲＳＲＰの差が所定しきい値を越える場合に報告する。
【０３４５】
【数１７】
0006674954.tif 000027
【０３４６】
または、提案方式の変形によって参照ＲＳＲＰを現在設定されているＣＳＩ−ＲＳを介して特定し、ＣＳＩ−ＲＳ基盤ＲＳＲＰに比べてＲＲＭ−ＲＳ基盤ＲＳＲＰ結果を比較して選択報告する。
【０３４７】
（３次元（３Ｄ：３−Ｄｉｍｅｎｓｉｏｎ）のためのＲＲＭ−ＲＳ）
前述した本発明において提案する方式は、ビーム（ｂｅａｍ）の方向性が２次元空間から３次元空間へ拡張される場合にも変形して適用可能である。３次元空間上でビームの方向性は、上下角（垂直角）と左右角（水平角）との２つの角度によって調節される。したがって、隣接ビーム可否を把握するために、ビームを２つのインデックス、すなわち、水平インデックスと垂直インデックスとでインデックスすることが効率的である。本発明の特徴によってビームインデックスとＲＲＭ−ＲＳポートインデックスとが一対一の対応関係を有するために、ＲＲＭ−ＲＳポートも水平インデックスと垂直インデックスとでインデクシングされることが好ましい。
【０３４８】
垂直方向にＭ＿ｖ個のビームを有し、水平方向にＭ＿ｈ個のビームを有する３Ｄ  ＭＩＭＯシステムの場合、全体（Ｍ＿ｖ×Ｍ＿ｈ）個のビームが可能である。本発明では、（Ｍ＿ｖ×Ｍ＿ｈ）−ポートＲＲＭ−ＲＳを設定し、各アンテナポートに水平インデックスｊ＿ｈ（ｊ＿ｈ＝０、．．．、Ｍ＿ｈ−１）と垂直インデックスｊ＿ｖ（ｊ＿ｖ＝０、．．．、Ｍ＿ｖ−１）とを与える。（Ｍ＿ｖ×Ｍ＿ｈ）−ポートＲＲＭ−ＲＳの資源マッピングを考慮して、各アンテナポートは、１次元インデックスｉ（ｉ＝０、．．．、Ｍ＿ｖ×Ｍ＿ｈ−１）と２次元インデックスｊ＿ｈとｊ＿ｖを与えられるようになるが、（ｉ）＝ｆ（ｊ＿ｈ、ｊ＿ｖ）の関係を有するようになる。
【０３４９】
図１４は、本発明の一実施形態に係る２次元インデックスで配列されたＲＲＭ−ＲＳのアンテナポートとアンテナポートグループとを例示する図である。
【０３５０】
図１４に示すように、各アンテナポートは、（ｊ＿ｈ、ｊ＿ｖ）でインデクシングされている。本発明において提案する方式を適用してＡ＿ｈ×Ａ＿ｖ個のポートずつグループ化し、隣接グループ間のポート間隔をＢ＿ｈとＢ＿ｖに設定すれば、（ｉ＿ｈ、ｉ＿ｖ）番目のポートグループは、ＲＲＭ−ＲＳ  ｐｏｒｔ（Ｂ＿ｈ×ｉ＿ｈ＋ｊ＿ｈ、Ｂ＿ｖ×ｉ＿ｖ＋ｊ＿ｖ）、（ｊ＿ｈ＝０、．．．、Ａ＿ｈ−１）、（ｊ＿ｖ＝０、．．．、Ａ＿ｖ−１）で構成される。パラメータＡ＿ｈ、Ａ＿ｖとＢ＿ｈ、Ｂ＿ｖの設定は、基地局がＵＥに指定するか、またはＵＥがチャネル環境及びＵＥ能力（ｃａｐａｂｉｌｉｔｙ）を考慮して選定して報告することができる。
【０３５１】
（ＲＲＭ−ＲＳとＣＳＩ−ＲＳとの差異点）
既存のＬＴＥ／ＬＴＥ−Ａシステムでは、ＣＳＩ報告の目的でＣＳＩ−ＲＳを送信する。ＵＥは、ＣＳＩとしてＲＩ、ＰＭＩ、ＣＱＩなどを報告する。これとは異なり、本発明において提案するＲＲＭ−ＲＳは、アンテナポート別にＲＳＲＰを測定するために使用される。ＲＲＭ−ＲＳの送信資源を新しく定義するよりは、既存のＣＳＩ−ＲＳが設定可能な資源を使用することが好ましい。これは、レガシ（ｌｅｇａｃｙ）ＵＥ等の送信効率を落とさないためである。新しい資源にＲＲＭ−ＲＳを送信する場合、レガシ（ｌｅｇａｃｙ）ＵＥは、これを認識できないので、ＲＲＭ−ＲＳが送信されるサブフレームで送信効率が落ちるか、またはスケジューリングできなくなる。したがって、既存のＣＳＩ−ＲＳが設定可能な資源を使用してＲＲＭ−ＲＳを送信する方式は、レガシ（ｌｅｇａｃｙ）ＵＥに当該資源を含んでＣＳＩ−ＲＳ設定し、当該資源にデータマッピングされないことを知らせることができる。
【０３５２】
ＵＥにＣＳＩ報告のために設定された複数個のＣＳＩ−ＲＳには、データマッピングがなされない。すなわち、ＣＳＩ−ＲＳがマッピングされるＲＥを除いてＰＤＳＣＨをマッピングする。本発明の提案方式においてＲＲＭ−ＲＳは、ＣＳＩ−ＲＳと同様に、ＲＲＭ−ＲＳがマッピングされるＲＥを除いてＰＤＳＣＨをマッピングすることができる。しかし、変形された方式でＲＲＭ−ＲＳと関係なくＰＤＳＣＨをマッピングすることができる。この場合、ＵＥは、同一ＲＥでＲＲＭ−ＲＳとＰＤＳＣＨとを同時に受信できなければならない。または、基地局がＲＲＭ−ＲＳの安全な受信を保障するために、当該資源をＺＰ−ＣＳＩ−ＲＳに設定してＰＤＳＣＨがマッピングされないようにすることができる。
【０３５３】
（ＲＲＭ−ＲＳのＱＣＬ設定）
各セルにおいてＲＲＭ−ＲＳを送信する場合に、ＵＥは、サービングセル及び隣接セルが送信するＲＲＭ−ＲＳの設定を指定されることができる。これを介してＵＥは、サービングセルのビームフォーミング（ｂｅａｍｆｏｒｍｉｎｇ）による利得及び隣接セルのビームフォーミングによる利得を測定してネットワークに報告し、ハンドオーバーの判断基準として活用する。ＲＲＭ−ＲＳは、送信密度（ｄｅｎｓｉｔｙ）が非常に低く設定されるので、信号のトラッキング（ｔｒａｃｋｉｎｇ）目的として足りないことがある。したがって、密度（ｄｅｎｓｉｔｙ）が高くて信頼（ｒｅｌｉａｂｌｅ）できるように受信される信号、代表的にＣＲＳをトラッキング（ｔｒａｃｋｉｎｇ）し、ＲＲＭ−ＲＳを検出するのにトラッキング（ｔｒａｃｋｉｎｇ）結果を活用する。すなわち、サービングセルと隣接セルとの搬送波周波数を発生するオシレーターの誤差によってサービングセルのＣＲＳによりトラッキング（ｔｒａｃｋｉｎｇ）された結果を隣接セルで送信されたＲＲＭ−ＲＳのために使用するには適していない。したがって、それぞれのＲＲＭ−ＲＳ別にＲＲＭ−ＲＳを検出するときに使用するＱＣＬ（Ｑｕａｓｉ  ｃｏ−Ｌｏｃａｔｅｄ）されたＣＲＳ（あるいは、ＣＳＩ−ＲＳ等、特定の他のＲＳ）を知らせるようにする。ＵＥは、ＱＣＬされたＣＲＳ（あるいは、ＣＳＩ−ＲＳ等、特定の他のＲＳ）から推定されたチャネルの広範囲（ｌａｒｇｅ−ｓｃａｌｅ）特性をＲＲＭ−ＲＳの検出に使用する。ここで、チャネルの広範囲（ｌａｒｇｅ−ｓｃａｌｅ）特性は、遅延拡散（Ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、そして平均遅延（ａｖｅｒａｇｅ  ｄｅｌａｙ）のうち、１つ以上を含むことができる。
【０３５４】
（ＲＳＲＱに拡張）
本発明の提案方式は、ＲＲＭ−ＲＳの各アンテナポート別にＲＳＲＱを測定する方式に拡張適用されることができる。ＲＳＲＱは、ＲＳＲＰとＲＳＳＩとの割合で定義される。したがって、さらにＲＳＳＩの測定が追加される。ＲＳＳＩの測定資源は、同一搬送波周波数を有する、すなわち、同一コンポーネントキャリア（ｃｏｍｐｏｎｅｎｔ  ｃａｒｒｉｅｒ）に設定された全てのＲＲＭ−ＲＳにおいて同様に設定されることができる。この場合、同一コンポーネントキャリア内のＲＲＭ−ＲＳのポート間の比較は、ＲＳＲＰを使用しても、ＲＳＲＱを使用しても同様である。しかし、異種同一コンポーネントキャリア内のＲＲＭ−ＲＳのポート間の比較は、ＲＳＲＰを使用するか、ＲＳＲＱを使用するかによって変わる。したがって、基地局は、ＵＥにＲＲＭ−ＲＳに基盤したＲＲＭ報告を行うにあって、ＲＳＲＰを使用するか、ＲＳＲＱを使用するかを指定する。
【０３５５】
これとは異なり、それぞれのＲＲＭ−ＲＳが個別的にＲＳＳＩ測定資源を別に設定することができる。この場合には、同一コンポーネントキャリア内でもＲＲＭ−ＲＳのポート間の比較は、ＲＳＲＰを使用するか、ＲＳＲＱを使用するかによって変わる。したがって、基地局は、ＵＥにＲＲＭ−ＲＳに基盤したＲＲＭ報告を行うにあって、ＲＳＲＰを使用するか、ＲＳＲＱを使用するかを指定する。
【０３５６】
（ＲＲＭ−ＲＳ  ＲＳＲＰとＣＲＳ  ＲＳＲＰとの連関性）
本発明のＲＲＭ−ＲＳに基盤したＲＳＲＰは、多重アンテナを有している基地局のビームフォーミング利得をサービングセル選択に反映することを目的としている。ＲＲＭ−ＲＳのＲＳＲＰに基づいて特定隣接セルのビームフォーミングが最も良いと判断されても、当該セルでブロードキャストするチャネル、すなわち、ＣＲＳ基盤復調（ｄｅｍｏｄｕｌａｔｉｏｎ）をするチャネルが安定的に受信されないと、当該隣接セルにＵＥをハンドオーバーさせることができない。したがって、ＵＥに特定基地局で送信するＲＲＭ−ＲＭとＣＲＳとが共に良い品質を有するか報告され、これに基づいてハンドオーバー決定及びビーム選択（ｂｅａｍ  ｓｅｌｅｃｔｉｏｎ）を行わなければならない。このために、ＵＥは、設定されたｉ番目のＲＲＭ−ＲＳのｊ番目のアンテナポートまたはポートグループのＲＳＲＰを報告しながら、ｉ番目のＲＲＭ−ＲＳと連結されたＣＲＳのＲＳＲＰを共に報告する。ここで、ＲＲＭ−ＲＳと連結されたＣＲＳは、ＲＲＭ−ＲＳとＱＣＬされたＣＲＳでありうる。
【０３５７】
以下、本明細書において提案する遅延（ｌａｔｅｎｃｙ）を減らすための端末のＣＳＩ測定及び報告動作方法について説明する。
【０３５８】
本明細書において提案する方法は、３Ｄ−ＭＩＭＯ、ｍａｓｓｉｖｅ  ＭＩＭＯなどのシステムだけでなく、ａｍｏｒｐｈｏｕｓ  ｃｅｌｌ（非晶質セル）環境などでも拡張されて適用可能でありうることはもちろんである。
【０３５９】
まず、３Ｄ−ＭＩＭＯシステムについて簡略に説明する。
【０３６０】
３Ｄ−ＭＩＭＯシステムは、ＬＴＥ標準（Ｒｅｌ−１２）を基盤として、前述した図１１のようなｓｉｎｇｌｅ−ｃｅｌｌ  ２Ｄ−ＡＡＳ（Ａｄａｐｔｉｖｅ  Ａｎｔｅｎｎａ  Ｓｙｓｔｅｍ）基地局に適した最適の送信方式のうちの１つであり、次のような動作を考慮できる。
【０３６１】
図１１に示されたように、８−ｂｙ−８（８×８）のａｎｔｅｎｎａ  ａｒｒａｙからＣＳＩ−ＲＳ  ｐｏｒｔｓを構成する例を挙げて説明すれば、縦に各々８個のアンテナに対しては、特定ｔａｒｇｅｔ  ＵＥに最適化された「ＵＥ−ｄｅｄｉｃａｔｅｄ  ｂｅａｍ  ｃｏｅｆｆｉｃｉｅｎｔｓ」を適用したｐｒｅｃｏｄｅｄ  ＣＳＩ−ＲＳ  ｐｏｒｔを１つずつ構成することにより、横に総８−ｐｏｒｔ（ｖｅｒｔｉｃａｌｌｙ  ｐｒｅｃｏｄｅｄ）ＣＳＩ−ＲＳを設定／送信する。
【０３６２】
これにより、端末は、従来のような８−ｐｏｒｔに対するＣＳＩ  ｆｅｅｄｂａｃｋを行うことができるようになる。
【０３６３】
つまり、基地局は、個別端末（または、特定端末グループ）に最適化された垂直方向ｂｅａｍ  ｇａｉｎが既に適用された（ｐｒｅｃｏｄｅｄ）ＣＳＩ−ＲＳ  ８ｐｏｒｔｓを端末に送信する。
【０３６４】
したがって、前記端末は、無線チャネルを経たＣＳＩ−ＲＳを測定（ｍｅａｓｕｒｅ）するため、前記端末は、従来の水平方向コードブックによる同じフィードバック方式を行っても、前記（ｖｅｒｔｉｃａｌｌｙ  ｐｒｅｃｏｄｅｄ）ＣＳＩ−ＲＳに対するＣＳＩ測定及び報告（ｍｅａｓｕｒｅｍｅｎｔ  ａｎｄ  ｒｅｐｏｒｔｉｎｇ）動作を介して既に無線チャネルの垂直方向のｂｅａｍ  ｇａｉｎ効果を得ることができるようになる。
【０３６５】
このとき、個別端末に最適化された垂直方向のビームを決定するための方法として、（１）（ｖｅｒｔｉｃａｌｌｙ  ｐｒｅｃｏｄｅｄ）ｓｍａｌｌ−ｃｅｌｌ  ｄｉｓｃｏｖｅｒｙ  ＲＳ（ＤＲＳ）によるＲＲＭ  ｒｅｐｏｒｔ結果を利用する方法、（２）端末のｓｏｕｎｄｉｎｇ  ＲＳ（ＳＲＳ）を基地局が最適の受信ビーム方向に受信し、当該受信ビーム方向をチャネル相互関係（ｃｈａｎｎｅｌ  ｒｅｃｉｐｒｏｃｉｔｙ）によりＤＬ最適ビーム方向に変換して適用する方法などがある。
【０３６６】
仮に、基地局が端末の移動性により、前記ＵＥ−ｄｅｄｉｃａｔｅｄ  ｂｅｓｔ  Ｖ−ｂｅａｍ方向が変わったと判断する場合、従来の動作によれば、基地局は、ＣＳＩ−ＲＳ及び関連ＣＳＩ  ｐｒｏｃｅｓｓなどと関連したＲＲＣ設定を全て再構成（ｒｅ−ｃｏｎｆｉｇｕｒｅ）した。
【０３６７】
このように、ＲＲＣ再構成（ｒｅｃｏｎｆｉｇｕｒａｔｉｏｎ）過程を行うべき場合、ＲＲＣレベルの遅延（ｌａｔｅｎｃｙ）（ｅ．ｇ．、数十〜数百ｍｓ単位）発生は不回避である。
【０３６８】
すなわち、ネットワーク次元では、事前にターゲットＶ−ｂｅａｍ方向を例えば、４個に分割しておき、それぞれのＶ−方向にｐｒｅｃｏｄｉｎｇがかかった別の８ｐｏｒｔ  ＣＳＩ−ＲＳを当該別の送信資源位置で送信するようになる。
【０３６９】
また、各ＵＥは、８ｐｏｒｔ  ＣＳＩ−ＲＳのうち、特定の１つのＣＳＩ−ＲＳ設定に対するＣＳＩ測定及び報告（ｍｅａｓｕｒｅｍｅｎｔ  ａｎｄ  ｒｅｐｏｒｔｉｎｇ）をしなければならないので、ターゲットＶ−方向が変わるときには、変更されるＣＳＩ−ＲＳ設定でネットワークとＲＲＣ  ｒｅｃｏｎｆｉｇｕｒａｔｉｏｎ手順を行うしかないようになる。
【０３７０】
したがって、以下では、本明細書において提案するＲＲＣレベルの遅延（ｌａｔｅｎｃｙ）をなくすか、または大幅減らすためのＣＳＩ測定及び報告（ｍｅａｓｕｒｅｍｅｎｔ  ａｎｄ  ｒｅｐｏｒｔｉｎｇ）方法について具体的に説明する。
【０３７１】
すなわち、本明細書において提案する方法は、ＵＥに単一ＣＳＩ  ｐｒｏｃｅｓｓと単一上向きリンク（ＵＬ）フィードバック資源のみを割り当てておき、ｍｅａｓｕｒｅ対象になるＣＳＩ−ＲＳ  ｉｎｄｅｘ（そして／または、ＣＳＩ−ＩＭ  ｉｎｄｅｘ）が何であるかをＲＲＣレベルでない、ＭＡＣレベル（または、ＰＨＹレベル）で指示する方法に関するものである。
【０３７２】
ＭＡＣレベル指示は、ＭＡＣ  ＣＥを用いることができ、ＰＨＹレベル指示は、ＤＣＩを用いることができる。
【０３７３】
すなわち、本明細書において提案する方法は、基地局（または、ネットワーク）がＲＲＣ  ｓｉｇｎａｌｉｎｇを用いて複数の候補ＣＳＩ−ＲＳに対するＣＳＩ−ＲＳ設定を端末に設定し、複数の候補ＣＳＩ−ＲＳのうち、ＣＳＩ−ＲＳ測定及び報告を行う少なくとも１つのＣＳＩ−ＲＳに対して端末に「活性化」指示を明示的または暗示的に知らせる。
【０３７４】
例えば、ＣＳＩ−ＲＳ１が活性化された状態であったとき、ＣＳＩ−ＲＳ１からＣＳＩ−ＲＳ２に移すかが考慮される状況である場合、基地局は、実際にＣＳＩ−ＲＳ２に移すというｒｅ−ａｃｔｉｖａｔｅ命令を指示する前に、端末に予めＣＳＩ−ＲＳ２に対するトラッキング（ｔｒａｃｋｉｎｇ）をしていることができるように、事前活性化（ｐｒｅ−ａｃｔｉｖａｔｅ）を先に指示することができる。
【０３７５】
ここで、前記ＣＳＩ−ＲＳに対するトラッキング（ｔｒａｃｋｉｎｇ）は、端末がＣＳＩ−ＲＳを測定できるように、ＣＳＩ−ＲＳに対して時間及び／又は周波数同期を合わせる動作を意味できる。
【０３７６】
すなわち、事前−活性化（ｐｒｅ−ａｃｔｉｖａｔｅ）されたＣＳＩ−ＲＳ  ｘは、（特定タイマー時間以内で）実際に活性化されることができるか、または活性化されないこともある。
【０３７７】
ここで、前記端末は、基地局からＣＳＩ−ＲＳ  ｘの活性化を指示する活性化メッセージを基地局から受信した後、特定ｙ  ｍｓ以後に正常なＣＳＩ  ｒｅｐｏｒｔｉｎｇを前記基地局にフィードバック（ｆｅｅｄｂａｃｋ）することができる。
【０３７８】
ここで、正常なＣＳＩ  ｒｅｐｏｒｔｉｎｇをフィードバックするという意味は、端末が基地局に意味のあるＣＳＩ  ｆｅｅｄｂａｃｋを行うことと解釈されることができる。
【０３７９】
前記ＣＳＩ  ｆｅｅｄｂａｃｋは、測定されるサンプルの数によって意味のあるものであるか、それとも、意味のないものであるか判断されることができる。
【０３８０】
（能力（ｃａｐａｂｉｌｉｔｙ）情報送信）
より具体的に、本明細書においては、まず、端末が特定能力シグナリング（ｃａｐａｂｉｌｉｔｙ  ｓｉｇｎａｌｉｎｇ）を基地局に送信することにより、事前に（例：初期接続時）前記基地局に自分のＣＳＩ動作関連能力（ｃａｐａｂｉｌｉｔｙ）情報を知らせる。
【０３８１】
前記ＣＳＩ動作関連端末の能力情報は、下記の情報のうち、少なくとも１つを含むことができる。
【０３８２】
ここで、ＣＳＩ関連動作は、ＣＳＩ−ＲＳ、ＣＳＩ−ＩＭ、及び／又はＣＳＩ  ｐｒｏｃｅｓｓと関連した動作を意味できる。
【０３８３】
「Ａ及び／又はＢ」の記載は、「ＡまたはＢのうち、少なくとも１つ」に解釈されることができる。
【０３８４】
（１．最大いくつまでのＣＳＩ−ＲＳ（Ｎｃ個）、ＣＳＩ−ＩＭ（Ｉｎｔｅｒｆｅｒｅｎｃｅ  Ｍｅａｓｕｒｅｍｅｎｔ）（Ｎｉ個）、及び／又はＣＳＩ  ｐｒｏｃｅｓｓ（Ｎｐ個）が同時に「完全活性化（ｆｕｌｌ  ａｃｔｉｖａｔｉｏｎ）」されることができるかに対する能力情報）
【０３８５】
ここで、「ｆｕｌｌ  ａｃｔｉｖａｔｉｏｎ（ｃｏｎｆｉｇｕｒａｔｉｏｎ）」に表現した理由は、例えば、Ｎｃ＝３、Ｎｉ＝３、Ｎｐ＝４である端末の場合には、実際、基地局が総Ｎｃ＝３  ＣＳＩ−ＲＳｓ、Ｎｉ＝３  ＣＳＩ−ＩＭｓ、Ｎｐ＝４  ＣＳＩ  ｐｒｏｃｅｓｓｅｓを全て同時に設定可能であるという意味であり、この場合、従来のＲｅｌ−１１標準でのＣｏＭＰ動作が全て支援可能である。
【０３８６】
すなわち、端末は、Ｎｃ＝３  ＣＳＩ−ＲＳｓを全てｃｈａｎｎｅｌ  ｍｅａｓｕｒｅｍｅｎｔしなければならず、Ｎｉ＝３  ＣＳＩ−ＩＭｓを全て干渉測定（ｉｎｔｅｒｆｅｒｅｎｃｅ  ｍｅａｓｕｒｅｍｅｎｔ：ＩＭ）しなければならず、Ｎｐ＝４  ＣＳＩ  ｐｒｏｃｅｓｓｅｓに対するＣＳＩ  ｆｅｅｄｂａｃｋを全て行わなければならないことを意味する。
【０３８７】
（２．最大いくつまでのＣＳＩ−ＲＳ（Ｎｃ´個）、ＣＳＩ−ＩＭ（Ｎｉ´個）、及び／又はＣＳＩ  ｐｒｏｃｅｓｓ（Ｎｐ´個）が同時に「一部活性化（ｐａｒｔｉａｌ  ａｃｔｉｖａｔｉｏｎ）」されることができるかに対する能力情報）
【０３８８】
ここで、「一部活性化（ｐａｒｔｉａｌ  ａｃｔｉｖａｔｉｏｎ）」に表現した理由は、前記「ｆｕｌｌ  ａｃｔｉｖａｔｉｏｎ」時に端末が行える動作中に特定一部動作（ｅ．ｇ．、ＣＳＩ−ＲＳ  ｔｒａｃｋｉｎｇ）のみに限定されるか、または別の追加動作が含まれることもできる。
【０３８９】
例えば、特定端末は、前記１．でのパラメータは、Ｎｃ＝１、Ｎｉ＝１、Ｎｐ＝１であるとともに、２．でのパラメータは、Ｎｃ´＝３、Ｎｉ´＝１、Ｎｐ´＝１でありうる。
【０３９０】
すなわち、Ｎｃ＝１であり、Ｎｃ´＝３であるという相違のみを有している。
【０３９１】
この意味は、前記特定端末は、Ｎｃ´＝３個の一部活性化（ｐａｒｔｉａｌ  ａｃｔｉｖａｔｉｏｎ）されたＣＳＩ−ＲＳに対しては、ｔｉｍｅ／ｆｒｅｑｕｅｎｃｙ  ｓｙｎｃｈｒｏｎｉｚａｔｉｏｎ／ｔｒａｃｋｉｎｇを維持しており、この中で特定Ｎｃ＝１個の「完全活性化（ｆｕｌｌ  ａｃｔｉｖａｔｉｏｎ）」されるＣＳＩ−ＲＳを指定され得るという意味に解釈されることができる。
【０３９２】
このようなＮｃ＝１個のＣＳＩ−ＲＳを指定され得る代表的な方法として、（１）ＭＡＣ  ＣＥ  ｃｏｍｍａｎｄ等を介してＭＡＣ  ｌａｙｅｒで指示を受けることができる方法、（２）ＤＣＩ  ｓｉｇｎａｌｉｎｇを介してＰＨＹ  ｌａｙｅｒでよりｄｙｎａｍｉｃ  ｉｎｄｉｃａｔｉｏｎを受けることができる方法などがありうる。
【０３９３】
このような方法を介して、端末は、単一Ｎｐ＝Ｎｐ´＝１個のＣＳＩ  ｐｒｏｃｅｓｓに対する（特定ＣＣで）単一ＣＳＩ  ｆｅｅｄｂａｃｋのみ行えばよいので、ＣＳＩ  ｆｅｅｄｂａｃｋに対する複雑度及びオーバヘッドは、常に同様に維持されることができる。
【０３９４】
そして、本明細書において提案する方法を介して端末が測定しなければならないＣＳＩ−ＲＳ  ｉｎｄｅｘのみをＭＡＣ  ｌａｙｅｒまたはＰＨＹ  ｌａｙｅｒのｓｉｇｎａｌｉｎｇを介して動的にスイッチング（ｄｙｎａｍｉｃ  ｓｗｉｔｃｈｉｎｇ）することができるという長所がある。
【０３９５】
すなわち、本明細書は、ＲＲＣ  ｓｉｇｎａｌｉｎｇによる、すなわち、ＣＳＩ−ＲＳ  ｒｅｃｏｎｆｉｇｕｒａｔｉｏｎ  ｌａｔｅｎｃｙより小さいｌａｔｅｎｃｙを有するｓｉｇｎａｌｉｎｇを介してｍｅａｓｕｒｅ対象になる資源のみをｓｗｉｔｃｈｉｎｇする方法を提供する。
【０３９６】
本明細書では、説明の都合のために、ＣＳＩ−ＲＳを中心として説明するが、本明細書において提案する方法は、ＣＳＩ−ＩＭ  ｉｎｄｅｘ（または、ＣＳＩ  ｐｒｏｃｅｓｓ  ｉｎｄｅｘ）をｄｙｎａｍｉｃ  ｓｗｉｔｃｈｉｎｇするのにも同様に拡張適用できることは自明である。
【０３９７】
さらに、前記の１．及び２．においてパラメータ間にＮｃ＜＝Ｎｃ´、Ｎｉ＜＝Ｎｉ´、及び／又はＮｐ＜＝Ｎｐ´形態で追加的な制限もありうる。
【０３９８】
この場合、端末は、このような条件を満たす限度内で、前記能力シグナリング（ｃａｐａｂｉｌｉｔｙ  ｓｉｇｎａｌｉｎｇ）を送信しなければならない。
【０３９９】
基地局が前記ＣＳＩ動作関連端末の能力情報を含むｃａｐａｂｉｌｉｔｙ  ｓｉｇｎａｌｉｎｇを端末から受信する場合、前記基地局は、今後、当該端末を設定するとき、前述したｃａｐａｂｉｌｉｔｙ特性組み合わせに違反しない形態で前記端末にＲＲＣ  ｓｉｇｎａｌｉｎｇを送信しなければならない。
【０４００】
前記端末は、前記ｃａｐａｂｉｌｉｔｙ特性に違反する場合に対しては、期待せず、ｅｒｒｏｒ  ｃａｓｅとみなすことができる。
【０４０１】
前述したように、端末は、基地局からＮｃ´＝３に該当するＣＳＩ−ＲＳの３個を全てＲＲＣ  ｓｉｇｎａｌｉｎｇを介して設定されることができると仮定する。
【０４０２】
ただし、このとき、前記端末は、各ＣＳＩ−ＲＳ  ｉｎｄｅｘ別に「ｐａｒｔｉｃａｌ  ａｃｔｉｖａｔｉｏｎ」状態で設定するものであることを識別できる別の識別子または特定ｉｍｐｌｉｃｉｔ  ｉｎｄｉｃａｔｉｏｎによりこれを認知できるｓｉｇｎａｌｉｎｇを前記基地局から受信することができる。
【０４０３】
この場合、前記端末は、前記ＲＲＣ  ｓｉｇｎａｌｉｎｇを受信した時点から前記３個のＣＳＩ−ＲＳに対して各々ｔｉｍｅ／ｆｒｅｑｕｅｎｃｙ  ｓｙｎｃｈｒｏｎｉｚａｔｉｏｎ／ｔｒａｃｋｉｎｇを行うようにする。
【０４０４】
これは、各ＣＳＩ−ＲＳ設定に含まれているｑｕａｓｉ  ｃｏ−ｌｏｃａｔｉｏｎ（ＱＣＬ）仮定を適用する特定ＲＳ（ｅ．ｇ．、ＣＲＳ）などの情報に即してｓｙｎｃｈｒｏｎｉｚａｔｉｏｎ／ｔｒａｃｋｉｎｇを行うことができる。
【０４０５】
このとき、前記別の識別子形態でＮｃ´＝３個のＣＳＩ−ＲＳのうち、特定Ｎｃ＝１個のＣＳＩ−ＲＳのみ「完全活性化（ｆｕｌｌ  ａｃｔｉｖａｔｉｏｎ）」であることを追加に（または、同時に）設定または指示されることができる。
【０４０６】
または、暗示的に（ｉｍｐｌｉｃｉｔに）前記Ｎｃ＝１個のＣＳＩ−ＲＳは、常にｌｏｗｅｓｔ（ｈｉｇｈｅｓｔ）  ｉｎｄｅｘｅｄ  ＣＳＩ−ＲＳに規定されるなど、特定ｉｎｄｅｘに事前に規定されることもできる。
【０４０７】
すると、端末は、前記Ｎｃ＝１個の「ｆｕｌｌ  ａｃｔｉｖａｔｉｏｎ´」されたＣＳＩ−ＲＳに対してのみＣＳＩ  ｆｅｅｄｂａｃｋのためのｃｈａｎｎｅｌ  ｍｅａｓｕｒｅｍｅｎｔを行えばよい。
【０４０８】
すなわち、端末は、残りのＮｃ´−Ｎｃ＝２個のＣＳＩ−ＲＳに対しては、ｃｈａｎｎｅｌ  ｍｅａｓｕｒｅｍｅｎｔを行わず、ｔｒａｃｋｉｎｇのみを行う。
【０４０９】
このように、Ｎｃ＝１個の特定ＣＳＩ−ＲＳに対してのみｃｈａｎｎｅｌ  ｍｅａｓｕｒｅｍｅｎｔを行い、前記測定を介してｆｅｅｄｂａｃｋ  ｃｏｎｔｅｎｔｓ（ｅ．ｇ．、ＲＩ／ＰＭＩ／ＣＱＩ）をｄｅｒｉｖｅする方法は、これとともに設定される特定ＣＳＩ  ｐｒｏｃｅｓｓに対して前記ｆｅｅｄｂａｃｋ  ｃｏｎｔｅｎｔｓを計算する動作が規定／設定され得る。
【０４１０】
例えば、端末は、特定Ｎｐ＝１個のＣＳＩ  ｐｒｏｃｅｓｓもＲＲＣ  ｓｉｇｎａｌｉｎｇを介して基地局から受信するようになり、このようなＣＳＩ  ｐｒｏｃｅｓｓは、特定個数のＣＳＩ−ＲＳとＣＳＩ−ＩＭインデックスとの間の組み合わせで定義される。
【０４１１】
しかし、ここでのＣＳＩ−ＲＳは、前記ｆｕｌｌ  ａｃｔｉｖａｔｉｏｎされるＮｃ＝１個のＣＳＩ−ＲＳが何であるかによって前記ｆｕｌｌ    ａｃｔｉｖａｔｉｏｎされるＣＳＩ−ＲＳが自動反映されて、当該ＣＳＩ  ｐｒｏｃｅｓｓのチャネル測定（ｃｈａｎｎｅｌ  ｍｅａｓｕｒｅ）の対象になるＣＳＩ−ＲＳに認識されるようにする動作が定義／設定され得る。
【０４１２】
さらに他の一例として、ＣＳＩ  ｐｒｏｃｅｓｓも例えば、Ｎｐ´＝３にｐａｒｔｉａｌ  ａｃｔｉｖａｔｉｏｎ状態で３つを設定され、それぞれのＣＳＩ  ｐｒｏｃｅｓｓ内の前記Ｎｃ´＝３個のＣＳＩ−ＲＳインデックスが設定され得る。
【０４１３】
その後、基地局は、Ｎｐ＝１個のｆｕｌｌ  ａｃｔｉｖａｔｉｏｎされる特定ＣＳＩ  ｐｒｏｃｅｓｓを前記ＭＡＣまたはＰＨＹ  ｓｉｇｎａｌｉｎｇを介して端末にｄｙｎａｍｉｃ  ｉｎｄｉｃａｔｉｏｎを与えることができる。
【０４１４】
すると、端末は、前記ｆｕｌｌ  ａｃｔｉｖａｔｉｏｎされる特定ＣＳＩ  ｐｒｏｃｅｓｓに対するＣＳＩ  ｆｅｅｄｂａｃｋを基地局に送信することができる。
【０４１５】
つまり、特定ＣＳＩ  ｐｒｏｃｅｓｓ別にここに連動されて指示される特定ＣＳＩ−ＲＳ及び／又はＣＳＩ−ＩＭインデックスは、これが固定されたインデックスであるか、前述したように、自動に可変可能なインデックスであるかを識別できる別の識別子または特定ｉｍｐｌｉｃｉｔ  ｓｉｇｎａｌｉｎｇ方法が定義され得る。
【０４１６】
仮に、前記特定ＣＳＩ−ＲＳ及び／又はＣＳＩ−ＩＭインデックスが特定インデックスに固定されて指示される場合、端末は、前記固定されたＣＳＩ−ＲＳ及び／又はＣＳＩ−ＩＭインデックスに該当する資源に対する測定（ｍｅａｓｕｒｅｍｅｎｔ）を行う。
【０４１７】
仮に、前記特定ＣＳＩ−ＲＳ及び／又はＣＳＩ−ＩＭインデックスが可変可能なインデックス形態で設定されている場合、前述したように、特定Ｎｃ＝１個のＣＳＩ−ＲＳが別のＭＡＣまたはＰＨＹ  ｓｉｇｎａｌｉｎｇで「ｆｕｌｌ  ａｃｔｉｖａｔｉｏｎ」される場合、当該インデックスを自動に適用させる形態で適用されることができる。
【０４１８】
ここで、ｆｕｌｌ  ａｃｔｉｖａｔｉｏｎされるＮｃ個が２個以上でありうる。
【０４１９】
例えば、２Ｄ−ＡＡＳ構造でのｍｕｌｔｉｐｌｅ  ＣＳＩ−ＲＳ  ｒｅｓｏｕｒｃｅｓをＫｒｏｎｅｃｋｅｒ演算などを介して共にｍｅａｓｕｒｅさせる目的などの場合に、ｆｕｌｌ  ａｃｔｉｖａｔｉｏｎされるＮｃ個は、２個以上でありうる。
【０４２０】
この場合にも、前記ｆｕｌｌ  ａｃｔｉｖａｔｉｏｎされるＮｃ個が何であるかが別にｄｙｎａｍｉｃ  ｉｎｄｉｃａｔｉｏｎされる場合、このようなインデックスを自動に適用されるようにすることができる。
【０４２１】
つまり、このようなＣＳＩ  ｐｒｏｃｅｓｓ設定においては、当該設定で指示され得るＣＳＩ−ＲＳ及び／又はＣＳＩ−ＩＭインデックスがいかなる候補ｓｅｔのうちから設定され得るかＲＲＣ設定ステップから規定されることが好ましい。
【０４２２】
同様に、前記ＣＳＩ−ＩＭに対しても、Ｎｉ´及びＮｉ個数による前記設定または指示動作が適用され得ることは自明である。
【０４２３】
図１５は、本明細書において提案するＣＳＩ測定及び報告方法の一例を示した図である。
【０４２４】
図１５に示すように、端末は、基地局にＣＳＩ動作関連の前記端末の能力情報を含む能力シグナリング（ｃａｐａｂｉｌｉｔｙ  ｓｉｇｎａｌｉｎｇ）を送信する（Ｓ１５１０）。
【０４２５】
前記端末の能力情報は、同時に完全活性化（ｆｕｌｌ  ａｃｔｉｖａｔｉｏｎ）可能な前記ＣＳＩ関連動作の最大個数を表す第１の制御情報及び同時に部分活性化（ｐａｒｔｉａｌ  ａｃｔｉｖａｔｉｏｎ）可能な前記ＣＳＩ関連動作の最大個数を表す第２の制御情報を含む。
【０４２６】
その後、前記基地局は、ＣＳＩ動作と関連した設定が変更される場合、前記基地局は、前記端末にＣＳＩ動作関連設定情報（または、ＣＳＩ関連動作設定情報）を送信する（Ｓ１５２０）。
【０４２７】
前記ＣＳＩ動作関連設定情報は、部分活性化（ｐａｒｔｉａｌ  ａｃｔｉｖａｔｉｏｎ）を行うＣＳＩ関連動作を表す部分活性化ＣＳＩ関連動作インデックス（ｉｎｄｅｘ）情報または完全活性化（ｆｕｌｌ  ａｃｔｉｖａｔｉｏｎ）を行うＣＳＩ関連動作を表す完全活性化ＣＳＩ関連動作インデックス情報のうち、少なくとも１つを含む。
【０４２８】
その後、前記端末は、前記ＣＳＩ動作関連設定情報に基づいて完全活性化ＣＳＩを測定する（Ｓ１５３０）。
【０４２９】
Ｓ１５３０ステップ以前に前記端末は、部分活性化ＣＳＩ−ＲＳに対しては、トラッキングを行う。
【０４３０】
ＣＳＩ−ＲＳトラッキングについての具体的な説明は、前述した内容を参照する。
【０４３１】
その後、前記端末は、前記測定結果を前記基地局に報告する（Ｓ１５４０）。
【０４３２】
図１６は、本明細書において提案するＣＳＩ測定及び報告方法のさらに他の一例を示した図である。
【０４３３】
Ｓ１６１０及びＳ１６２０、Ｓ１６４０及びＳ１６５０は、図１５のＳ１５１０ないしＳ１５４０と同様であるから、具体的な説明を省略する。
【０４３４】
Ｓ１６２０ステップ以後（ＣＳＩ動作関連設定情報を基地局が端末に送信した後）、基地局は、端末に完全活性化ＣＳＩ−ＲＳに対する測定を指示する指示メッセージを送信する（Ｓ１６３０）。
【０４３５】
前記指示メッセージは、ＭＡＣ  ＣＥまたはＤＣＩでありうる。
【０４３６】
また、前記完全活性化ＣＳＩ−ＲＳは、部分活性化ＣＳＩ−ＲＳから選択されることが好ましい。
【０４３７】
ＣＳＩ測定ウィンドウ（ｍｅａｓｕｒｅｍｅｎｔ  ｗｉｎｄｏｗ）初期化／更新時点
端末がＭＡＣ  ｓｉｇｎａｌｉｎｇまたはＰＨＹ  ｓｉｇｎａｌｉｎｇを介して、基地局から特定ＣＳＩ−ＲＳ、ＣＳＩ−ＩＭ、及び／又はＣＳＩ  ｐｒｏｃｅｓｓ  ｉｎｄｅｘ（等）のｆｕｌｌ  ａｃｔｉｖａｔｉｏｎされるｓｉｇｎａｌｉｎｇをＳＦ（ｓｕｆｂｒａｍｅ）＃ｎ時点に受信した場合、前記端末は、当該時点（ｓｕｂｆｒａｍｅ  ＃ｎ）から特定ｙ  ｍｓ、すなわち、ＳＦ  ＃（ｎ＋ｙ）時点からＣＳＩ  ｍｅａｓｕｒｅｍｅｎｔ及びｒｅｐｏｒｔｉｎｇをするように適用することができる。
【０４３８】
仮に、ｐｅｒｉｏｄｉｃ  ＣＳＩ  ｒｅｐｏｒｔｉｎｇの場合、前記ＳＦ  ＃（ｎ＋ｙ）時点以後に最初に出るＲＩ  ｒｅｐｏｒｔｉｎｇ  ｉｎｓｔａｎｃｅに連動された特定ｒｅｆｅｒｅｎｃｅ  ｒｅｓｏｕｒｃｅ時点から新しくｆｕｌｌ  ａｃｔｉｖａｔｉｏｎされた特定ＣＳＩ−ＲＳ、ＣＳＩ−ＩＭ、及び／又はＣＳＩ  ｐｒｏｃｅｓｓ  ｉｎｄｅｘ（等）に対するＣＳＩ  ｍｅａｓｕｒｅｍｅｎｔ及びｒｅｐｏｒｔｉｎｇを開始する。
【０４３９】
すなわち、ＳＦ  ＃（ｎ＋ｙ）時点以後に存在する有効なｒｅｆｅｒｅｎｃｅ  ｒｅｓｏｕｒｃｅ時点に対し、前記ｒｅｆｅｒｅｎｃｅ  ｒｅｓｏｕｒｃｅ時点に計算されるＣＳＩ（ｅ．ｇ．、ＲＩ／ＰＭＩ／ＣＱＩ）が最初にＲＩがｒｅｐｏｒｔｉｎｇされる時点からこのような新しいＣＳＩ  ｃｏｎｔｅｎｔｓをｒｅｐｏｒｔするように定義することができる。
【０４４０】
すなわち、前記最初のＲＩ  ｒｅｐｏｒｔｉｎｇ時点以前には、ＰＭＩ／ＣＱＩ  ｒｅｐｏｒｔｉｎｇ  ｉｎｓｔａｎｃｅが存在するとしても、前記新しくｆｕｌｌ  ａｃｔｉｖａｔｉｏｎされた設定に即してはならず、その直前にしたがっている設定に即したＣＳＩ  ｆｅｅｄｂａｃｋ  ｃｏｎｔｅｎｔｓが持続してｒｅｐｏｒｔｉｎｇされなければならないことを意味する。
【０４４１】
つまり、新しいＲＩ  ｒｅｐｏｒｔｉｎｇ  ｉｎｓｔａｎｃｅ時点から前記ｆｕｌｌ  ａｃｔｉｖａｔｉｏｎされた設定に即して端末のＣＳＩ  ｒｅｐｏｒｔｉｎｇを行うようにする。
【０４４２】
上記の動作において、ＣＳＩ  ｍｅａｓｕｒｅｍｅｎｔをａｖｅｒａｇｉｎｇするｗｉｎｄｏｗと関連した設定情報も別にまたは共にＲＲＣ  ｓｉｇｎａｌｉｎｇを介して提供されるように規定されることができる。
【０４４３】
また、このような動作は、前記ｆｕｌｌ／ｐａｒｔｉａｌ  ａｃｔｉｖａｔｉｏｎのような形態の設定を支援するｅｎｈａｎｃｅｄ端末に対してのみ規定されることができる。
【０４４４】
すなわち、従来のｕｎｒｅｓｔｒｉｃｔｅｄ  ｏｂｓｅｒｖａｔｉｏｎを許容するものでない、特定［ｄ１、ｄ２］ｍｓ時間区間内のみでｍｅａｓｕｒｅｍｅｎｔをａｖｅｒａｇｉｎｇする。
【０４４５】
これは、ｍｅａｓｕｒｅ対象になるＣＳＩ−ＲＳ及び／又はＣＳＩ−ＩＭの資源設定情報がＭＡＣまたはＰＨＹ  ｓｉｇｎａｌｉｎｇを介してｄｙｎａｍｉｃ  ｓｗｉｔｃｈｉｎｇされ得るため、特定ｂｏｕｎｄｅｄされた区間内のみでｍｅａｓｕｒｅｍｅｎｔ  ａｖｅｒａｇｉｎｇを行うように規定することが好ましいためである。
【０４４６】
一例として、測定（ｍｅａｓｕｒｅ）対象になるＣＳＩ−ＲＳ、そして／または、ＣＳＩ−ＩＭの資源設定情報がＭＡＣまたはＰＨＹ  ｓｉｇｎａｌｉｎｇ（ｅ．ｇ．、ｂｙ  ＤＣＩ）を介してｄｙｎａｍｉｃ  ｓｗｉｔｃｈｉｎｇ／ｉｎｄｉｃａｔｉｏｎされるｓｉｇｎａｌｉｎｇを端末が基地局から受信した場合、端末は、これに連動して前記ＣＳＩ−ＲＳ−ｂａｓｅｄ  ｃｈａｎｎｅｌ  ｍｅａｓｕｒｅｍｅｎｔのｍｅａｓｕｒｅｍｅｎｔ  ａｖｅｒａｇｉｎｇ  ｗｉｎｄｏｗを初期化または更新するように規定／設定されることができる。
【０４４７】
また、端末は、前記（ｄｙｎａｍｉｃ  ｓｗｉｔｃｈｉｎｇ／ｉｎｄｉｃａｔｉｏｎされる）ｓｉｇｎａｌｉｎｇに連動して、当該ＣＳＩ−ＩＭ−ｂａｓｅｄ  ｉｎｔｅｒｆｅｒｅｎｃｅ  ｍｅａｓｕｒｅｍｅｎｔのｍｅａｓｕｒｅｍｅｎｔ  ａｖｅｒａｇｉｎｇ  ｗｉｎｄｏｗを初期化または更新することができる。
【０４４８】
ここで、ｍｅａｓｕｒｅｍｅｎｔ  ａｖｅｒａｇｉｎｇ  ｗｉｎｄｏｗが初期化または更新されるという意味は、現在標準によるＣＳＩ測定のための「ｕｎｒｅｓｔｒｉｃｔｅｄ  ｏｂｓｅｒｖａｔｉｏｎ」により例えば、過去、任意の時点から現在まで繰り返し的に測定された当該ＣＳＩ−ＲＳ  ｐｏｒｔｓからのチャネル測定値を端末実現によってａｖｅｒａｇｉｎｇする従来動作の代りに、前記「任意の時点から」という「ｍｅａｓｕｒｅｍｅｎｔ  ｗｉｎｄｏｗの開始点」を前記（ｄｙｎａｍｉｃ  ｓｗｉｔｃｈｉｎｇ／ｉｎｄｉｃａｔｉｏｎされる）ｓｉｇｎａｌｉｎｇを受信した時点＃ｎ（または、特定設定／指示された時点後、ｅ．ｇ．、＃ｎ＋ｋ）から再度初期化または更新させるものである。
【０４４９】
または、前記ｓｉｇｎａｌｉｎｇを介してどの時点から当該ｍｅａｓｕｒｅｍｅｎｔ  ｗｉｎｄｏｗが初期化または更新されるかの時点情報を（ｅ．ｇ．、ｔｉｍｅｓｔａｍｐ形態）共にｅｘｐｌｉｃｉｔ  ｓｉｇｎａｌｉｎｇする方式も適用可能である。
【０４５０】
例えば、ＳＦＮ、ｓｌｏｔ  ｎｕｍｂｅｒなど、絶対時間パラメータ値に対する時間情報指示方法、または前記ｓｉｇｎａｌｉｎｇを端末が受信した時点から特定＋／−Ｄｅｌｔａ値形態で指示する方式などがありうる。
【０４５１】
言い換えれば、前記ｓｉｇｎａｌｉｎｇは、ｍｅａｓｕｒｅｍｅｎｔ  ａｖｅｒａｇｉｎｇ  ｗｉｎｄｏｗの開始時点にのみ更新／リセットする役割をすることと限定されることができる。
【０４５２】
すると、当該時点から始めて、以後に追加的な前記ｓｉｇｎａｌｉｎｇが受信される前まで端末は、ＣＳＩ測定値を（端末実現によって）平均化できる。
【０４５３】
前記ｓｉｇｎａｌｉｎｇは、各ＣＳＩ  ｐｒｏｃｅｓｓ別に別途に（独立的に）ｓｉｇｎａｌｉｎｇされることができる。これにより、各ｐｒｏｃｅｓｓ別にｍｅａｓｕｒｅｍｅｎｔ  ｗｉｎｄｏｗ  ｒｅｓｅｔが独立的に適用され得るようにする。
【０４５４】
前記ｓｉｇｎａｌｉｎｇは、特定ＣＳＩ−ＩＭ資源に対するｉｎｔｅｒｆｅｒｅｎｃｅ  ｍｅａｓｕｒｅｍｅｎｔ  ａｖｅｒａｇｉｎｇ  ｗｉｎｄｏｗをリセットする用途にも共に適用されることができる。
【０４５５】
この場合には、特定ＣＳＩ  ｐｒｏｃｅｓｓに属したＣＳＩ−ＲＳ及びＣＳＩ−ＩＭに対するｍｅａｓｕｒｅｍｅｎｔ  ａｖｅｒａｇｉｎｇ  ｗｉｎｄｏｗを共に初期化する役割をするようになる。
【０４５６】
または、ＣＳＩ−ＩＭ資源に対するｉｎｔｅｒｆｅｒｅｎｃｅ  ｍｅａｓｕｒｅｍｅｎｔ  ａｖｅｒａｇｉｎｇ  ｗｉｎｄｏｗをリセットするための別の（独立的な）ｉｎｄｉｃａｔｏｒをｓｉｇｎａｌｉｎｇする方式も適用可能である。
【０４５７】
これは、干渉環境の変化が存在する環境（ｅ．ｇ．、ｅＩＣＩＣ、ｅＩＭＴＡ、ＬＡＡ等）で例えば、基地局が予測／感知可能な干渉環境の変化が存在する場合、端末に前記特定ＣＳＩ  ｐｒｏｃｅｓｓに対するｍｅａｓｕｒｅｍｅｎｔ  ａｖｅｒａｇｉｎｇ  ｗｉｎｄｏｗを初期化するように知らせることにより、過去の干渉環境をそれ以上現時点から干渉測定値に反映しないように分離することができるという効果がある。
【０４５８】
図１７は、本明細書において提案するＣＳＩ測定及び報告方法のさらに他の一例を示した図である。
【０４５９】
Ｓ１７１０ないしＳ１７３０、Ｓ１７５０及びＳ１７６０は、図１６のＳ１６１０ないしＳ１６３０、Ｓ１６４０及びＳ１６５０と同様であるから、具体的な説明を省略する。
【０４６０】
図１７に示すように、Ｓ１７３０ステップ以後、端末は、ＣＳＩ測定ウィンドウを初期化または更新する（Ｓ１７４０）。
【０４６１】
その後、前記端末は、初期化または更新されたＣＳＩ測定ウィンドウ区間で完全活性化ＣＳＩ−ＲＳを繰り返し的に測定し、前記測定結果を平均して、前記平均値を基地局に報告する（Ｓ１７５０〜Ｓ１７６０）。
【０４６２】
Ｓ１７４０ステップ以前に基地局は、端末にＣＳＩ測定ウィンドウ関連設定情報を送信することができる。
【０４６３】
前記（ｄｙｎａｍｉｃ  ｓｗｉｔｃｈｉｎｇ／ｉｎｄｉｃａｔｉｏｎされる）ｓｉｇｎａｌｉｎｇと類似した形態のさらに他の実施形態として、本明細書は、下記のようにｂｅａｍｆｏｒｍｅｄ  ＣＳＩ−ＲＳ基盤の方式に対しても前述した測定ウィンドウ（ｍｅａｓｕｒｅｍｅｎｔ  ｗｉｎｄｏｗ）設定関連動作が適用され得る。
【０４６４】
Ｅｌｅｖａｔｉｏｎ  ｂｅａｍｆｏｒｍｉｎｇ及びＦＤ−ＭＩＭＯ動作のために、下記のようなＰＭＩ  ｆｅｅｄｂａｃｋ  ｓｃｅｎａｒｉｏが考慮され得る。
【０４６５】
１．ＥＢＦ（Ｅｌｅｖａｔｉｏｎ  Ｂｅａｍｆｏｒｍｉｎｇ）／ＦＤ−ＭＩＭＯに対するプリコーディング定義
【０４６６】
（１）プリコーディングマトリックス／ベクトル（Ｐｒｅｃｏｄｉｎｇ  ｍａｔｒｉｘ／ｖｅｃｔｏｒ）
・Ｐ１：ワイドバンド（ｗｉｄｅｂａｎｄ）；しきりにアップデートされない（ｕｐｄａｔｅｄ  ｌｅｓｓ  ｆｒｅｑｕｅｎｔｌｙ）
・Ｐ２：サブバンド（ｓｕｂｂａｎｄ）またはワイドバンド（ｗｉｄｅｂａｎｄ）；もっとしきりにアップデートされる（ｕｐｄａｔｅｄ  ｍｏｒｅ  ｆｒｅｑｕｅｎｔｌｙ）
・Ｐ  ｉｓ  ａ  ｆｕｎｃｔｉｏｎ  ｏｆ  Ｐ１  ａｎｄ  Ｐ２、ａｐｐｌｉｅｄ  ｔｏ  １Ｄ  ｏｒ  ２Ｄ  ａｎｔｅｎｎａ  ａｒｒａｙ（Ｐは、１Ｄまたは２Ｄアンテナアレイに適用されるＰ１及びＰ２の関数である。）
・ＰＭＩ（Ｓ）  ａｒｅ  ｔｏ  ｂｅ  ｓｐｅｃｉｆｉｅｄ  ｗ．ｒ．ｔ．  ｔｈｅ  ａｂｏｖｅ  ｄｅｆｉｎｉｔｉｏｎ
【０４６７】
（２）ＣＳＩフィードバックシナリオ（Ｓｃｅｎａｒｉｏｓ  ｆｏｒ    ＣＳＩ  ｆｅｅｄｂａｃｋ）
１）シナリオ１
・ＵＥ  ｍｅａｓｕｒｅｓ  ＣＳＩ−ＲＳ  ｐｏｒｔｓ  ｂｅａｍｆｏｒｍｅｄ  ｗｉｔｈ  Ｐ１（Ｐ１  ｔｒａｎｓｐａｒｅｎｔ  ｔｏ  ＵＥ）。
・ＰＭＩ  ｒｅｐｏｒｔ（ｓ）  ｆｏｒ  Ｐ２
２）シナリオ２
・ＵＥ  ｍｅａｓｕｒｅｓ  ｎｏｎ−ｐｒｅｃｏｄｅｄ  １−Ｄ  ｏｒ２−Ｄ  ＣＳＩ−ＲＳ  ｐｏｒｔｓ
Ｎｏｔｅ：Ｐ１  ｎｏｔ  ａｐｐｌｉｅｄ  ｔｏ  ＣＳＩ−ＲＳ    ａｔ  Ｅｎｂ
・ＰＭＩ  ｒｅｐｏｒｔ（ｓ）  ｆｏｒ  Ｐ１  ａｎｄＰ２
３）シナリオ３
・ＵＥ  ｍｅａｓｕｒｅｓ  ｂｏｔｈ  ｎｏｎ−ｐｒｅｃｏｄｅｄ  １−  ｏｒ  ２−Ｄ  ＣＳＩ−ＲＳ  ｐｏｒｔｓ（ｌｏｗｅｒ  ｄｕｔｙ  ｃｙｃｌｅ）  ａｎｄ  ＣＳＩ−ＲＳ  ｂｅａｍｆｏｒｍｅｄ  ｗｉｔｈ  Ｐ１
・ＰＭＩ  ｒｅｐｏｒｔ（ｓ）  ｆｏｒ  Ｐ１  ａｎｄ  Ｐ２
４）シナリオ４
・ＵＥ  ｍｅａｓｕｒｅｓ  ｎｏｎ−ｐｒｅｃｏｄｅｄ  １−  ｏｒ  ２−Ｄ  ＣＳＩ−ＲＳ  ｐｏｒｔｓ
Ｎｏｔｅ：Ｐ１  ｎｏｔ  ａｐｐｌｉｅｄ  ｔｏ  ＣＳＩ−ＲＳ  ａｔ  ｅＮＢ（Ｐ１  ｉｎｄｉｃａｔｅｄ  ｔｏ  ＵＥ）
・ＰＭＩ  ｒｅｐｏｒｔ（ｓ）  ｆｏｒ  Ｐ２
【０４６８】
前記シナリオ１ないしシナリオ４のうち、例えば、ｓｃｅｎａｒｉｏ１及びｓｃｅｎａｒｉｏ３のようなｂｅａｍｆｏｒｍｅｄ  ＣＳＩ−ＲＳを活用する方法は、端末が行列Ｐ１自体を知る必要がないとしても、仮に、当該ＣＳＩ−ＲＳ  ｐｏｒｔｓに基地局がｂｅａｍｆｏｒｍｉｎｇを適用したＰ１が変更された場合、前記基地局は、前記Ｐ１の変更時点関連情報を端末に事前に知らせなければならない。
【０４６９】
それでこそ、前記端末は、ＣＳＩ  ｍｅａｓｕｒｅｍｅｎｔ  ａｎｄ  ｃａｌｃｕｌａｔｉｏｎ時に適切なｍｅａｓｕｒｅｍｅｎｔ  ａｖｅｒａｇｉｎｇ  ｗｉｎｄｏｗを設定／適用することができる。
【０４７０】
すなわち、現在標準によれば、端末が当該ＣＳＩ−ＲＳ  ｐｏｒｔｓに対するｃｈａｎｎｅｌ  ｍｅａｓｕｒｅｍｅｎｔ時には、「ｕｎｒｅｓｔｒｉｃｔｅｄ  ｏｂｓｅｒｖａｔｉｏｎ」によって過去の任意の時点から現在まで繰り返し的に測定された当該ＣＳＩ−ＲＳ  ｐｏｒｔｓからのチャネル測定値を端末実現によってａｖｅｒａｇｉｎｇして信頼度を高めることができた（ｅ．ｇ．、ｎｏｉｓｅ  ｓｕｐｐｒｅｓｓｉｏｎ効果）。
【０４７１】
しかし、前記シナリオ１ないし４では、Ｐ１自体が端末に知らされないｂｅａｍｆｏｒｍｅｄ  ＣＳＩ−ＲＳ  ｐｏｒｔｓを活用するので、基地局が任意の時点にＰ１自体を変更でき、基地局が前記Ｐ１が変更されたことを端末に知らせなければ、端末は、変更以前のＰ１と変更以後のＰ１´とに対するチャネル測定値を共にａｖｅｒａｇｉｎｇできるので、当該ＣＳＩ  ｍｅａｓｕｒｅｍｅｎｔ  ａｎｄ  ｒｅｐｏｒｔｉｎｇの正確度に問題が生じ得る。
【０４７２】
したがって、本明細書は、このような問題点を解決するために、基地局が端末に一種の「ｂｅａｍ−ｃｈａｎｇｅ  ｎｏｔｉｆｉｃａｔｉｏｎ」または「ｂｅａｍ−ｃｈａｎｇｅ  ｉｎｄｉｃａｔｏｒ（ＢＣＩ）  ｓｉｇｎａｌｉｎｇ」を送信する方法を提供する。
【０４７３】
以下では、「ｂｅａｍ−ｃｈａｎｇｅ  ｉｎｄｉｃａｔｏｒ」を簡単に「ＢＣＩ」と呼ぶことにする。
【０４７４】
ＢＣＩ  ｓｉｇｎａｌｉｎｇは、ＲＲＣ  ｓｉｇｎａｌｉｎｇ形態で指示されることもできる。
【０４７５】
しかし、より好ましくは、ＭＡＣ  ＣＥを介してのｓｉｇｎａｌｉｎｇやＤＣＩ等を介してのｄｙｎａｍｉｃ  ｉｎｄｉｃａｔｉｏｎで提供されることができる。
【０４７６】
すなわち、端末は、基地局からＢＣＩ  ｓｉｇｎａｌｉｎｇを受信する場合、当該ＣＳＩ  ｐｒｏｃｅｓｓでのＣＳＩ  ｄｅｒｉｖａｔｉｏｎ時に適用するｍｅａｓｕｒｅｍｅｎｔ  ａｖｅｒａｇｉｎｇ  ｗｉｎｄｏｗの開始点を当該ＢＣＩ  ｓｉｇｎａｌｉｎｇ受信時点（または、これから特定指示された時点、または別のｔｉｍｅｓｔａｍｐなどでｅｘｐｌｉｃｉｔ  ｉｎｄｉｃａｔｉｏｎされた時点）に更新する。
【０４７７】
すなわち、前記ＢＣＩ情報とともに（または、連係された情報として）、どの時点から当該ｍｅａｓｕｒｅｍｅｎｔ  ｗｉｎｄｏｗが初期化または更新されるかの時点情報を（ｅ．ｇ．、ｔｉｍｅｓｔａｍｐ形態）共にｅｘｐｌｉｃｉｔ  ｓｉｇｎａｌｉｎｇする方式も適用可能である。
【０４７８】
例えば、ＳＦＮ、ｓｌｏｔ  ｎｕｍｂｅｒなど、絶対時間パラメータ値に対する時間情報指示方法、または前記ｓｉｇｎａｌｉｎｇを端末が受信した時点から特定＋／−Ｄｅｌｔａ値形態で指示する方式などがありうる。
【０４７９】
すなわち、このようなＢＣＩ  ｓｉｇｎａｌｉｎｇは、ｍｅａｓｕｒｅｍｅｎｔ  ａｖｅｒａｇｉｎｇ  ｗｉｎｄｏｗの開始時点にのみ更新／リセットする役割をすることと限定されることができる。
【０４８０】
すると、この時点（ＢＣＩ  ｓｉｇｎａｌｉｎｇ受信時点）から始めて、以後に追加的なＢＣＩが受信される前まで端末は、ＣＳＩ測定値を（端末実現によって）平均化できる。
【０４８１】
つまり、端末が前記更新された行列のＰ１自体は知らないが、Ｐ１が更新されたことを前記ＢＣＩを介して指示されたので、この時点からさらに新しくＣＳＩ測定値を平均化させることにより、更新されたＰ１が適用されたＣＳＩ−ＲＳ  ｐｏｒｔｓに対してのみ当該ＣＳＩ  ｐｒｏｃｅｓｓに対するＣＳＩ  ｃａｌｃｕｌａｔｉｏｎ  ａｎｄ  ｒｅｐｏｒｔｉｎｇ（ｅ．ｇ．、Ｐ１、Ｐ２、ＲＩ、ＣＱＩ等）を行うことができる。
【０４８２】
前記ＢＣＩは、各ＣＳＩ  ｐｒｏｃｅｓｓ別に別途に（独立的に）ｓｉｇｎａｌｉｎｇされることができる。
【０４８３】
これにより、各ｐｒｏｃｅｓｓ別にｍｅａｓｕｒｅｍｅｎｔ  ｗｉｎｄｏｗ  ｒｅｓｅｔが独立的に適用され得るようにする。
【０４８４】
前記ＢＣＩは、特定ＣＳＩ−ＩＭ資源に対するｉｎｔｅｒｆｅｒｅｎｃｅ  ｍｅａｓｕｒｅｍｅｎｔ  ａｖｅｒａｇｉｎｇ  ｗｉｎｄｏｗをリセットする用途にも共に適用されることができる。
【０４８５】
この場合には、特定ＣＳＩ  ｐｒｏｃｅｓｓに属したＣＳＩ−ＲＳ及びＣＳＩ−ＩＭに対するｍｅａｓｕｒｅｍｅｎｔ  ａｖｅｒａｇｉｎｇ  ｗｉｎｄｏｗを共に初期化する役割をするようになる。
【０４８６】
または、ＣＳＩ−ＩＭ資源に対するｉｎｔｅｒｆｅｒｅｎｃｅ  ｍｅａｓｕｒｅｍｅｎｔ  ａｖｅｒａｇｉｎｇ  ｗｉｎｄｏｗをリセットするための別の（独立的な）ｉｎｄｉｃａｔｏｒをｓｉｇｎａｌｉｎｇする方式も適用可能である。
【０４８７】
これは、干渉環境の変化が存在する環境（ｅ．ｇ．、ｅＩＣＩＣ、ｅＩＭＴＡ、ＬＡＡ等）で例えば、基地局が予測／感知可能な干渉環境の変化が存在する場合、端末に前記特定ＣＳＩ  ｐｒｏｃｅｓｓに対するｍｅａｓｕｒｅｍｅｎｔ  ａｖｅｒａｇｉｎｇ  ｗｉｎｄｏｗを初期化するように知らせることにより、過去の干渉環境をそれ以上現時点から干渉測定値に反映しないように分離することができるという効果がある。
【０４８８】
本発明が適用され得る装置一般
図１８は、本発明の一実施形態に係る無線通信装置のブロック構成図を例示する。
【０４８９】
図１８に示すように、無線通信システムは、基地局１８１０と、基地局１８１０領域内に位置した複数の端末１８２０とを備える。
【０４９０】
基地局１８１０は、プロセッサ（ｐｒｏｃｅｓｓｏｒ、１８１１）、メモリ（ｍｅｍｏｒｙ、１８１２）、及びＲＦ部（ｒａｄｉｏ  ｆｒｅｑｕｅｎｃｙ  ｕｎｉｔ、１８１３）を備える。プロセッサ１８１１は、前述した図１〜図１７において提案された機能、過程、及び／又は方法を実現する。無線インターフェースプロトコルの階層は、プロセッサ１８１１により実現されることができる。メモリ１８１２は、プロセッサ１８１１と連結されて、プロセッサ１８１１を駆動するための様々な情報を格納する。ＲＦ部１８１３は、プロセッサ１８１１と連結されて、無線信号を送信及び／又は受信する。
【０４９１】
端末１８２０は、プロセッサ１８２１、メモリ１８２２、及びＲＦ部１８２３を備える。プロセッサ１８２１は、前述した図１〜図１７において提案された機能、過程、及び／又は方法を実現する。無線インターフェースプロトコルの階層は、プロセッサ１８２１により実現されることができる。メモリ１８２２は、プロセッサ１８２１と連結されて、プロセッサ１８２１を駆動するための様々な情報を格納する。ＲＦ部１８２３は、プロセッサ１８２１と連結されて、無線信号を送信及び／又は受信する。
【０４９２】
メモリ１８１２、１８２２は、プロセッサ１８１１、１８２１内部または外部にありうるし、よく知られた様々な手段でプロセッサ１８１１、１８２１と連結されることができる。また、基地局１８１０及び／又は端末１８２０は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０４９３】
以上で説明された実施形態は、本発明の構成要素と特徴が所定形態で結合されたものである。各構成要素または特徴は、別の明示的言及がない限り、選択的なものと考慮されなければならない。各構成要素または特徴は、他の構成要素や特徴と結合されていない形態で実施されることができる。また、一部構成要素及び／又は特徴を結合して本発明の実施形態を構成することも可能である。本発明の実施形態で説明される動作の順序は変更されることができる。ある実施形態の一部構成や特徴は、他の実施形態に含まれることができ、または、他の実施形態の対応する構成または特徴と交替されることができる。特許請求の範囲で明示的な引用関係がない請求項を結合して実施形態を構成したり、出願後の補正によって新しい請求項として含めることができることは自明である。
【０４９４】
本発明に係る実施形態は、様々な手段、例えば、ハードウェア、ファームウェア（ｆｉｒｍｗａｒｅ）、ソフトウェア、またはそれらの結合などによって実現されることができる。ハードウェアによる実現の場合、本発明の一実施形態は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって実現されることができる。
【０４９５】
ファームウェアやソフトウェアによる実現の場合、本発明の一実施形態は、以上で説明された機能または動作を行うモジュール、手順、関数などの形態で実現されることができる。ソフトウェアコードは、メモリに格納されてプロセッサにより駆動されることができる。前記メモリは、前記プロセッサ内部または外部に位置し、既に公知された様々な手段によって前記プロセッサとデータをやり取りすることができる。
【０４９６】
本発明は、本発明の必須特徴を逸脱しない範囲で他の特定の形態で具体化され得ることは当業者に自明である。したがって、上述した詳細な説明は、あらゆる面において制限的に解釈されてはならず、例示的なものと考慮されなければならない。本発明の範囲は、添付された請求項の合理的解釈により決定されなければならず、本発明の等価的範囲内でのあらゆる変更は、本発明の範囲に含まれる。
【産業上の利用可能性】
【０４９７】
本発明の無線通信システムにおいてＣＳＩフィードバックする方案は、３ＧＰＰ  ＬＴＥ／ＬＴＥ−Ａシステムに適用される例を中心に説明したが、３ＧＰＰ  ＬＴＥ／ＬＴＥ−Ａシステムの他にも、様々な無線通信システムに適用することが可能である。
【図１】
0006674954.tif 000028
【図２】
0006674954.tif 000029
【図３】
0006674954.tif 000030
【図４】
0006674954.tif 000031
【図５】
0006674954.tif 000032
【図６】
0006674954.tif 000033
【図７】
0006674954.tif 000034
【図８】
0006674954.tif 000035
【図９】
0006674954.tif 000036
【図１０】
0006674954.tif 000037
【図１１】
0006674954.tif 000038
【図１２】
0006674954.tif 000039
【図１３】
0006674954.tif 000040
【図１４】
0006674954.tif 000041
【図１５】
0006674954.tif 000042
【図１６】
0006674954.tif 000043
【図１７】
0006674954.tif 000044
【図１８】
0006674954.tif 000045